(57)【特許請求の範囲】
【請求項１】
アクセスポイントのためのワイヤレス通信の方法であって、
第１のデータシンボルの通信のための第１の複数のリソースユニットを決定することと、
第２のデータシンボルの通信のための第２の複数のリソースユニットを決定することと、ここにおいて、前記第２のデータシンボルは前記第１のデータシンボルに後続する、
前記第１の複数のリソースユニットのうちの少なくとも１つのリソースユニットにパイロット信号の第１の集合を生成することと、ここにおいて、前記第１の複数のリソースユニットのうちの前記少なくとも１つのリソースユニットにパイロット信号の前記第１の集合を生成することは、前記第１の複数のリソースユニットのうちの前記少なくとも１つのリソースユニットに関連付けられるパイロットトーン位置を決定することと、前記決定されたパイロットトーン位置に関連付けられる初期パイロットシーケンスを決定することと、を備える、
前記第２の複数のリソースユニットのうちの少なくとも１つのリソースユニットにパイロット信号の第２の集合を生成することと、ここにおいて、前記第２の複数のリソースユニットのうちの前記少なくとも１つのリソースユニットにパイロット信号の前記第２の集合を生成することは、前記初期パイロットシーケンスをシフトすることによって第２のパイロットシーケンスを決定することを備える、
前記第１の複数のリソースユニットのうちの前記少なくとも１つのリソースユニットに前記生成されたパイロット信号の第１の集合を、および前記第２の複数のリソースユニットのうちの前記少なくとも１つのリソースユニットに前記生成されたパイロット信号の第２の集合を、送信することと、
を備え、
前記パイロットトーン位置を決定することは、通信帯域幅と、前記第１の複数のリソースユニットのうちの前記少なくとも１つのリソースユニットの位置とに基づき決定することを備える、方法。
【請求項２】
通信のための前記第１の複数のリソースユニットを決定することは、
通信帯域幅を決定することと、
前記決定された通信帯域幅に基づいてリソースユニットごとの使用可能なトーンの数を決定することと、
を備える、請求項１に記載の方法。
【請求項３】
前記第１の複数のリソースユニットのうちの前記少なくとも１つのリソースユニットにパイロット信号の前記第１の集合を生成することは、
前記決定された初期パイロットシーケンスおよびパイロット極性シーケンスに基づいて、前記決定されたパイロットトーン位置に対するパイロット値を決定すること、
をさらに備える、請求項１に記載の方法。
【請求項４】
前記初期パイロットシーケンスをシフトすることは、データシンボルインデックスに基づいて前記初期パイロットシーケンスをシフトすることを備える、請求項１に記載の方法。
【請求項５】
前記第２の複数のリソースユニットのうちの前記少なくとも１つのリソースユニットは、２６個の使用可能なトーンと２つのパイロットトーン位置とを有し、前記第２のパイロットシーケンスは、前記初期パイロットシーケンス｛１，−１｝に基づいて決定される、請求項１に記載の方法。
【請求項６】
前記第１の複数のリソースユニットのうちの前記少なくとも１つのリソースユニットは、５２個の使用可能なトーンまたは１０６個の使用可能なトーンを有し、４つのパイロットトーン位置を有し、前記第２のパイロットシーケンスは、前記初期パイロットシーケンス｛１，１，１，−１｝に基づいて決定される、請求項１に記載の方法。
【請求項７】
前記第１の複数のリソースユニットのうちの前記少なくとも１つのリソースユニットは、２４２個の使用可能なトーンを有し、８つのパイロットトーン位置を有し、前記第２のパイロットシーケンスは、前記初期パイロットシーケンス｛１，１，１，−１，−１，１，１，１｝に基づいて決定される、請求項１に記載の方法。
【請求項８】
前記第１の複数のリソースユニットのうちの前記少なくとも１つのリソースユニットは、４８４個の使用可能なトーンまたは９９６個の使用可能なトーンを有し、１６個のパイロットトーン位置を有し、前記第２のパイロットシーケンスは、前記初期パイロットシーケンス｛１，１，１，−１，−１，１，１，１，１，１，１，−１，−１，１，１，１｝に基づいて決定される、請求項１に記載の方法。
【請求項９】
前記第１の複数のリソースユニットのうちの前記少なくとも１つのリソースユニットは、１９９２個の使用可能なトーンと３２個のパイロットトーン位置とを有し、前記第２のパイロットシーケンスは、前記初期パイロットシーケンス｛１，１，１，−１，−１，１，１，１，１，１，１，−１，−１，１，１，１，１，１，１，−１，−１，１，１，１，１，１，１，−１，−１，１，１，１｝に基づいて決定される、請求項１に記載の方法。
【請求項１０】
前記生成されたパイロット信号の第１の集合は、プリアンブルの信号（ＳＩＧ）フィールドの中のシンボルの数に基づく、請求項１に記載の方法。
【請求項１１】
ワイヤレス通信のための装置であって、
メモリと、
前記メモリに結合される少なくとも１つのプロセッサと、を備え、ここにおいて、前記少なくとも１つのプロセッサは、
第１のデータシンボルの通信のための第１の複数のリソースユニットを決定し、
第２のデータシンボルの通信のための第２の複数のリソースユニットを決定し、ここにおいて、前記第２のデータシンボルは前記第１のデータシンボルに後続する、
前記第１の複数のリソースユニットのうちの少なくとも１つのリソースユニットにパイロット信号の第１の集合を生成し、ここにおいて、前記第１の複数のリソースユニットのうちの前記少なくとも１つのリソースユニットにパイロット信号の前記第１の集合を生成するために、前記少なくとも１つのプロセッサは、前記第１の複数のリソースユニットのうちの前記少なくとも１つのリソースユニットに関連付けられるパイロットトーン位置を決定し、前記決定されたパイロットトーン位置に関連付けられる初期パイロットシーケンスを決定するように構成される、
前記第２の複数のリソースユニットのうちの少なくとも１つのリソースユニットにパイロット信号の第２の集合を生成し、ここにおいて、前記第２の複数のリソースユニットのうちの前記少なくとも１つのリソースユニットにパイロット信号の前記第２の集合を生成するために、前記少なくとも１つのプロセッサは、前記初期パイロットシーケンスをシフトすることによって第２のパイロットシーケンスを決定するように構成される、
前記第１の複数のリソースユニットのうちの前記少なくとも１つのリソースユニットに前記生成されたパイロット信号の第１の集合を、および前記第２の複数のリソースユニットのうちの前記少なくとも１つのリソースユニットに生成されたパイロット信号の第２の集合を、送信する、
ように構成され、
前記パイロットトーン位置を決定することは、通信帯域幅と、前記第１の複数のリソースユニットのうちの前記少なくとも１つのリソースユニットの位置とに基づき決定することを備える、装置。
【請求項１２】
通信のための前記第１の複数のリソースユニットを決定するために、前記少なくとも１つのプロセッサは、
通信帯域幅を決定し、
前記決定された通信帯域幅に基づいてリソースユニットごとの使用可能なトーンの数を決定する、
ように構成される、請求項１１に記載の装置。
【請求項１３】
前記少なくとも１つのリソースユニットにパイロット信号の前記第１の集合を生成するために、前記少なくとも１つのプロセッサは、
前記決定された初期パイロットシーケンスおよびパイロット極性シーケンスに基づいて、前記決定されたパイロットトーン位置に対するパイロット値を決定する、
ように構成される、請求項１１に記載の装置。
【請求項１４】
前記初期パイロットシーケンスをシフトすることは、データシンボルインデックスに基づいて前記初期パイロットシーケンスをシフトすることを備える、請求項１１に記載の装置。
【請求項１５】
前記第２の複数のリソースユニットのうちの前記少なくとも１つのリソースユニットは、２６個の使用可能なトーンと２つのパイロットトーン位置とを有し、前記第２のパイロットシーケンスは、前記初期パイロットシーケンス｛１，−１｝に基づいて決定される、請求項１１に記載の装置。
【請求項１６】
前記第１の複数のリソースユニットのうちの前記少なくとも１つのリソースユニットは、５２個の使用可能なトーンまたは１０６個の使用可能なトーンを有し、４つのパイロットトーン位置を有し、前記第２のパイロットシーケンスは、前記初期パイロットシーケンス｛１，１，１，−１｝に基づいて決定される、請求項１１に記載の装置。
【請求項１７】
前記第１の複数のリソースユニットのうちの前記少なくとも１つのリソースユニットは、２４２個の使用可能なトーンを有し、８つのパイロットトーン位置を有し、前記第２のパイロットシーケンスは、前記初期パイロットシーケンス｛１，１，１，−１，−１，１，１，１｝に基づいて決定される、請求項１１に記載の装置。
【請求項１８】
前記第１の複数のリソースユニットのうちの前記少なくとも１つのリソースユニットは、４８４個の使用可能なトーンまたは９９６個の使用可能なトーンを有し、１６個のパイロットトーン位置を有し、前記第２のパイロットシーケンスは、前記初期パイロットシーケンス｛１，１，１，−１，−１，１，１，１，１，１，１，−１，−１，１，１，１｝に基づいて決定される、請求項１１に記載の装置。
【請求項１９】
前記第１の複数のリソースユニットのうちの前記少なくとも１つのリソースユニットは、１９９２個の使用可能なトーンと３２個のパイロットトーン位置とを有し、前記第２のパイロットシーケンスは、前記初期パイロットシーケンス｛１，１，１，−１，−１，１，１，１，１，１，１，−１，−１，１，１，１，１，１，１，−１，−１，１，１，１，１，１，１，−１，−１，１，１，１｝に基づいて決定される、請求項１１に記載の装置。
【請求項２０】
パイロット信号の前記第１の集合は、プリアンブルの信号（ＳＩＧ）フィールドの中のシンボルの数に基づいて生成される、請求項１１に記載の装置。
【請求項２１】
局のためのワイヤレス通信の方法であって、
通信のために前記局に割り振られる複数のリソースユニットを示すメッセージを受信することと、
前記受信されたメッセージに基づいて、前記複数のリソースユニットのうちの第１の１つまたは複数のリソースユニットに対するパイロット信号の第１の集合を生成することと、ここにおいて、パイロット信号の前記第１の集合を生成することは、前記複数のリソースユニットのうちの前記第１の１つまたは複数のリソースユニットに関連付けられるパイロットトーン位置を決定することと、前記決定されたパイロットトーン位置に関連付けられる初期パイロットシーケンスを決定することとを備える、
前記受信されたメッセージに基づいて、前記複数のリソースユニットのうちの第２の１つまたは複数のリソースユニットに対するパイロット信号の第２の集合を生成することと、ここにおいて、パイロット信号の前記第２の集合を生成することは、前記初期パイロットシーケンスをシフトすることによって第２のパイロットシーケンスを決定することを備える、
前記第１の１つまたは複数のリソースユニットにおいてデータおよびパイロット信号の前記生成された第１の集合を、および前記第２の１つまたは複数のリソースユニットにおいてパイロット信号の前記生成された第２の集合を、送信することと、
を備え、
前記パイロットトーン位置を決定することは、通信帯域幅と、前記第１の複数のリソースユニットのうちの前記少なくとも１つのリソースユニットの位置とに基づき決定することを備える、方法。
【請求項２２】
前記メッセージは、トーンインデックスの集合、識別子、リソースユニットごとの使用可能なトーンの数を示すリソースユニットサイズ、通信帯域幅、またはデータシンボル情報のうちの少なくとも１つを備える割振り情報を含む、請求項２１に記載の方法。
【請求項２３】
パイロット信号の前記第１の集合を生成することは、
前記決定された初期パイロットシーケンスおよびパイロット極性シーケンスに基づいて、前記決定されたパイロットトーン位置に対するパイロット値を決定することを備える、請求項２１に記載の方法。
【請求項２４】
前記初期パイロットシーケンスをシフトすることは、データシンボルインデックスに基づいて前記初期パイロットシーケンスをシフトすることを備える、請求項２１に記載の方法。
【請求項２５】
前記第２の１つまたは複数のリソースユニットの各リソースユニットは、２６個の使用可能なトーンと２つのパイロットトーン位置とを有し、前記第２のパイロットシーケンスは、前記初期パイロットシーケンス｛１，−１｝に基づいて決定される、請求項２１に記載の方法。
【請求項２６】
前記第２の１つまたは複数のリソースユニットの各リソースユニットは、５２個の使用可能なトーンまたは１０６個の使用可能なトーンを有し、４つのパイロットトーン位置を有し、前記第２のパイロットシーケンスは、前記初期パイロットシーケンス｛１，１，１，−１｝に基づいて決定される、請求項２１に記載の方法。
【請求項２７】
前記第２の１つまたは複数のリソースユニットの各リソースユニットは、２４２個の使用可能なトーンを有し、８つのパイロットトーン位置を有し、前記第２のパイロットシーケンスは、前記初期パイロットシーケンス｛１，１，１，−１，−１，１，１，１｝に基づいて決定される、請求項２１に記載の方法。
【請求項２８】
前記第２の１つまたは複数のリソースユニットの各リソースユニットは、４８４個の使用可能なトーンまたは９９６個の使用可能なトーンを有し、１６個のパイロットトーン位置を有し、前記第２のパイロットシーケンスは、前記初期パイロットシーケンス｛１，１，１，−１，−１，１，１，１，１，１，１，−１，−１，１，１，１｝に基づいて決定される、請求項２１に記載の方法。
【請求項２９】
前記第２の１つまたは複数のリソースユニットの各リソースユニットは、１９９２個の使用可能なトーンと３２個のパイロットトーン位置とを有し、前記第２のパイロットシーケンスは、前記初期パイロットシーケンス｛１，１，１，−１，−１，１，１，１，１，１，１，−１，−１，１，１，１，１，１，１，−１，−１，１，１，１，１，１，１，−１，−１，１，１，１｝に基づいて決定される、請求項２１に記載の方法。
【請求項３０】
パイロット信号の前記生成された第１の集合は、プリアンブルの信号（ＳＩＧ）フィールドの中のシンボルの数に基づく、請求項２１に記載の方法。
【請求項３１】
ワイヤレス通信のための装置であって、前記装置が局であり、
メモリと、
前記メモリに結合される少なくとも１つのプロセッサと、を備え、ここにおいて、前記少なくとも１つのプロセッサは、
通信のために前記局に割り振られる複数のリソースユニットを示すメッセージを受信し、
前記受信されたメッセージに基づいて、前記複数のリソースユニットのうちの第１の１つまたは複数のリソースユニットに対するパイロット信号の第１の集合を生成し、ここにおいて、パイロット信号の前記第１の集合を生成するために、前記少なくとも１つのプロセッサは、前記複数のリソースユニットのうちの前記第１の１つまたは複数のリソースユニットに関連付けられるパイロットトーン位置を決定し、前記決定されたパイロットトーン位置に関連付けられる初期パイロットシーケンスを決定するように構成される、
前記受信されたメッセージに基づいて、前記複数のリソースユニットのうちの第２の１つまたは複数のリソースユニットに対するパイロット信号の第２の集合を生成し、ここにおいて、パイロット信号の前記第２の集合を生成するために、前記少なくとも１つのプロセッサは、前記初期パイロットシーケンスをシフトすることによって第２のパイロットシーケンスを決定するように構成される、
前記第１の１つまたは複数のリソースユニットにおいてデータおよびパイロット信号の前記生成された第１の集合を、および前記第２の１つまたは複数のリソースユニットにおいてパイロット信号の前記生成された第２の集合を、送信する、
ように構成され、
前記パイロットトーン位置を決定することは、通信帯域幅と、前記第１の複数のリソースユニットのうちの前記少なくとも１つのリソースユニットの位置とに基づき決定することを備える、装置。
【請求項３２】
前記メッセージは、トーンインデックスの集合、識別子、リソースユニットごとの使用可能なトーンの数を示すリソースユニットサイズ、通信帯域幅、またはデータシンボル情報のうちの少なくとも１つを備える割振り情報を含む、請求項３１に記載の装置。
【請求項３３】
前記少なくとも１つのプロセッサは、
前記決定された初期パイロットシーケンスおよびパイロット極性シーケンスに基づいて、前記決定されたパイロットトーン位置に対するパイロット値を決定すること、
によって、パイロット信号の前記第１の集合を生成するように構成される、請求項３１に記載の装置。
【請求項３４】
前記初期パイロットシーケンスをシフトすることは、データシンボルインデックスに基づいて前記初期パイロットシーケンスをシフトすることを備える、請求項３１に記載の装置。
【請求項３５】
前記第２の１つまたは複数のリソースユニットの各リソースユニットは、２６個の使用可能なトーンと２つのパイロットトーン位置とを有し、前記第２のパイロットシーケンスは、前記初期パイロットシーケンス｛１，−１｝に基づいて決定される、請求項３１に記載の装置。
【請求項３６】
前記第２の１つまたは複数のリソースユニットの各リソースユニットは、５２個の使用可能なトーンまたは１０６個の使用可能なトーンを有し、４つのパイロットトーン位置を有し、前記第２のパイロットシーケンスは、前記初期パイロットシーケンス｛１，１，１，−１｝に基づいて決定される、請求項３１に記載の装置。
【請求項３７】
前記第２の１つまたは複数のリソースユニットの各リソースユニットは、２４２個の使用可能なトーンを有し、８つのパイロットトーン位置を有し、前記第２のパイロットシーケンスは、前記初期パイロットシーケンス｛１，１，１，−１，−１，１，１，１｝に基づいて決定される、請求項３１に記載の装置。
【請求項３８】
前記第２の１つまたは複数のリソースユニットの各リソースユニットは、４８４個の使用可能なトーンまたは９９６個の使用可能なトーンを有し、１６個のパイロットトーン位置を有し、前記第２のパイロットシーケンスは、前記初期パイロットシーケンス｛１，１，１，−１，−１，１，１，１，１，１，１，−１，−１，１，１，１｝に基づいて決定される、請求項３１に記載の装置。
【請求項３９】
前記第２の１つまたは複数のリソースユニットの各リソースユニットは、１９９２個の使用可能なトーンと３２個のパイロットトーン位置とを有し、前記第２のパイロットシーケンスは、前記初期パイロットシーケンス｛１，１，１，−１，−１，１，１，１，１，１，１，−１，−１，１，１，１，１，１，１，−１，−１，１，１，１，１，１，１，−１，−１，１，１，１｝に基づいて決定される、請求項３１に記載の装置。
【請求項４０】
パイロット信号の前記第１の集合を前記生成することは、プリアンブルの信号（ＳＩＧ）フィールドの中のシンボルの数に基づく、請求項３１に記載の装置。
【請求項４１】
コードを記憶した非一時的コンピュータ可読媒体であって、前記コードは、実行されると、局に、
通信のために前記局に割り振られる複数のリソースユニットを示すメッセージを受信させ、
前記受信されたメッセージに基づいて、前記複数のリソースユニットのうちの第１の１つまたは複数のリソースユニットに対するパイロット信号の第１の集合を生成させ、ここにおいて、前記局に、パイロット信号の前記第１の集合を生成させる前記コードは、実行されると、前記局に、前記複数のリソースユニットのうちの前記第１の１つまたは複数のリソースユニットに関連付けられるパイロットトーン位置を決定させ、前記決定されたパイロットトーン位置に関連付けられる初期パイロットシーケンスを決定させるコードを含む、
前記受信されたメッセージに基づいて、前記複数のリソースユニットのうちの第２の１つまたは複数のリソースユニットに対するパイロット信号の第２の集合を生成させ、ここにおいて、前記局に、パイロット信号の前記第２の集合を生成させる前記コードは、実行されると、前記局に、前記初期パイロットシーケンスをシフトすることによって第２のパイロットシーケンスを決定させるコードを含む、
前記第１の１つまたは複数のリソースユニットにおいてデータおよびパイロット信号の前記生成された第１の集合を、および前記第２の１つまたは複数のリソースユニットにおいてパイロット信号の前記生成された第２の集合を、送信させ、
前記パイロットトーン位置を決定することは、通信帯域幅と、前記第１の複数のリソースユニットのうちの前記少なくとも１つのリソースユニットの位置とに基づき決定することを備える、
非一時的コンピュータ可読媒体。
【発明の詳細な説明】
【技術分野】
【０００１】
関連出願の相互参照
[0001]本出願は、その全体が参照により本明細書に明確に組み込まれる、２０１５年７月３１日に出願された「ＳＩＮＧＬＥ  ＳＴＲＥＡＭ  ＰＩＬＯＴ  ＳＥＱＵＥＮＣＥＳ」と題される米国仮出願第６２／１９９，８７７号、２０１５年１２月８日に出願された「ＳＩＮＧＬＥ  ＳＴＲＥＡＭ  ＰＩＬＯＴ  ＳＥＱＵＥＮＣＥＳ」と題される米国仮出願第６２／２６４，８３３号、２０１６年１月８日に出願された「ＳＩＮＧＬＥ  ＳＴＲＥＡＭ  ＰＩＬＯＴ  ＳＥＱＵＥＮＣＥＳ」と題される米国仮出願第６２／２７６，７３７号、および２０１６年７月１９日に出願された「ＰＩＬＯＴ  ＳＥＱＵＥＮＣＥＳ  ＩＮ  ＤＡＴＡ  ＳＴＲＥＡＭＳ」と題される米国特許出願第１５／２１３，９６７号の利益を主張する。
【０００２】
[0002]本開示は全般に通信システムに関し、より詳細には、ワイヤレスネットワーク内のデータストリームにおいてパイロットシーケンス（たとえば、単一ストリームのパイロットシーケンス）を使用することに関する。
【背景技術】
【０００３】
[0003]多くの電気通信システムでは、いくつかの対話している（interacting）空間的に離れたデバイスの間でメッセージを交換するために、通信ネットワークが使用される。ネットワークは、たとえば、メトロポリタンエリア、ローカルエリア、またはパーソナルエリアであり得る地理的範囲に従って分類されることがある。そのようなネットワークは、それぞれ、ワイドエリアネットワーク（ＷＡＮ）、メトロポリタンエリアネットワーク（ＭＡＮ）、ローカルエリアネットワーク（ＬＡＮ）、ワイヤレスローカルエリアネットワーク（ＷＬＡＮ）、またはパーソナルエリアネットワーク（ＰＡＮ）として指定されるであろう。ネットワークはまた、様々なネットワークノードとデバイスとを相互接続するために使用されるスイッチング／ルーティング技法（たとえば、回線交換対パケット交換）、送信のために利用される物理媒体のタイプ（たとえば、有線対ワイヤレス）、および使用される通信プロトコルの集合（set）（たとえば、インターネットプロトコルスイート、同期光ネットワーキング（ＳＯＮＥＴ）、イーサネット（登録商標）など）によって異なる。
【０００４】
[0004]ワイヤレスネットワークは、しばしば、ネットワーク要素がモバイルであり、したがって動的な接続性を必要とするときに、またはネットワークアーキテクチャが、固定ではなくアドホックなトポロジーで形成される場合に好適である。ワイヤレスネットワークは、無線、マイクロ波、赤外線、光などの周波数帯域の中の電磁波を使用する非誘導伝搬モード（unguided propagation mode）では、無形物理媒体（intangible physical media）を利用する。ワイヤレスネットワークは、有利には、固定有線ネットワークと比較すると、ユーザモビリティと迅速なフィールド展開とを容易にする。
【発明の概要】
【０００５】
[0005]本発明のシステム、方法、コンピュータ可読媒体、およびデバイスは、それぞれいくつかの態様を有し、それらのうちの単一の態様が、単独で、本発明の望ましい属性を担当するとは限らない。ここで、以下の特許請求の範囲によって表される本発明の範囲を限定することなく、いくつかの特徴が簡単に論じられる。この説明を考慮した後で、特に「詳細な説明」と題されるセクションを読んだ後で、本発明の特徴が、ワイヤレスネットワークの中のデバイスに利点をどのようにもたらすかが理解されよう。
【０００６】
[0006]本開示の一態様は、ワイヤレス通信のためのワイヤレスデバイス（たとえば、アクセスポイント）を提供する。ワイヤレスデバイスは、通信のための複数のリソースユニットを決定するように構成される。ワイヤレスデバイスは、複数のリソースユニットのうちの少なくとも１つのリソースユニットにおいてパイロット信号の集合を生成するように構成される。ワイヤレスデバイスは、複数のリソースユニットのうちの少なくとも１つのリソースユニットにおいてパイロット信号の生成された集合を送信するように構成される。
【０００７】
[0007]ある態様では、アクセスポイントのためのワイヤレス通信の方法が提供される。方法は、通信のための複数のリソースユニットを決定することと、複数のリソースユニットのうちの少なくとも１つのリソースユニットにおいてパイロット信号の集合（set）を生成することと、複数のリソースユニットのうちの少なくとも１つのリソースユニットにおいてパイロット信号の生成された集合を送信することとを含み得る。一構成では、通信のための複数のリソースユニットを決定することは、通信帯域幅を決定することと、決定された通信帯域幅に基づいてリソースユニットごとの使用可能なトーンの数を決定することとを含み得る。別の構成では、少なくとも１つのリソースユニットにおいてパイロット信号の集合を生成することは、少なくとも１つのリソースユニットと関連付けられるパイロットトーン位置（pilot tone locations）を決定することと、決定されたパイロットトーン位置と関連付けられるパイロットシーケンスを決定することと、決定されたパイロットシーケンスおよびパイロット極性シーケンス（pilot polarity sequence）に基づいて、決定されたパイロットトーン位置に対するパイロット値を決定することとを含み得る。ある態様では、パイロットシーケンスは、データシンボルインデックスに基づいて初期パイロットシーケンスをシフトすることによって決定され得る。別の態様では、複数のリソースユニットのうちの少なくとも１つのリソースユニットは、２６個の使用可能なトーンと２つのパイロットトーン位置とを有することがあり、パイロットシーケンスは、初期パイロットシーケンス｛１，−１｝に基づいて決定されることがある。別の態様では、複数のリソースユニットのうちの少なくとも１つのリソースユニットは、５２個の使用可能なトーンまたは１０６個の使用可能なトーンを有することがあり、４つのパイロットトーン位置を有することがあり、パイロットシーケンスは、初期パイロットシーケンス｛１，１，１，−１｝に基づいて決定されることがある。別の態様では、複数のリソースユニットのうちの少なくとも１つのリソースユニットは、２４２個の使用可能なトーンを有することがあり、８つのパイロットトーン位置を有することがあり、パイロットシーケンスは、初期パイロットシーケンス｛１，１，１，−１，−１，１，１，１｝に基づいて決定されることがある。別の態様では、複数のリソースユニットのうちの少なくとも１つのリソースユニットは、４８４個の使用可能なトーンまたは９９６個の使用可能なトーンを有することがあり、１６個のパイロットトーン位置を有することがあり、パイロットシーケンスは、初期パイロットシーケンス｛１，１，１，−１，−１，１，１，１，１，１，１，−１，−１，１，１，１｝に基づいて決定されることがある。別の態様では、複数のリソースユニットのうちの少なくとも１つのリソースユニットは、１９９２個の使用可能なトーンと３２個のパイロットトーン位置を有することがあり、パイロットシーケンスは、初期パイロットシーケンス｛１，１，１，−１，−１，１，１，１，１，１，１，−１，−１，１，１，１，１，１，１，−１，−１，１，１，１，１，１，１，−１，−１，１，１，１｝に基づいて決定されること��ある。別の構成では、パイロット信号の生成された集合は、プリアンブルの信号（ＳＩＧ）フィールドの中のシンボルの数に基づき得る。別の構成では、パイロットシーケンスを決定することは、通信帯域幅を決定することと、決定された通信帯域幅と関連付けられる基本パイロットシーケンス（base pilot sequence）を決定することと、少なくとも１つのリソースユニットにおいて使用可能なトーンの数を決定することと、通信帯域幅、決定された基本パイロットシーケンス、および使用可能なトーンの決定された数に基づいて初期パイロットシーケンスを決定することとを含み得る。別の態様では、少なくとも１つのリソースユニットにおけるパイロット信号の生成された集合は、通信帯域幅、決定されたパイロットトーン位置、および決定されたパイロット値に基づき得る。別の態様では、通信帯域幅は２０メガヘルツ（ＭＨｚ）であることがあり、決定された基本パイロットシーケンスは、第１の基本パイロットシーケンス｛１，１，１，−１，１，１，−１，−１，１，１，−１，１，−１，１，１，１，１，−１｝または第２の基本パイロットシーケンス｛１，−１，−１，−１，−１，１，−１，１，−１，−１，１，１，−１，−１，１，−１，−１，−１｝であり得る。別の態様では、通信帯域幅は４０ＭＨｚであることがあり、決定された基本パイロットシーケンスは、第１の基本パイロットシーケンス｛１，−１，１，−１，−１，１，−１，１，−１，１，−１，−１，−１，１，−１，１，１，１，１，−１，−１，−１，−１，−１，−１，１，−１，−１，−１，−１，１，１，−１，−１，１，１｝または第２の基本パイロットシーケンス｛１，１，−１，−１，１，１，−１，−１，−１，−１，１，−１，−１，−１，−１，−１，−１，１，１，１，１，−１，１，−１，−１，−１，１，−１，１，−１，１，−１，−１，１，−１，１｝であり得る。別の態様では、通信帯域幅は８０ＭＨｚであることがあり、決定された基本パイロットシーケンスは、第１の基本パイロットシーケンス｛−１，１，１，１，−１，−１，１，１，−１，−１，１，−１，１，−１，１，１，−１，１，−１，１，１，１，１，１，−１，−１，１，１，１，１，１，−１，１，−１，−１，−１，１，−１，１，−１，１，−１，−１，−１，−１，−１，１，−１，−１，１，１，−１，１，１，−１，−１，１，−１，１，１，−１，１，−１，１，−１，−１，−１，−１，１，１，−１，−１，−１，１｝または第２の基本パイロットシーケンス｛−１，１，１，１，１，−１，−１，１，１，１，−１，−１，−１，１，１，−１，１，−１，１，１，−１，−１，１，−１，−１，１，１，−１，１，１，１，１，１，−１，１，−１，１，−１，１，１，１，１，−１，−１，−１，−１，−１，−１，１，−１，−１，−１，−１，−１，１，１，−１，１，−１，−１，−１，−１，１，−１，１，１，−１，−１，１，−１，１，−１，−１，１｝であり得る。別の態様では、通信帯域幅は１６０ＭＨｚであることがあり、決定された基本パイロットシーケンスは、第１の基本パイロットシーケンス｛−１，１，１，１，−１，−１，１，１，−１，−１，１，−１，１，−１，１，１���−１，１，−１，１，１，１，１，１，−１，−１，１，１，１，１，１，−１，１，−１，−１，−１，１，−１，１，−１，１，−１，−１，−１，−１，−１，１，−１，−１，１，１，−１，１，１，−１，−１，１，−１，１，１，−１，１，−１，１，−１，−１，−１，−１，１，１，−１，−１，−１，１，−１，１，１，１，−１，−１，１，１，−１，−１，１，−１，１，−１，１，１，−１，１，−１，１，１，１，１，１，−１，−１，１，１，１，１，１，−１，１，−１，−１，−１，１，−１，１，−１，１，−１，−１，−１，−１，−１，１，−１，−１，１，１，−１，１，１，−１，−１，１，−１，１，１，−１，１，−１，１，−１，−１，−１，−１，１，１，−１，−１，−１，１｝または第２の基本パイロットシーケンス｛−１，１，１，１，１，−１，−１，１，１，１，−１，−１，−１，１，１，−１，１，−１，１，１，−１，−１，１，−１，−１，１，１，−１，１，１，１，１，１，−１，１，−１，１，−１，１，１，１，１，−１，−１，−１，−１，−１，−１，１，−１，−１，−１，−１，−１，１，１，−１，１，−１，−１，−１，−１，１，−１，１，１，−１，−１，１，−１，１，−１，−１，１，−１，１，１，１，１，−１，−１，１，１，１，−１，−１，−１，１，１，−１，１，−１，１，１，−１，−１，１，−１，−１，１，１，−１，１，１，１，１，１，−１，１，−１，１，−１，１，１，１，１，−１，−１，−１，−１，−１，−１，１，−１，−１，−１，−１，−１，１，１，−１，１，−１，−１，−１，−１，１，−１，１，１，−１，−１，１，−１，１，−１，−１，１｝であり得る。別の態様では、初期パイロットシーケンスは、少なくとも１つのリソースユニットと関連付けられる名目トーンインデックス（nominal tone indices）の集合に基づいて決定され得る。別の態様では、パイロットシーケンスは、データシンボルインデックスに基づいて、決定された初期パイロットシーケンスをシフトすることによって決定され得る。別の態様では、複数のリソースユニットの各リソースユニットは２６個の使用可能なトーンを有する。この態様では、複数のリソースユニットと関連付けられる通信帯域幅は２０ＭＨｚであることがあり、複数のリソースユニットは、複数のパイロットトーン位置の集合｛（−１１６，−１０２），（−９０，−７６），（−６２，−４８），（−３６，−２２），（−１０，１０），（２２，３６），（４８，６２），（７６，９０），（１０２，１１６）｝と関連付けられることがある。別の態様では、複数のリソースユニットの各リソースユニットは２６個の使用可能なトーンを有することがあり、複数のリソースユニットと関連付けられる通信帯域幅は４０ＭＨｚであることがあり、複数のリソースユニットは、複数のパイロットトーン位置の集合｛（−２３８，−２２４），（−２１２，−１９８），（−１８４，−１７０），（−１５８，−１４４），（−１３０，−１１６），（−１０４，−９０），（−７８，−６４），（−５０，−３６），（−２４，−１０），（１０，２４），（３６，５０），（６４，７８），（９０，１０４），（１１６，１３��），（１４４，１５８），（１７０，１８４），（１９８，２１２），（２２４，２３８）｝と関連付けられることがある。別の態様では、複数のリソースユニットの各リソースユニットは２６個の使用可能なトーンを有し、複数のリソースユニットと関連付けられる通信帯域幅は８０ＭＨｚであることがあり、複数のリソースユニットは、複数のパイロットトーン位置の集合｛（−４９４，−４８０），（−４６８，−４５４），（−４４０，−４２６），（−４１４，−４００），（−３８６，−３７２），（−３６０，−３４６），（−３３４，−３２０），（−３０６，−２９２），（−２８０，−２６６），（−２５２，−２３８），（−２２６，−２１２），（−１９８，−１８４），（−１７２，−１５８），（−１４４，−１３０），（−１１８，−１０４），（−９２，−７８），（−６４，−５０），（−３８，−２４），（−１０，１０），（２４，３８），（５０，６４），（７８，９２），（１０４，１１８），（１３０，１４４），（１５８，１７２），（１８４，１９８），（２１２，２２６），（２３８，２５２），（２６６，２８０），（２９２，３０６），（３２０，３３４），（３４６，３６０），（３７２，３８６），（４００，４１４），（４２６，４４０），（４５４，４６８），（４８０，４９４）｝と関連付けられることがある。
別の態様では、複数のリソースユニットの各リソースユニットは２６個の使用可能なトーンを有することがあり、複数のリソースユニットと関連付けられる通信帯域幅は１６０ＭＨｚであることがあり、複数のリソースユニットは第１の複数のパイロットトーン位置の集合および第２の複数のパイロットトーン位置の集合と関連付けられることがあり、第１の複数のパイロットトーン位置の集合は−５１２という第１のオフセットによって調整された初期の複数のパイロットトーン位置の集合に基づくことがあり、第２の複数のパイロットトーンの集合は５１２という第２のオフセットによって調整された初期の複数のパイロットトーン位置の集合に基づくことがあり、初期の複数のパイロットトーン位置の集合は、｛（−４９４，−４８０），（−４６８，−４５４），（−４４０，−４２６），（−４１４，−４００），（−３８６，−３７２），（−３６０，−３４６），（−３３４，−３２０），（−３０６，−２９２），（−２８０，−２６６），（−２５２，−２３８），（−２２６，−２１２），（−１９８，−１８４），（−１７２，−１５８），（−１４４，−１３０），（−１１８，−１０４），（−９２，−７８），（−６４，−５０），（−３８，−２４），（−１０，１０），（２４，３８），（５０，６４），（７８，９２），（１０４，１１８），（１３０，１４４），（１５８，１７２），（１８４，１９８），（２１２，２２６），（２３８，２５２），（２６６，２８０），（２９２，３０６），（３２０，３３４），（３４６，３６０），（３７２，３８６），（４００，４１４），（４２６，４４０），（４５４，４６８），（４８０，４９４）｝であることがある。別の態様では、複数のリソースユニットの各リソースユニットは５２個の使用可能なトーンを有することがあり、複数のリソースユニットと関連付けられる通信帯域幅は２０ＭＨｚであることがあり、複数のリソースユニットは、複数のパイロットトーン位置の集合｛（−１１６，−１０２，−９０，−７６），（−６２，−４８，−３６，−２２），（２２，３６，４８，６２），（７６，９０，１０２，１１６）｝と関連付けられることがある。別の態様では、複数のリソースユニットの各リソースユニットは５２個の使用可能なトーンを有することがあり、複数のリソースユニットと関連付けられる通信帯域幅は４０ＭＨｚであることがあり、複数のリソースユニットは、複数のパイロットトーン位置の集合｛（−２３８，−２２４，−２１２，−１９８），（−１８４，−１７０，−１５８，−１４４），（−１０４，−９０，−７８，−６４），（−５０，−３６，−２４，−１０），（１０，２４，３６，５０），（６４，７８，９０，１０４），（１４４，１５８，１７０，１８４），（１９８，２１２，２２４，２３８）｝と関連付けられることがある。別の態様では、複数のリソースユニットの各リソースユニットは５２個の使用可能なトーンを有することがあり、複数のリソースユニットと関連付けられる通信帯域幅は８０ＭＨｚであることがあり、複数のリソースユニットは、複数のパイロットトーン位置の集合｛（−４９４，−４８０，−４６８，−４５４），（−４４０，−４２６，−４１４，−４００），（−３６０，−３４６，−３３４，−３２０），（−３０６，−２９２，−２８０，−２６６），（−２５２，−２３８，−２２６，−２１２），（−１９８，−１８４，−１７２，−１５８），（−１１８，−１０４，−９２，−７８），（−６４，−５０，−３８，−２４），（２４，３８，５０，６４），（７８，９２，１０４，１１８），（１５８，１７２，１８４，１９８），（２１２，２２６，２３８，２５２），（２６６，２８０，２９２，３０６），（３２０，３３４，３４６，３６０），（４００，４１４，４２６，４４０），（４５４，４６８，４８０，４９４）｝と関連付けられることがある。別の態様では、複数のリソースユニットの各リソースユニットは５２個の使用可能なトーンを有することがあり、複数のリソースユニットと関連付けられる通信帯域幅は１６０ＭＨｚであることがあり、複数のリソースユニットは第１の複数のパイロットトーン位置の集合および第２の複数のパイロットトーン位置の集合と関連付けられることがあり、第１の複数のパイロットトーン位置の集合は−５１２という第１のオフセットによって調整された初期の複数のパイロットトーン位置の集合に基づくことがあり、第２の複数のパイロットトーンの集合は５１２という第２のオフセットによって調整された初期の複数のパイロットトーン位置の集合に基づくことがあり、初期の複数のパイロットトーン位置の集合は、｛（−４９４，−４８０，−４６８，−４５４），（−４４０，−４２６，−４１４，−４００），（−３６０，−３４６，−３３４，−３２０），（−３０６，−２９２，−２８０，−２６６），（−２５２，−２３８，−２２６，−２１２），（−１９８，−１８４，−１７２，−１５８），（−１１８，−１０４，−９２，−７８），（−６４，−５０，−３８，−２４），（２４，３８，５０，６４），（７８，９２，１０４，１１８），（１５８，１７２，１８４，１９８），（２１２，２２６，２３８，２５２），（２６６，２８０，２９２，３０６），（３２０，３３４，３４６，３６０），（４００，４１４，４２６，４４０），（４５４，４６８，４８０，４９４）｝であることがある。別の態様では、複数のリソースユニットの各リソースユニットは１０６個の使用可能なトーンを有することがあり、複数のリソースユニットと関連付けられる通信帯域幅は２０ＭＨｚであることがあり、複数のリソースユニットは、複数のパイロットトーン位置の集合｛（−１１６，−９０，−４８，−２２），（２２，４８，９０，１１６）｝と関連付けられることがある。別の態様では、複数のリソースユニットの各リソースユニットは１０６個の使用可能なトーンを有することがあり、複数のリソースユニットと関連付けられる通信帯域幅は４０ＭＨｚであることがあり、複数のリソースユニットは、複数のパイロットトーン位置の集合｛（−２３８，−２１２，−１７０，−１４４），（−１０４，−７８，−３６，−１０），（１０，３６，７８，１０４），（１４４，１７０，２１２，２３８）｝と関連付けられることがある。別の態様では、複数のリソースユニットの各リソースユニットは１０６個の使用可能なトーンを有することがあり、複数のリソースユニットと関連付けられる通信帯域幅は８０ＭＨｚであることがあり、複数のリソースユニットは、複数のパイロットトーン位置の集合｛（−４９４，−４６８，−４２６，−４００），（−３６０，−３３４，−２９２，−２６６），（−２５２，−２２６，−１８４，−１５８），（−１１８，−９２，−５０，−２４），（２４，５０，９２，１１８），（１５８，１８４，２２６，２５２），（２６６，２９２，３３４，３６０），（４００，４２６，４６８，４９４）｝と関連付けられることがある。別の態様では、複数のリソースユニットの各リソースユニットは１０６個の使用可能なトーンを有することがあり、複数のリソースユニットと関連付けられる通信帯域幅は１６０ＭＨｚであることがあり、複数のリソースユニットは第１の複数のパイロットトーン位置の集合および第２の複数のパイロットトーン位置の集合と関連付けられることがあり、第１の複数のパイロットトーン位置の集合は−５１２という第１のオフセットによって調整された初期の複数のパイロットトーン位置の集合に基づくことがあり、第２の複数のパイロットトーンの集合は５１２という第２のオフセットによって調整された初期の複数のパイロットトーン位置の集合に基づくことがあり、初期の複数のパイロットトーン位置の集合は、｛（−４９４，−４６８，−４２６，−４００），（−３６０，−３３４，−２９２，−２６６），（−２５２，−２２６，−１８４，−１５８），（−１１８，−９２，−５０，−２４），（２４，５０，９２，１１８），（１５８，１８４，２２６，２５２），（２６６，２９２，３３４，３６０），（４００，４２６，４６８，４９４）｝であることがある。別の態様では、複数のリソースユニットの各リソースユニットは２４２個の使用可能なトーンを有することがあり、複数のリソースユニットと関連付けられる通信帯域幅は２０ＭＨｚであることがあり、複数のリソースユニットは、パイロットトーン位置の集合｛（−１１６，−９０，−４８，−２２，２２，４８，９０，１１６）｝と関連付けられるリソースユニットを含むことがある。別の態様では、複数のリソースユニットの各リソースユニットは２４２個の使用可能なトーンを有することがあり、複数のリソースユニットと関連付けられる通信帯域幅は４０ＭＨｚであることがあり、複数のリソースユニットは、複数のパイロットトーン位置の集合｛（−２３８，−２１２，−１７０，−１４４，−１０４，−７８，−３６，−１０），（１０，３６，７８，１０４，１４４，１７０，２１２，２３８）｝と関連付けられることがある。別の態様では、複数のリソースユニットの各リソースユニットは２４２個の使用可能なトーンを有することがあり、複数のリソースユニットと関連付けられる通信帯域幅は８０ＭＨｚであることがあり、複数のリソースユニットは、複数のパイロットトーン位置の集合｛（−４９４，−４６８，−４２６，−４００，−３６０，−３３４，−２９２，−２６６），（−２５２，−２２６，−１８４，−１５８，−１１８，−９２，−５０，−２４），（２４，５０，９２，１１８，１５８，１８４，２２６，２５２），（２６６，２９２，３３４，３６０，４００，４２６，４６８，４９４）｝と関連付けられることがある。別の態様では、複数のリソースユニットの各リソースユニットは２４２個の使用可能なトーンを有することがあり、複数のリソースユニットと関連付けられる通信帯域幅は１６０ＭＨｚであることがあり、複数のリソースユニットは第１の複数のパイロットトーン位置の集合および第２の複数のパイロットトーン位置の集合と関連付けられることがあり、第１の複数のパイロットトーン位置の集合は−５１２という第１のオフセットによって調整された初期の複数のパイロットトーン位置の集合に基づくことがあり、第２の複数のパイロットトーンの集合は５１２という第２のオフセットによって調整された初期の複数のパイロットトーン位置の集合に基づくことがあり、初期の複数のパイロットトーン位置の集合は、｛（−４９４，−４６８，−４２６，−４００，−３６０，−３３４，−２９２，−２６６），（−２５２，−２２６，−１８４，−１５８，−１１８，−９２，−５０，−２４），（２４，５０，９２，１１８，１５８，１８４，２２６，２５２），（２６６，２９２，３３４，３６０，４００，４２６，４６８，４９４）｝であることがある。別の態様では、複数のリソースユニットの各リソースユニットは４８４個の使用可能なトーンを有することがあり、複数のリソースユニットと関連付けられる通信帯域幅は４０ＭＨｚであることがあり、複数のリソースユニットは、パイロットトーン位置の集合｛（−２３８，−２１２，−１７０，−１４４，−１０４，−７８，−３６，−１０，１０，３６，７８，１０４，１４４，１７０，２１２，２３８）｝と関連付けられるリソースユニットを含むことがある。  
別の態様では、複数のリソースユニットの各リソースユニットは４８４個の使用可能なトーンを有することがあり、複数のリソースユニットと関連付けられる通信帯域幅は８０ＭＨｚであることがあり、複数のリソースユニットは、複数のパイロットトーン位置の集合｛（−４９４，−４６８，−４２６，−４００，−３６０，−３３４，−２９２，−２６６，−２５２，−２２６，−１８４，−１５８，−１１８，−９２，−５０，−２４），（２４，５０，９２，１１８，１５８，１８４，２２６，２５２，２６６，２９２，３３４，３６０，４００，４２６，４６８，４９４）｝と関連付けられることがある。別の態様では、複数のリソースユニットの各リソースユニットは４８４個の使用可能なトーンを有することがあり、複数のリソースユニットと関連付けられる通信帯域幅は１６０ＭＨｚであることがあり、複数のリソースユニットは第１の複数のパイロットトーン位置の集合および第２の複数のパイロットトーン位置の集合と関連付けられることがあり、第１の複数のパイロットトーン位置の集合は−５１２という第１のオフセットによって調整された初期の複数のパイロットトーン位置の集合に基づくことがあり、第２の複数のパイロットトーンの集合は５１２という第２のオフセットによって調整された初期の複数のパイロットトーン位置の集合に基づくことがあり、初期の複数のパイロットトーン位置の集合は、｛（−４９４，−４６８，−４２６，−４００，−３６０，−３３４，−２９２，−２６６，−２５２，−２２６，−１８４，−１５８，−１１８，−９２，−５０，−２４），（２４，５０，９２，１１８，１５８，１８４，２２６，２５２，２６６，２９２，３３４，３６０，４００，４２６，４６８，４９４）｝であることがある。別の態様では、複数のリソースユニットの各リソースユニットは９９６個の使用可能なトーンを有することがあり、複数のリソースユニットと関連付けられる通信帯域幅は８０ＭＨｚであることがあり、複数のリソースユニットは、パイロットトーン位置の集合｛（−４６８，−４００，−３３４，−２６６，−２２６，−１５８，−９２，−２４，２４，９２，１５８，２２６，２６６，３３４，４００，４６８）｝と関連付けられるリソースユニットを含むことがある。別の態様では、複数のリソースユニットの各リソースユニットは９９６個の使用可能なトーンを有することがあり、複数のリソースユニットと関連付けられる通信帯域幅は１６０ＭＨｚであることがあり、複数のリソースユニットは第１の複数のパイロットトーン位置の集合および第２の複数のパイロットトーン位置の集合と関連付けられることがあり、第１の複数のパイロットトーン位置の集合は−５１２という第１のオフセットによって調整された初期の複数のパイロットトーン位置の集合に基づくことがあり、第２の複数のパイロットトーンの集合は５１２という第２のオフセットによって調整された初期の複数のパイロットトーン位置の集合に基づくことがあり、初期の複数のパイロットトーン位置の集合は、｛（−４６８，−４００，−３３４，−２６６，−２２６，−１５８，−９２，−２４，２４，９２，１５８，２２６，２６６，３３４，４００，４６８）｝であることがある。別の態様では、複数のリソースユニットの各リソースユニットは１９９２個の使用可能なトーンを有することがあり、複数のリソースユニットと関連付けられる通信帯域幅は１６０ＭＨｚであることがあり、複数のリソースユニットは、パイロットトーン位置の集合｛（−９８０，−９１２，−８４６，−７７８，−７３８，−６７０，−６０４，−５３６，−４８８，−４２０，−３５４，−２８６，−２４６，−１７８，−１１２，−４４，４４，１１２，１７８，２４６，２８６，３５４，４２０，４８８，５３６，６０４，６７０，７３８，７７８，８４６，９１２，９８０）｝と関連付けられるリソースユニットを含むことがある。別の構成では、方法は、複数のリソースユニットのうちの１つまたは複数のリソースユニットを少なくとも１つのワイヤレスデバイスに割り振ることと、割り振られた１つまたは複数のリソースユニットと関連付けられる割振り情報（allocation information）を少なくとも１つのワイヤレスデバイスに送信することとを含み得る。一態様では、割振り情報は、トーンインデックスの集合、識別子、リソースユニットごとの使用可能なトーンの数を示すリソースユニットサイズ、通信帯域幅、またはデータシンボル情報のうちの少なくとも１つを含み得る。別の態様では、複数のリソースユニットの各リソースユニットは、使用可能なトーン、５２個の使用可能なトーン、１０６個の使用可能なトーン、２４２個の使用可能なトーン、４８４個の使用可能なトーン、９９６個の使用可能なトーン、または１９９２個の使用可能なトーンを有し得る。
【０００８】
[0008]別の態様では、ワイヤレス通信のための装置が提供される。装置は、メモリと少なくとも１つのプロセッサとを含み得る。少なくとも１つのプロセッサは、通信のための複数のリソースユニットを決定し、複数のリソースユニットのうちの少なくとも１つのリソースユニットにおいてパイロット信号の集合を生成し、複数のリソースユニットのうちの少なくとも１つのリソースユニットにおいてパイロット信号の生成された集合を送信するように構成され得る。一構成では、少なくとも１つのプロセッサは、通信帯域幅を決定することによって、および、決定された通信帯域幅に基づいてリソースユニットごとの使用可能なトーンの数を決定することによって、通信のための複数のリソースユニットを決定するように構成され得る。別の構成では、少なくとも１つのプロセッサは、少なくとも１つのリソースユニットと関連付けられるパイロットトーン位置を決定することによって、決定されたパイロットトーン位置と関連付けられるパイロットシーケンスを決定することによって、および、決定されたパイロットシーケンスとパイロット極性シーケンスとに基づいて、決定されたパイロットトーン位置に対するパイロット値を決定することによって、少なくとも１つのリソースユニットにおいてパイロット信号の集合を生成するように構成され得る。ある態様では、パイロットシーケンスは、データシンボルインデックスに基づいて初期パイロットシーケンスをシフトすることによって決定され得る。別の態様では、複数のリソースユニットのうちの少なくとも１つのリソースユニットは、２６個の使用可能なトーンと２つのパイロットトーン位置とを有することがあり、パイロットシーケンスは、初期パイロットシーケンス｛１，−１｝に基づいて決定されることがある。別の態様では、複数のリソースユニットのうちの少なくとも１つのリソースユニットは、５２個の使用可能なトーンまたは１０６個の使用可能なトーンを有することがあり、４つのパイロットトーン位置を有することがあり、パイロットシーケンスは、初期パイロットシーケンス｛１，１，１，−１｝に基づいて決定されることがある。別の態様では、複数のリソースユニットのうちの少なくとも１つのリソースユニットは、２４２個の使用可能なトーンを有することがあり、８つのパイロットトーン位置を有することがあり、パイロットシーケンスは、初期パイロットシーケンス｛１，１，１，−１，−１，１，１，１｝に基づいて決定されることがある。別の態様では、複数のリソースユニットのうちの少なくとも１つのリソースユニットは、４８４個の使用可能なトーンまたは９９６個の使用可能なトーンを有することがあり、１６個のパイロットトーン位置を有することがあり、パイロットシーケンスは、初期パイロットシーケンス｛１，１，１，−１，−１，１，１，１，１，１，１，−１，−１，１，１，１｝に基づいて決定されることがある。別の態様では、複数のリソースユニットのうちの少なくとも１つのリソースユニットは、１９９２個の使用可能なトーンと３２個のパイロットトーン位置を有することがあり、パイロットシーケンスは、初期パイロットシーケンス｛１，１，１，−１，−１，１，１，１，１，１，１，−１，−１，１，１，１，１，１，１，−１，−１，１，１，１，１，１，１，−１，−１，１，１，１｝に基づいて決定されることがある。別の構成では、パイロット信号の生成された集合は、プリアンブルのＳＩＧフィールドの中のシンボルの数に基づき得る。別の構成では、少なくとも１つのプロセッサは、通信帯域幅を決定することによって、決定された通信帯域幅と関連付けられる基本パイロットシーケンスを決定することによって、少なくとも１つのリソースユニットにおいて使用可能なトーンの数を決定することによって、ならびに、通信帯域幅、決定された基本パイロットシーケンス、および使用可能なトーンの決定された数に基づいて初期パイロットシーケンスを決定することによって、パイロットシーケンスを決定するように構成され得る。別の態様では、少なくとも１つのリソースユニットにおけるパイロット信号の生成された集合は、通信帯域幅、決定されたパイロットトーン位置、および決定されたパイロット値に基づき得る。別の態様では、通信帯域幅は２０ＭＨｚであることがあり、決定された基本パイロットシーケンスは、第１の基本パイロットシーケンス｛１，１，１，−１，１，１，−１，−１，１，１，−１，１，−１，１，１，１，１，−１｝または第２の基本パイロットシーケンス｛１，−１，−１，−１，−１，１，−１，１，−１，−１，１，１，−１，−１，１，−１，−１，−１｝であり得る。別の態様では、通信帯域幅は４０ＭＨｚであることがあり、決定された基本パイロットシーケンスは、第１の基本パイロットシーケンス｛１，−１，１，−１，−１，１，−１，１，−１，１，−１，−１，−１，１，−１，１，１，１，１，−１，−１，−１，−１，−１，−１，１，−１，−１，−１，−１，１，１，−１，−１，１，１｝または第２の基本パイロットシーケンス｛１，１，−１，−１，１，１，−１，−１，−１，−１，１，−１，−１，−１，−１，−１，−１，１，１，１，１，−１，１，−１，−１，−１，１，−１，１，−１，１，−１，−１，１，−１，１｝であり得る。別の態様では、通信帯域幅は８０ＭＨｚであることがあり、決定された基本パイロットシーケンスは、第１の基本パイロットシーケンス｛−１，１，１，１，−１，−１，１，１，−１，−１，１，−１，１，−１，１，１，−１，１，−１，１，１，１，１，１，−１，−１，１，１，１，１，１，−１，１，−１，−１，−１，１，−１，１，−１，１，−１，−１，−１，−１，−１，１，−１，−１，１，１，−１，１，１，−１，−１，１，−１，１，１，−１，１，−１，１，−１，−１，−１，−１，１，１，−１，−１，−１，１｝または第２の基本パイロットシーケンス｛−１，１，１，１，１，−１，−１，１，１，１，−１，−１，−１，１，１，−１，１，−１，１，１，−１，−１，１，−１，−１，１，１，−１，１，１，１，１，１，−１，１，−１，１，−１，１，１，１，１，−１，−１，−１，−１，−１，−１，１，−１，−１，−１，−１，−１，１，１，−１，１，−１，−１，−１，−１，１，−１，１，１，−１，−１，１，−１，１，−１，−１，１｝であり得る。別の態様では、通信帯域幅は１６０ＭＨｚであることがあり、決定された基本パイロットシーケンスは、第１の基本パイロットシーケンス｛−１，１，１，１，−１，−１，１，１，−１，−１，１，−１，１，−１，１，１，−１，１，−１，１，１，１，１，１，−１，−１，１，１，１，１，１，−１，１，−１，−１，−１，１，−１，１，−１，１，−１，−１，−１，−１，−１，１，−１，−１，１，１，−１，１，１，−１，−１，１，−１，１，１，−１，１，−１，１，−１，−１，−１，−１，１，１，−１，−１，−１，１，−１，１，１，１，−１，−１，１，１，−１，−１，１，−１，１，−１，１，１，−１，１，−１，１，１，１，１，１，−１，−１，１，１，１，１，１，−１，１，−１，−１，−１，１，−１，１，−１，１，−１，−１，−１，−１，−１，１，−１，−１，１，１，−１，１，１，−１，−１，１，−１，１，１，−１，１，−１，１，−１，−１，−１，−１，１，１，−１，−１，−１，１｝または第２の基本パイロットシーケンス｛−１，１，１，１，１，−１，−１，１，１，１，−１，−１，−１，１，１，−１，１，−１，１，１，−１，−１，１，−１，−１，１，１，−１，１，１，１，１，１，−１，１，−１，１，−１，１，１，１，１，−１，−１，−１，−１，−１，−１，１，−１，−１，−１，−１，−１，１，１，−１，１，−１，−１，−１，−１，１，−１，１，１，−１，−１，１，−１，１，−１，−１，１，−１，１，１，１，１，−１，−１，１，１，１，−１，−１，−１，１，１，−１，１，−１，１，１，−１，−１，１，−１，−１，１，１，−１，１，１，１，１，１，−１，１，−１，１，−１，１，１，１，１，−１，−１，−１，−１，−１，−１，１，−１，−１，−１，−１，−１，１，１，−１，１，−１，−１，−１，−１，１，−１，１，１，−１，−１，１，−１，１，−１，−１，１｝であり得る。別の態様では、初期パイロットシーケンスは、少なくとも１つのリソースユニットと関連付けられる名目トーンインデックスの集合に基づいて決定され得る。別の態様では、パイロットシーケンスは、データシンボルインデックスに基づいて、決定された初期パイロットシーケンスをシフトすることによって決定され得る。別の態様では、複数のリソースユニットの各リソースユニットは２６個の使用可能なトーンを有する。この態様では、複数のリソースユニットと関連付けられる通信帯域幅は２０ＭＨｚであることがあり、複数のリソースユニットは、複数のパイロットトーン位置の集合｛（−１１６，−１０２），（−９０，−７６），（−６２，−４８），（−３６，−２２），（−１０，１０），（２２，３６），（４８，６２），（７６，９０），（１０２，１１６）｝と関連付けられることがある。別の態様では、複数のリソースユニットの各リソースユニットは２６個の使用可能なトーンを有することがあり、複数のリソースユニットと関連付けられる通信帯域幅は４０ＭＨｚであることがあり、複数のリソースユニットは、複数のパイロットトーン位置の集合｛（−２３８，−２２４），（−２１２，−１９８），（−１８４，−１７０），（−１５８，−１４４），（−１３０，−１１６），（−１０４，−９０），（−７８，−６４），（−５０，−３６），（−２４，−１０），（１０，２４），（３６，５０），（６４，７８），（９０，１０４），（１１６，１３０），（１４４，１５８），（１７０，１８４），（１９８，２１２），（２２４，２３８）｝と関連付けられることがある。別の態様では、複数のリソースユニットの各リソースユニットは２６個の使用可能なトーンを有し、複数のリソースユニットと関連付けられる通信帯域幅は８０ＭＨｚであることがあり、複数のリソースユニットは、複数のパイロットトーン位置の集合｛（−４９４，−４８０），（−４６８，−４５４），（−４４０，−４２６），（−４１４，−４００），（−３８６，−３７２），（−３６０，−３４６），（−３３４，−３２０），（−３０６，−２９２），（−２８０，−２６６），（−２５２，−２３８），（−２２６，−２１２），（−１９８，−１８４），（−１７２，−１５８），（−１４４，−１３０），（−１１８，−１０４），（−９２，−７８），（−６４，−５０），（−３８，−２４），（−１０，１０），（２４，３８），（５０，６４），（７８，９２），（１０４，１１８），（１３０，１４４），（１５８，１７２），（１８４，１９８），（２１２，２２６），（２３８，２５２），（２６６，２８０），（２９２，３０６），（３２０，３３４），（３４６，３６０），（３７２，３８６），（４００，４１４），（４２６，４４０），（４５４，４６８），（４８０，４９４）｝と関連付けられることがある。
別の態様では、複数のリソースユニットの各リソースユニットは２６個の使用可能なトーンを有することがあり、複数のリソースユニットと関連付けられる通信帯域幅は１６０ＭＨｚであることがあり、複数のリソースユニットは第１の複数のパイロットトーン位置の集合および第２の複数のパイロットトーン位置の集合と関連付けられることがあり、第１の複数のパイロットトーン位置の集合は−５１２という第１のオフセットによって調整された初期の複数のパイロットトーン位置の集合に基づくことがあり、第２の複数のパイロットトーンの集合は５１２という第２のオフセットによって調整された初期の複数のパイロットトーン位置の集合に基づくことがあり、初期の複数のパイロットトーン位置の集合は、｛（−４９４，−４８０），（−４６８，−４５４），（−４４０，−４２６），（−４１４，−４００），（−３８６，−３７２），（−３６０，−３４６），（−３３４，−３２０），（−３０６，−２９２），（−２８０，−２６６），（−２５２，−２３８），（−２２６，−２１２），（−１９８，−１８４），（−１７２，−１５８），（−１４４，−１３０），（−１１８，−１０４），（−９２，−７８），（−６４，−５０），（−３８，−２４），（−１０，１０），（２４，３８），（５０，６４），（７８，９２），（１０４，１１８），（１３０，１４４），（１５８，１７２），（１８４，１９８），（２１２，２２６），（２３８，２５２），（２６６，２８０），（２９２，３０６），（３２０，３３４），（３４６，３６０），（３７２，３８６），（４００，４１４），（４２６，４４０），（４５４，４６８），（４８０，４９４）｝であることがある。別の態様では、複数のリソースユニットの各リソースユニットは５２個の使用可能なトーンを有することがあり、複数のリソースユニットと関連付けられる通信帯域幅は２０ＭＨｚであることがあり、複数のリソースユニットは、複数のパイロットトーン位置の集合｛（−１１６，−１０２，−９０，−７６），（−６２，−４８，−３６，−２２），（２２，３６，４８，６２），（７６，９０，１０２，１１６）｝と関連付けられることがある。別の態様では、複数のリソースユニットの各リソースユニットは５２個の使用可能なトーンを有することがあり、複数のリソースユニットと関連付けられる通信帯域幅は４０ＭＨｚであることがあり、複数のリソースユニットは、複数のパイロットトーン位置の集合｛（−２３８，−２２４，−２１２，−１９８），（−１８４，−１７０，−１５８，−１４４），（−１０４，−９０，−７８，−６４），（−５０，−３６，−２４，−１０），（１０，２４，３６，５０），（６４，７８，９０，１０４），（１４４，１５８，１７０，１８４），（１９８，２１２，２２４，２３８）｝と関連付けられることがある。別の態様では、複数のリソースユニットの各リソースユニットは５２個の使用可能なトーンを有することがあり、複数のリソースユニットと関連付けられる通信帯域幅は８０ＭＨｚであることがあり、複数のリソースユニットは、複数のパイロットトーン位置の集合｛（−４９４，−４８０，−４６８，−４５４），（−４４０，−４２６，−４１４，−４００），（−３６０，−３４６，−３３４，−３２０），（−３０６，−２９２，−２８０，−２６６），（−２５２，−２３８，−２２６，−２１２），（−１９８，−１８４，−１７２，−１５８），（−１１８，−１０４，−９２，−７８），（−６４，−５０，−３８，−２４），（２４，３８，５０，６４），（７８，９２，１０４，１１８），（１５８，１７２，１８４，１９８），（２１２，２２６，２３８，２５２），（２６６，２８０，２９２，３０６），（３２０，３３４，３４６，３６０），（４００，４１４，４２６，４４０），（４５４，４６８，４８０，４９４）｝と関連付けられることがある。別の態様では、複数のリソースユニットの各リソースユニットは５２個の使用可能なトーンを有することがあり、複数のリソースユニットと関連付けられる通信帯域幅は１６０ＭＨｚであることがあり、複数のリソースユニットは第１の複数のパイロットトーン位置の集合および第２の複数のパイロットトーン位置の集合と関連付けられることがあり、第１の複数のパイロットトーン位置の集合は−５１２という第１のオフセットによって調整された初期の複数のパイロットトーン位置の集合に基づくことがあり、第２の複数のパイロットトーンの集合は５１２という第２のオフセットによって調整された初期の複数のパイロットトーン位置の集合に基づくことがあり、初期の複数のパイロットトーン位置の集合は、｛（−４９４，−４８０，−４６８，−４５４），（−４４０，−４２６，−４１４，−４００），（−３６０，−３４６，−３３４，−３２０），（−３０６，−２９２，−２８０，−２６６），（−２５２，−２３８，−２２６，−２１２），（−１９８，−１８４，−１７２，−１５８），（−１１８，−１０４，−９２，−７８），（−６４，−５０，−３８，−２４），（２４，３８，５０，６４），（７８，９２，１０４，１１８），（１５８，１７２，１８４，１９８），（２１２，２２６，２３８，２５２），（２６６，２８０，２９２，３０６），（３２０，３３４，３４６，３６０），（４００，４１４，４２６，４４０），（４５４，４６８，４８０，４９４）｝であることがある。別の態様では、複数のリソースユニットの各リソースユニットは１０６個の使用可能なトーンを有することがあり、複数のリソースユニットと関連付けられる通信帯域幅は２０ＭＨｚであることがあり、複数のリソースユニットは、複数のパイロットトーン位置の集合｛（−１１６，−９０，−４８，−２２），（２２，４８，９０，１１６）｝と関連付けられることがある。別の態様では、複数のリソースユニットの各リソースユニットは１０６個の使用可能なトーンを有することがあり、複数のリソースユニットと関連付けられる通信帯域幅は４０ＭＨｚであることがあり、複数のリソースユニットは、複数のパイロットトーン位置の集合｛（−２３８，−２１２，−１７０，−１４４），（−１０４，−７８，−３６，−１０），（１０，３６，７８，１０４），（１４４，１７０，２１２，２３８）｝と関連付けられることがある。別の態様では、複数のリソースユニットの各リソースユニットは１０６個の使用可能なトーンを有することがあり、複数のリソースユニットと関連付けられる通信帯域幅は８０ＭＨｚであることがあり、複数のリソースユニットは、複数のパイロットトーン位置の集合｛（−４９４，−４６８，−４２６，−４００），（−３６０，−３３４，−２９２，−２６６），（−２５２，−２２６，−１８４，−１５８），（−１１８，−９２，−５０，−２４），（２４，５０，９２，１１８），（１５８，１８４，２２６，２５２），（２６６，２９２，３３４，３６０），（４００，４２６，４６８，４９４）｝と関連付けられることがある。別の態様では、複数のリソースユニットの各リソースユニットは１０６個の使用可能なトーンを有することがあり、複数のリソースユニットと関連付けられる通信帯域幅は１６０ＭＨｚであることがあり、複数のリソースユニットは第１の複数のパイロットトーン位置の集合および第２の複数のパイロットトーン位置の集合と関連付けられることがあり、第１の複数のパイロットトーン位置の集合は−５１２という第１のオフセットによって調整された初期の複数のパイロットトーン位置の集合に基づくことがあり、第２の複数のパイロットトーンの集合は５１２という第２のオフセットによって調整された初期の複数のパイロットトーン位置の集合に基づくことがあり、初期の複数のパイロットトーン位置の集合は、｛（−４９４，−４６８，−４２６，−４００），（−３６０，−３３４，−２９２，−２６６），（−２５２，−２２６，−１８４，−１５８），（−１１８，−９２，−５０，−２４），（２４，５０，９２，１１８），（１５８，１８４，２２６，２５２），（２６６，２９２，３３４，３６０），（４００，４２６，４６８，４９４）｝であることがある。別の態様では、複数のリソースユニットの各リソースユニットは２４２個の使用可能なトーンを有することがあり、複数のリソースユニットと関連付けられる通信帯域幅は２０ＭＨｚであることがあり、複数のリソースユニットは、パイロットトーン位置の集合｛（−１１６，−９０，−４８，−２２，２２，４８，９０，１１６）｝と関連付けられるリソースユニットを含むことがある。別の態様では、複数のリソースユニットの各リソースユニットは２４２個の使用可能なトーンを有することがあり、複数のリソースユニットと関連付けられる通信帯域幅は４０ＭＨｚであることがあり、複数のリソースユニットは、複数のパイロットトーン位置の集合｛（−２３８，−２１２，−１７０，−１４４，−１０４，−７８，−３６，−１０），（１０，３６，７８，１０４，１４４，１７０，２１２，２３８）｝と関連付けられることがある。別の態様では、複数のリソースユニットの各リソースユニットは２４２個の使用可能なトーンを有することがあり、複数のリソースユニットと関連付けられる通信帯域幅は８０ＭＨｚであることがあり、複数のリソースユニットは、複数のパイロットトーン位置の集合｛（−４９４，−４６８，−４２６，−４００，−３６０，−３３４，−２９２，−２６６），（−２５２，−２２６，−１８４，−１５８，−１１８，−９２，−５０，−２４），（２４，５０，９２，１１８，１５８，１８４，２２６，２５２），（２６６，２９２，３３４，３６０，４００，４２６，４６８，４９４）｝と関連付けられることがある。別の態様では、複数のリソースユニットの各リソースユニットは２４２個の使用可能なトーンを有することがあり、複数のリソースユニットと関連付けられる通信帯域幅は１６０ＭＨｚであることがあり、複数のリソースユニットは第１の複数のパイロットトーン位置の集合および第２の複数のパイロットトーン位置の集合と関連付けられることがあり、第１の複数のパイロットトーン位置の集合は−５１２という第１のオフセットによって調整された初期の複数のパイロットトーン位置の集合に基づくことがあり、第２の複数のパイロットトーンの集合は５１２という第２のオフセットによって調整された初期の複数のパイロットトーン位置の集合に基づくことがあり、初期の複数のパイロットトーン位置の集合は、｛（−４９４，−４６８，−４２６，−４００，−３６０，−３３４，−２９２，−２６６），（−２５２，−２２６，−１８４，−１５８，−１１８，−９２，−５０，−２４），（２４，５０，９２，１１８，１５８，１８４，２２６，２５２），（２６６，２９２，３３４，３６０，４００，４２６，４６８，４９４）｝であることがある。別の態様では、複数のリソースユニットの各リソースユニットは４８４個の使用可能なトーンを有することがあり、複数のリソースユニットと関連付けられる通信帯域幅は４０ＭＨｚであることがあり、複数のリソースユニットは、パイロットトーン位置の集合｛（−２３８，−２１２，−１７０，−１４４，−１０４，−７８，−３６，−１０，１０，３６，７８，１０４，１４４，１７０，２１２，２３８）｝と関連付けられるリソースユニットを含むことがある。
別の態様では、複数のリソースユニットの各リソースユニットは４８４個の使用可能なトーンを有することがあり、複数のリソースユニットと関連付けられる通信帯域幅は８０ＭＨｚであることがあり、複数のリソースユニットは、複数のパイロットトーン位置の集合｛（−４９４，−４６８，−４２６，−４００，−３６０，−３３４，−２９２，−２６６，−２５２，−２２６，−１８４，−１５８，−１１８，−９２，−５０，−２４），（２４，５０，９２，１１８，１５８，１８４，２２６，２５２，２６６，２９２，３３４，３６０，４００，４２６，４６８，４９４）｝と関連付けられることがある。別の態様では、複数のリソースユニットの各リソースユニットは４８４個の使用可能なトーンを有することがあり、複数のリソースユニットと関連付けられる通信帯域幅は１６０ＭＨｚであることがあり、複数のリソースユニットは第１の複数のパイロットトーン位置の集合および第２の複数のパイロットトーン位置の集合と関連付けられることがあり、第１の複数のパイロットトーン位置の集合は−５１２という第１のオフセットによって調整された初期の複数のパイロットトーン位置の集合に基づくことがあり、第２の複数のパイロットトーンの集合は５１２という第２のオフセットによって調整された初期の複数のパイロットトーン位置の集合に基づくことがあり、初期の複数のパイロットトーン位置の集合は、｛（−４９４，−４６８，−４２６，−４００，−３６０，−３３４，−２９２，−２６６，−２５２，−２２６，−１８４，−１５８，−１１８，−９２，−５０，−２４），（２４，５０，９２，１１８，１５８，１８４，２２６，２５２，２６６，２９２，３３４，３６０，４００，４２６，４６８，４９４）｝であることがある。別の態様では、複数のリソースユニットの各リソースユニットは９９６個の使用可能なトーンを有することがあり、複数のリソースユニットと関連付けられる通信帯域幅は８０ＭＨｚであることがあり、複数のリソースユニットは、パイロットトーン位置の集合｛（−４６８，−４００，−３３４，−２６６，−２２６，−１５８，−９２，−２４，２４，９２，１５８，２２６，２６６，３３４，４００，４６８）｝と関連付けられるリソースユニットを含むことがある。別の態様では、複数のリソースユニットの各リソースユニットは９９６個の使用可能なトーンを有することがあり、複数のリソースユニットと関連付けられる通信帯域幅は１６０ＭＨｚであることがあり、複数のリソースユニットは第１の複数のパイロットトーン位置の集合および第２の複数のパイロットトーン位置の集合と関連付けられることがあり、第１の複数のパイロットトーン位置の集合は−５１２という第１のオフセットによって調整された初期の複数のパイロットトーン位置の集合に基づくことがあり、第２の複数のパイロットトーンの集合は５１２という第２のオフセットによって調整された初期の複数のパイロットトーン位置の集合に基づくことがあり、初期の複数のパイロットトーン位置の集合は、｛（−４６８，−４００，−３３４，−２６６，−２２６，−１５８，−９２，−２４，２４，９２，１５８，２２６，２６６，３３４，４００，４６８）｝であることがある。別の態様では、複数のリソースユニットの各リソースユニットは１９９２個の使用可能なトーンを有することがあり、複数のリソースユニットと関連付けられる通信帯域幅は１６０ＭＨｚであることがあり、複数のリソースユニットは、パイロットトーン位置の集合｛（−９８０，−９１２，−８４６，−７７８，−７３８，−６７０，−６０４，−５３６，−４８８，−４２０，−３５４，−２８６，−２４６，−１７８，−１１２，−４４，４４，１１２，１７８，２４６，２８６，３５４，４２０，４８８，５３６，６０４，６７０，７３８，７７８，８４６，９１２，９８０）｝と関連付けられるリソースユニットを含むことがある。別の構成では、少なくとも１つのプロセッサはさらに、複数のリソースユニットのうちの１つまたは複数のリソースユニットを少なくとも１つのワイヤレスデバイスに割り振り、割り振られた１つまたは複数のリソースユニットと関連付けられる割振り情報を少なくとも１つのワイヤレスデバイスに送信するように構成され得る。一態様では、割振り情報は、トーンインデックスの集合、識別子、リソースユニットごとの使用可能なトーンの数を示すリソースユニットサイズ、通信帯域幅、またはデータシンボル情報のうちの少なくとも１つを含み得る。別の態様では、複数のリソースユニットの各リソースユニットは、使用可能なトーン、５２個の使用可能なトーン、１０６個の使用可能なトーン、２４２個の使用可能なトーン、４８４個の使用可能なトーン、９９６個の使用可能なトーン、または１９９２個の使用可能なトーンを有し得る。
【０００９】
[0009]別の態様では、ワイヤレス通信のための装置が提供される。装置は、通信のための複数のリソースユニットを決定するための手段と、複数のリソースユニットのうちの少なくとも１つのリソースユニットにおいてパイロット信号の集合を生成するための手段と、複数のリソースユニットのうちの少なくとも１つのリソースユニットにおいてパイロット信号の生成された集合を送信するための手段とを含み得る。一構成では、通信のための複数のリソースユニットを決定するための手段は、通信帯域幅を決定し、決定された通信帯域幅に基づいてリソースユニットごとの使用可能なトーンの数を決定するように構成され得る。別の構成では、少なくとも１つのリソースユニットにおいてパイロット信号の集合を生成するための手段は、少なくとも１つのリソースユニットと関連付けられるパイロットトーン位置を決定し、決定されたパイロットトーン位置と関連付けられるパイロットシーケンスを決定し、決定されたパイロットシーケンスおよびパイロット極性シーケンスに基づいて、決定されたパイロットトーン位置に対するパイロット値を決定するように構成され得る。ある態様では、パイロットシーケンスは、データシンボルインデックスに基づいて初期パイロットシーケンスをシフトすることによって決定され得る。別の態様では、複数のリソースユニットのうちの少なくとも１つのリソースユニットは、２６個の使用可能なトーンと２つのパイロットトーン位置とを有することがあり、パイロットシーケンスは、初期パイロットシーケンス｛１，−１｝に基づいて決定されることがある。別の態様では、複数のリソースユニットのうちの少なくとも１つのリソースユニットは、５２個の使用可能なトーンまたは１０６個の使用可能なトーンを有することがあり、４つのパイロットトーン位置を有することがあり、パイロットシーケンスは、初期パイロットシーケンス｛１，１，１，−１｝に基づいて決定されることがある。別の態様では、複数のリソースユニットのうちの少なくとも１つのリソースユニットは、２４２個の使用可能なトーンを有することがあり、８つのパイロットトーン位置を有することがあり、パイロットシーケンスは、初期パイロットシーケンス｛１，１，１，−１，−１，１，１，１｝に基づいて決定されることがある。別の態様では、複数のリソースユニットのうちの少なくとも１つのリソースユニットは、４８４個の使用可能なトーンまたは９９６個の使用可能なトーンを有することがあり、１６個のパイロットトーン位置を有することがあり、パイロットシーケンスは、初期パイロットシーケンス｛１，１，１，−１，−１，１，１，１，１，１，１，−１，−１，１，１，１｝に基づいて決定されることがある。別の態様では、複数のリソースユニットのうちの少なくとも１つのリソースユニットは、１９９２個の使用可能なトーンと３２個のパイロットトーン位置を有することがあり、パイロットシーケンスは、初期パイロットシーケンス｛１，１，１，−１，−１，１，１，１，１，１，１，−１，−１，１，１，１，１，１，１，−１，−１，１，１，１，１，１，１，−１，−１，１，１，１｝に基づいて決定されることがある。別の構成では、パイロット信号の生成された集合は、プリアンブルのＳＩＧフィールドの中のシンボルの数に基づき得る。別の構成では、パイロットシーケンスを決定するための手段は、通信帯域幅を決定し、決定された通信帯域幅と関連付けられる基本パイロットシーケンスを決定し、少なくとも１つのリソースユニットにおいて使用可能なトーンの数を決定し、通信帯域幅、決定された基本パイロットシーケンス、および使用可能なトーンの決定された数に基づいて初期パイロットシーケンスを決定するように構成され得る。別の態様では、少なくとも１つのリソースユニットにおけるパイロット信号の生成された集合は、通信帯域幅、決定されたパイロットトーン位置、および決定されたパイロット値に基づき得る。別の態様では、通信帯域幅は２０ＭＨｚであることがあり、決定された基本パイロットシーケンスは、第１の基本パイロットシーケンス｛１，１，１，−１，１，１，−１，−１，１，１，−１，１，−１，１，１，１，１，−１｝または第２の基本パイロットシーケンス｛１，−１，−１，−１，−１，１，−１，１，−１，−１，１，１，−１，−１，１，−１，−１，−１｝であり得る。別の態様では、通信帯域幅は４０ＭＨｚであることがあり、決定された基本パイロットシーケンスは、第１の基本パイロットシーケンス｛１，−１，１，−１，−１，１，−１，１，−１，１，−１，−１，−１，１，−１，１，１，１，１，−１，−１，−１，−１，−１，−１，１，−１，−１，−１，−１，１，１，−１，−１，１，１｝または第２の基本パイロットシーケンス｛１，１，−１，−１，１，１，−１，−１，−１，−１，１，−１，−１，−１，−１，−１，−１，１，１，１，１，−１，１，−１，−１，−１，１，−１，１，−１，１，−１，−１，１，−１，１｝であり得る。別の態様では、通信帯域幅は８０ＭＨｚであることがあり、決定された基本パイロットシーケンスは、第１の基本パイロットシーケンス｛−１，１，１，１，−１，−１，１，１，−１，−１，１，−１，１，−１，１，１，−１，１，−１，１，１，１，１，１，−１，−１，１，１，１，１，１，−１，１，−１，−１，−１，１，−１，１，−１，１，−１，−１，−１，−１，−１，１，−１，−１，１，１，−１，１，１，−１，−１，１，−１，１，１，−１，１，−１，１，−１，−１，−１，−１，１，１，−１，−１，−１，１｝または第２の基本パイロットシーケンス｛−１，１，１，１，１，−１，−１，１，１，１，−１，−１，−１，１，１，−１，１，−１，１，１，−１，−１，１，−１，−１，１，１，−１，１，１，１，１，１，−１，１，−１，１，−１，１，１，１，１，−１，−１，−１，−１，−１，−１，１，−１，−１，−１，−１，−１，１，１，−１，１，−１，−１，−１，−１，１，−１，１，１，−１，−１，１，−１，１，−１，−１，１｝であり得る。別の態様では、通信帯域幅は１６０ＭＨｚであることがあり、決定された基本パイロットシーケンスは、第１の基本パイロットシーケンス｛−１，１，１，１，−１，−１，１，１，−１，−１，１，−１，１，−１，１，１，−１，１，−１，１，１，１，１，１，−１，−１，１，１，１，１，１，−１，１，−１，−１，−１，１，−１，１，−１，１，−１，−１，−１，−１，−１，１，−１，−１，１，１，−１，１，１，−１，−１，１，−１，１，１，−１，１，−１，１，−１，−１，−１，−１，１，１，−１，−１，−１，１，−１，１，１，１，−１，−１，１，１，−１，−１，１，−１，１，−１，１，１，−１，１，−１，１，１，１，１，１，−１，−１，１，１，１，１，１，−１，１，−１，−１，−１，１，−１，１，−１，１，−１，−１，−１，−１，−１，１，−１，−１，１，１，−１，１，１，−１，−１，１，−１，１，１，−１，１，−１，１，−１，−１，−１，−１，１，１，−１，−１，−１，１｝または第２の基本パイロットシーケンス｛−１，１，１，１，１，−１，−１，１，１，１，−１，−１，−１，１，１，−１，１，−１，１，１，−１，−１，１，−１，−１，１，１，−１，１，１，１，１，１，−１，１，−１，１，−１，１，１，１，１，−１，−１，−１，−１，−１，−１，１，−１，−１，−１，−１，−１，１，１，−１，１，−１，−１，−１，−１，１，−１，１，１，−１，−１，１，−１，１，−１，−１，１，−１，１，１，１，１，−１，−１，１，１，１，−１，−１，−１，１，１，−１，１，−１，１，１，−１，−１，１，−１，−１，１，１，−１，１，１，１，１，１，−１，１，−１，１，−１，１，１，１，１，−１，−１，−１，−１，−１，−１，１，−１，−１，−１，−１，−１，１，１，−１，１，−１，−１，−１，−１，１，−１，１，１，−１，−１，１，−１，１，−１，−１，１｝であり得る。別の態様では、初期パイロットシーケンスは、少なくとも１つのリソースユニットと関連付けられる名目トーンインデックスの集合に基づいて決定され得る。別の態様では、パイロットシーケンスは、データシンボルインデックスに基づいて、決定された初期パイロットシーケンスをシフトすることによって決定され得る。別の態様では、複数のリソースユニットの各リソースユニットは２６個の使用可能なトーンを有する。この態様では、複数のリソースユニットと関連付けられる通信帯域幅は２０ＭＨｚであることがあり、複数のリソースユニットは、複数のパイロットトーン位置の集合｛（−１１６，−１０２），（−９０，−７６），（−６２，−４８），（−３６，−２２），（−１０，１０），（２２，３６），（４８，６２），（７６，９０），（１０２，１１６）｝と関連付けられることがある。別の態様では、複数のリソースユニットの各リソースユニットは２６個の使用可能なトーンを有することがあり、複数のリソースユニットと関連付けられる通信帯域幅は４０ＭＨｚであることがあり、複数のリソースユニットは、複数のパイロットトーン位置の集合｛（−２３８，−２２４），（−２１２，−１９８），（−１８４，−１７０），（−１５８，−１４４），（−１３０，−１１６），（−１０４，−９０），（−７８，−６４），（−５０，−３６），（−２４，−１０），（１０，２４），（３６，５０），（６４，７８），（９０，１０４），（１１６，１３０），（１４４，１５８），（１７０，１８４），（１９８，２１２），（２２４，２３８）｝と関連付けられることがある。別の態様では、複数のリソースユニットの各リソースユニットは２６個の使用可能なトーンを有し、複数のリソースユニットと関連付けられる通信帯域幅は８０ＭＨｚであることがあり、複数のリソースユニットは、複数のパイロットトーン位置の集合｛（−４９４，−４８０），（−４６８，−４５４），（−４４０，−４２６），（−４１４，−４００），（−３８６，−３７２），（−３６０，−３４６），（−３３４，−３２０），（−３０６，−２９２），（−２８０，−２６６），（−２５２，−２３８），（−２２６，−２１２），（−１９８，−１８４），（−１７２，−１５８），（−１４４，−１３０），（−１１８，−１０４），（−９２，−７８），（−６４，−５０），（−３８，−２４），（−１０，１０），（２４，３８），（５０，６４），（７８，９２），（１０４，１１８），（１３０，１４４），（１５８，１７２），（１８４，１９８），（２１２，２２６），（２３８，２５２），（２６６，２８０），（２９２，３０６），（３２０，３３４），（３４６，３６０），（３７２，３８６），（４００，４１４），（４２６，４４０），（４５４，４６８），（４８０，４９４）｝と関連付けられることがある。
別の態様では、複数のリソースユニットの各リソースユニットは２６個の使用可能なトーンを有することがあり、複数のリソースユニットと関連付けられる通信帯域幅は１６０ＭＨｚであることがあり、複数のリソースユニットは第１の複数のパイロットトーン位置の集合および第２の複数のパイロットトーン位置の集合と関連付けられることがあり、第１の複数のパイロットトーン位置の集合は−５１２という第１のオフセットによって調整された初期の複数のパイロットトーン位置の集合に基づくことがあり、第２の複数のパイロットトーンの集合は５１２という第２のオフセットによって調整された初期の複数のパイロットトーン位置の集合に基づくことがあり、初期の複数のパイロットトーン位置の集合は、｛（−４９４，−４８０），（−４６８，−４５４），（−４４０，−４２６），（−４１４，−４００），（−３８６，−３７２），（−３６０，−３４６），（−３３４，−３２０），（−３０６，−２９２），（−２８０，−２６６），（−２５２，−２３８），（−２２６，−２１２），（−１９８，−１８４），（−１７２，−１５８），（−１４４，−１３０），（−１１８，−１０４），（−９２，−７８），（−６４，−５０），（−３８，−２４），（−１０，１０），（２４，３８），（５０，６４），（７８，９２），（１０４，１１８），（１３０，１４４），（１５８，１７２），（１８４，１９８），（２１２，２２６），（２３８，２５２），（２６６，２８０），（２９２，３０６），（３２０，３３４），（３４６，３６０），（３７２，３８６），（４００，４１４），（４２６，４４０），（４５４，４６８），（４８０，４９４）｝であることがある。別の態様では、複数のリソースユニットの各リソースユニットは５２個の使用可能なトーンを有することがあり、複数のリソースユニットと関連付けられる通信帯域幅は２０ＭＨｚであることがあり、複数のリソースユニットは、複数のパイロットトーン位置の集合｛（−１１６，−１０２，−９０，−７６），（−６２，−４８，−３６，−２２），（２２，３６，４８，６２），（７６，９０，１０２，１１６）｝と関連付けられることがある。別の態様では、複数のリソースユニットの各リソースユニットは５２個の使用可能なトーンを有することがあり、複数のリソースユニットと関連付けられる通信帯域幅は４０ＭＨｚであることがあり、複数のリソースユニットは、複数のパイロットトーン位置の集合｛（−２３８，−２２４，−２１２，−１９８），（−１８４，−１７０，−１５８，−１４４），（−１０４，−９０，−７８，−６４），（−５０，−３６，−２４，−１０），（１０，２４，３６，５０），（６４，７８，９０，１０４），（１４４，１５８，１７０，１８４），（１９８，２１２，２２４，２３８）｝と関連付けられることがある。別の態様では、複数のリソースユニットの各リソースユニットは５２個の使用可能なトーンを有することがあり、複数のリソースユニットと関連付けられる通信帯域幅は８０ＭＨｚであることがあり、複数のリソースユニットは、複数のパイロットトーン位置の集合｛（−４９４，−４８０，−４６８，−４５４），（−４４０，−４２６，−４１４，−４００），（−３６０，−３４６，−３３４，−３２０），（−３０６，−２９２，−２８０，−２６６），（−２５２，−２３８，−２２６，−２１２），（−１９８，−１８４，−１７２，−１５８），（−１１８，−１０４，−９２，−７８），（−６４，−５０，−３８，−２４），（２４，３８，５０，６４），（７８，９２，１０４，１１８），（１５８，１７２，１８４，１９８），（２１２，２２６，２３８，２５２），（２６６，２８０，２９２，３０６），（３２０，３３４，３４６，３６０），（４００，４１４，４２６，４４０），（４５４，４６８，４８０，４９４）｝と関連付けられることがある。別の態様では、複数のリソースユニットの各リソースユニットは５２個の使用可能なトーンを有することがあり、複数のリソースユニットと関連付けられる通信帯域幅は１６０ＭＨｚであることがあり、複数のリソースユニットは第１の複数のパイロットトーン位置の集合および第２の複数のパイロットトーン位置の集合と関連付けられることがあり、第１の複数のパイロットトーン位置の集合は−５１２という第１のオフセットによって調整された初期の複数のパイロットトーン位置の集合に基づくことがあり、第２の複数のパイロットトーンの集合は５１２という第２のオフセットによって調整された初期の複数のパイロットトーン位置の集合に基づくことがあり、初期の複数のパイロットトーン位置の集合は、｛（−４９４，−４８０，−４６８，−４５４），（−４４０，−４２６，−４１４，−４００），（−３６０，−３４６，−３３４，−３２０），（−３０６，−２９２，−２８０，−２６６），（−２５２，−２３８，−２２６，−２１２），（−１９８，−１８４，−１７２，−１５８），（−１１８，−１０４，−９２，−７８），（−６４，−５０，−３８，−２４），（２４，３８，５０，６４），（７８，９２，１０４，１１８），（１５８，１７２，１８４，１９８），（２１２，２２６，２３８，２５２），（２６６，２８０，２９２，３０６），（３２０，３３４，３４６，３６０），（４００，４１４，４２６，４４０），（４５４，４６８，４８０，４９４）｝であることがある。別の態様では、複数のリソースユニットの各リソースユニットは１０６個の使用可能なトーンを有することがあり、複数のリソースユニットと関連付けられる通信帯域幅は２０ＭＨｚであることがあり、複数のリソースユニットは、複数のパイロットトーン位置の集合｛（−１１６，−９０，−４８，−２２），（２２，４８，９０，１１６）｝と関連付けられることがある。別の態様では、複数のリソースユニットの各リソースユニットは１０６個の使用可能なトーンを有することがあり、複数のリソースユニットと関連付けられる通信帯域幅は４０ＭＨｚであることがあり、複数のリソースユニットは、複数のパイロットトーン位置の集合｛（−２３８，−２１２，−１７０，−１４４），（−１０４，−７８，−３６，−１０），（１０，３６，７８，１０４），（１４４，１７０，２１２，２３８）｝と関連付けられることがある。別の態様では、複数のリソースユニットの各リソースユニットは１０６個の使用可能なトーンを有することがあり、複数のリソースユニットと関連付けられる通信帯域幅は８０ＭＨｚであることがあり、複数のリソースユニットは、複数のパイロットトーン位置の集合｛（−４９４，−４６８，−４２６，−４００），（−３６０，−３３４，−２９２，−２６６），（−２５２，−２２６，−１８４，−１５８），（−１１８，−９２，−５０，−２４），（２４，５０，９２，１１８），（１５８，１８４，２２６，２５２），（２６６，２９２，３３４，３６０），（４００，４２６，４６８，４９４）｝と関連付けられることがある。別の態様では、複数のリソースユニットの各リソースユニットは１０６個の使用可能なトーンを有することがあり、複数のリソースユニットと関連付けられる通信帯域幅は１６０ＭＨｚであることがあり、複数のリソースユニットは第１の複数のパイロットトーン位置の集合および第２の複数のパイロットトーン位置の集合と関連付けられることがあり、第１の複数のパイロットトーン位置の集合は−５１２という第１のオフセットによって調整された初期の複数のパイロットトーン位置の集合に基づくことがあり、第２の複数のパイロットトーンの集合は５１２という第２のオフセットによって調整された初期の複数のパイロットトーン位置の集合に基づくことがあり、初期の複数のパイロットトーン位置の集合は、｛（−４９４，−４６８，−４２６，−４００），（−３６０，−３３４，−２９２，−２６６），（−２５２，−２２６，−１８４，−１５８），（−１１８，−９２，−５０，−２４），（２４，５０，９２，１１８），（１５８，１８４，２２６，２５２），（２６６，２９２，３３４，３６０），（４００，４２６，４６８，４９４）｝であることがある。別の態様では、複数のリソースユニットの各リソースユニットは２４２個の使用可能なトーンを有することがあり、複数のリソースユニットと関連付けられる通信帯域幅は２０ＭＨｚであることがあり、複数のリソースユニットは、パイロットトーン位置の集合｛（−１１６，−９０，−４８，−２２，２２，４８，９０，１１６）｝と関連付けられるリソースユニットを含むことがある。別の態様では、複数のリソースユニットの各リソースユニットは２４２個の使用可能なトーンを有することがあり、複数のリソースユニットと関連付けられる通信帯域幅は４０ＭＨｚであることがあり、複数のリソースユニットは、複数のパイロットトーン位置の集合｛（−２３８，−２１２，−１７０，−１４４，−１０４，−７８，−３６，−１０），（１０，３６，７８，１０４，１４４，１７０，２１２，２３８）｝と関連付けられることがある。別の態様では、複数のリソースユニットの各リソースユニットは２４２個の使用可能なトーンを有することがあり、複数のリソースユニットと関連付けられる通信帯域幅は８０ＭＨｚであることがあり、複数のリソースユニットは、複数のパイロットトーン位置の集合｛（−４９４，−４６８，−４２６，−４００，−３６０，−３３４，−２９２，−２６６），（−２５２，−２２６，−１８４，−１５８，−１１８，−９２，−５０，−２４），（２４，５０，９２，１１８，１５８，１８４，２２６，２５２），（２６６，２９２，３３４，３６０，４００，４２６，４６８，４９４）｝と関連付けられることがある。
別の態様では、複数のリソースユニットの各リソースユニットは２４２個の使用可能なトーンを有することがあり、複数のリソースユニットと関連付けられる通信帯域幅は１６０ＭＨｚであることがあり、複数のリソースユニットは第１の複数のパイロットトーン位置の集合および第２の複数のパイロットトーン位置の集合と関連付けられることがあり、第１の複数のパイロットトーン位置の集合は−５１２という第１のオフセットによって調整された初期の複数のパイロットトーン位置の集合に基づくことがあり、第２の複数のパイロットトーンの集合は５１２という第２のオフセットによって調整された初期の複数のパイロットトーン位置の集合に基づくことがあり、初期の複数のパイロットトーン位置の集合は、｛（−４９４，−４６８，−４２６，−４００，−３６０，−３３４，−２９２，−２６６），（−２５２，−２２６，−１８４，−１５８，−１１８，−９２，−５０，−２４），（２４，５０，９２，１１８，１５８，１８４，２２６，２５２），（２６６，２９２，３３４，３６０，４００，４２６，４６８，４９４）｝であることがある。別の態様では、複数のリソースユニットの各リソースユニットは４８４個の使用可能なトーンを有することがあり、複数のリソースユニットと関連付けられる通信帯域幅は４０ＭＨｚであることがあり、複数のリソースユニットは、パイロットトーン位置の集合｛（−２３８，−２１２，−１７０，−１４４，−１０４，−７８，−３６，−１０，１０，３６，７８，１０４，１４４，１７０，２１２，２３８）｝と関連付けられるリソースユニットを含むことがある。別の態様では、複数のリソースユニットの各リソースユニットは４８４個の使用可能なトーンを有することがあり、複数のリソースユニットと関連付けられる通信帯域幅は８０ＭＨｚであることがあり、複数のリソースユニットは、複数のパイロットトーン位置の集合｛（−４９４，−４６８，−４２６，−４００，−３６０，−３３４，−２９２，−２６６，−２５２，−２２６，−１８４，−１５８，−１１８，−９２，−５０，−２４），（２４，５０，９２，１１８，１５８，１８４，２２６，２５２，２６６，２９２，３３４，３６０，４００，４２６，４６８，４９４）｝と関連付けられることがある。別の態様では、複数のリソースユニットの各リソースユニットは４８４個の使用可能なトーンを有することがあり、複数のリソースユニットと関連付けられる通信帯域幅は１６０ＭＨｚであることがあり、複数のリソースユニットは第１の複数のパイロットトーン位置の集合および第２の複数のパイロットトーン位置の集合と関連付けられることがあり、第１の複数のパイロットトーン位置の集合は−５１２という第１のオフセットによって調整された初期の複数のパイロットトーン位置の集合に基づくことがあり、第２の複数のパイロットトーンの集合は５１２という第２のオフセットによって調整された初期の複数のパイロットトーン位置の集合に基づくことがあり、初期の複数のパイロットトーン位置の集合は、｛（−４９４，−４６８，−４２６，−４００，−３６０，−３３４，−２９２，−２６６，−２５２，−２２６，−１８４，−１５８，−１１８，−９２，−５０，−２４），（２４，５０，９２，１１８，１５８，１８４，２２６，２５２，２６６，２９２，３３４，３６０，４００，４２６，４６８，４９４）｝であることがある。別の態様では、複数のリソースユニットの各リソースユニットは９９６個の使用可能なトーンを有することがあり、複数のリソースユニットと関連付けられる通信帯域幅は８０ＭＨｚであることがあり、複数のリソースユニットは、パイロットトーン位置の集合｛（−４６８，−４００，−３３４，−２６６，−２２６，−１５８，−９２，−２４，２４，９２，１５８，２２６，２６６，３３４，４００，４６８）｝と関連付けられるリソースユニットを含むことがある。別の態様では、複数のリソースユニットの各リソースユニットは９９６個の使用可能なトーンを有することがあり、複数のリソースユニットと関連付けられる通信帯域幅は１６０ＭＨｚであることがあり、複数のリソースユニットは第１の複数のパイロットトーン位置の集合および第２の複数のパイロットトーン位置の集合と関連付けられることがあり、第１の複数のパイロットトーン位置の集合は−５１２という第１のオフセットによって調整された初期の複数のパイロットトーン位置の集合に基づくことがあり、第２の複数のパイロットトーンの集合は５１２という第２のオフセットによって調整された初期の複数のパイロットトーン位置の集合に基づくことがあり、初期の複数のパイロットトーン位置の集合は、｛（−４６８，−４００，−３３４，−２６６，−２２６，−１５８，−９２，−２４，２４，９２，１５８，２２６，２６６，３３４，４００，４６８）｝であることがある。別の態様では、複数のリソースユニットの各リソースユニットは１９９２個の使用可能なトーンを有することがあり、複数のリソースユニットと関連付けられる通信帯域幅は１６０ＭＨｚであることがあり、複数のリソースユニットは、パイロットトーン位置の集合｛（−９８０，−９１２，−８４６，−７７８，−７３８，−６７０，−６０４，−５３６，−４８８，−４２０，−３５４，−２８６，−２４６，−１７８，−１１２，−４４，４４，１１２，１７８，２４６，２８６，３５４，４２０，４８８，５３６，６０４，６７０，７３８，７７８，８４６，９１２，９８０）｝と関連付けられるリソースユニットを含むことがある。別の構成では、装置は、複数のリソースユニットのうちの１つまたは複数のリソースユニットを少なくとも１つのワイヤレスデバイスに割り振るための手段と、割り振られた１つまたは複数のリソースユニットと関連付けられる割振り情報を少なくとも１つのワイヤレスデバイスに送信するための手段とを含み得る。一態様では、割振り情報は、トーンインデックスの集合、識別子、リソースユニットごとの使用可能なトーンの数を示すリソースユニットサイズ、通信帯域幅、またはデータシンボル情報のうちの少なくとも１つを含み得る。別の態様では、複数のリソースユニットの各リソースユニットは、使用可能なトーン、５２個の使用可能なトーン、１０６個の使用可能なトーン、２４２個の使用可能なトーン、４８４個の使用可能なトーン、９９６個の使用可能なトーン、または１９９２個の使用可能なトーンを有し得る。
【００１０】
[0010]別の態様では、ワイヤレス通信のためのコンピュータ実行可能コードを記憶するコンピュータ可読媒体が提供される。コンピュータ可読媒体は、通信のための複数のリソースユニットを決定し、複数のリソースユニットのうちの少なくとも１つのリソースユニットにおいてパイロット信号の集合を生成し、複数のリソースユニットのうちの少なくとも１つのリソースユニットにおいてパイロット信号の生成された集合を送信するためのコードを含み得る。
【００１１】
[0011]本開示の別の態様は、ワイヤレス通信のためのワイヤレスデバイス（たとえば、局）を提供する。ワイヤレスデバイスは、通信のためにワイヤレスデバイスに割り振られる１つまたは複数のリソースユニットを示すメッセージを受信するように構成される。ワイヤレスデバイスは、１つまたは複数のリソースユニットのためのパイロット信号の集合を生成するように構成される。ワイヤレスデバイスは、１つまたは複数のリソースユニットにおいてデータとパイロット信号の生成された集合とを送信するように構成される。
【００１２】
[0012]ある態様では、ワイヤレス通信の方法が提供される。方法は、通信のために局に割り振られる１つまたは複数のリソースユニットを示すメッセージを受信することと、受信されたメッセージに基づいて１つまたは複数のリソースユニットのためのパイロット信号の集合を生成することと、１つまたは複数のリソースユニットにおいてデータとパイロット信号の生成された集合とを送信することとを含み得る。ある態様では、メッセージは、トーンインデックスの集合、識別子、リソースユニットごとの使用可能なトーンの数を示すリソースユニットサイズ、通信帯域幅、またはデータシンボル情報のうちの少なくとも１つを含む、割振り情報を含み得る。一構成では、パイロット信号の集合を生成することは、１つまたは複数のリソースユニットと関連付けられるパイロットトーン位置を決定することと、決定されたパイロットトーン位置と関連付けられるパイロットシーケンスを決定することと、決定されたパイロットシーケンスおよびパイロット極性シーケンスに基づいて、決定されたパイロットトーン位置に対するパイロット値を決定することとを含み得る。ある態様では、パイロットシーケンスは、データシンボルインデックスに基づいて初期パイロットシーケンスをシフトすることによって決定される。別の態様では、１つまたは複数のリソースユニットの各リソースユニットは、２６個の使用可能なトーンと２つのパイロットトーン位置とを有することがあり、パイロットシーケンスは、初期パイロットシーケンス｛１，−１｝に基づいて決定されることがある。別の態様では、１つまたは複数のリソースユニットの各リソースユニットは、５２個の使用可能なトーンまたは１０６個の使用可能なトーンを有することがあり、４つのパイロットトーン位置を有することがあり、パイロットシーケンスは、初期パイロットシーケンス｛１，１，１，−１｝に基づいて決定されることがある。別の態様では、１つまたは複数のリソースユニットの各リソースユニットは、２４２個の使用可能なトーンを有することがあり、８つのパイロットトーン位置を有することがあり、パイロットシーケンスは、初期パイロットシーケンス｛１，１，１，−１，−１，１，１，１｝に基づいて決定されることがある。別の態様では、１つまたは複数のリソースユニットの各リソースユニットは、４８４個の使用可能なトーンまたは９９６個の使用可能なトーンを有することがあり、１６個のパイロットトーン位置を有することがあり、パイロットシーケンスは、初期パイロットシーケンス｛１，１，１，−１，−１，１，１，１，１，１，１，−１，−１，１，１，１｝に基づいて決定されることがある。別の態様では、１つまたは複数のリソースユニットの各リソースユニットは、１９９２個の使用可能なトーンと３２個のパイロットトーン位置を有することがあり、パイロットシーケンスは、初期パイロットシーケンス｛１，１，１，−１，−１，１，１，１，１，１，１，−１，−１，１，１，１，１，１，１，−１，−１，１，１，１，１，１，１，−１，−１，１，１，１｝に基づいて決定されることがある。別の態様では、パイロット信号の生成された集合は、プリアンブルのＳＩＧフィールドの中のシンボルの数に基づき得る。別の構成では、パイロットシーケンスを決定することは、通信帯域幅を決定することと、決定された通信帯域幅と関連付けられる基本パイロットシーケンスを決定することと、少なくとも１つのリソースユニットにおいて使用可能なトーンの数を決定することと、通信帯域幅、決定された基本パイロットシーケンス、および使用可能なトーンの決定された数に基づいて初期パイロットシーケンスを決定することとを含み得る。別の態様では、少なくとも１つのリソースユニットにおけるパイロット信号の生成された集合は、通信帯域幅、決定されたパイロットトーン位置、および決定されたパイロット値に基づき得る。別の態様では、通信帯域幅は２０ＭＨｚであることがあり、決定された基本パイロットシーケンスは、第１の基本パイロットシーケンス｛１，１，１，−１，１，１，−１，−１，１，１，−１，１，−１，１，１，１，１，−１｝または第２の基本パイロットシーケンス｛１，−１，−１，−１，−１，１，−１，１，−１，−１，１，１，−１，−１，１，−１，−１，−１｝であり得る。別の態様では、通信帯域幅は４０ＭＨｚであることがあり、決定された基本パイロットシーケンスは、第１の基本パイロットシーケンス｛１，−１，１，−１，−１，１，−１，１，−１，１，−１，−１，−１，１，−１，１，１，１，１，−１，−１，−１，−１，−１，−１，１，−１，−１，−１，−１，１，１，−１，−１，１，１｝または第２の基本パイロットシーケンス｛１，１，−１，−１，１，１，−１，−１，−１，−１，１，−１，−１，−１，−１，−１，−１，１，１，１，１，−１，１，−１，−１，−１，１，−１，１，−１，１，−１，−１，１，−１，１｝であり得る。別の態様では、通信帯域幅は８０ＭＨｚであることがあり、決定された基本パイロットシーケンスは、第１の基本パイロットシーケンス｛−１，１，１，１，−１，−１，１，１，−１，−１，１，−１，１，−１，１，１，−１，１，−１，１，１，１，１，１，−１，−１，１，１，１，１，１，−１，１，−１，−１，−１，１，−１，１，−１，１，−１，−１，−１，−１，−１，１，−１，−１，１，１，−１，１，１，−１，−１，１，−１，１，１，−１，１，−１，１，−１，−１，−１，−１，１，１，−１，−１，−１，１｝または第２の基本パイロットシーケンス｛−１，１，１，１，１，−１，−１，１，１，１，−１，−１，−１，１，１，−１，１，−１，１，１，−１，−１，１，−１，−１，１，１，−１，１，１，１，１，１，−１，１，−１，１，−１，１，１，１，１，−１，−１，−１，−１，−１，−１，１，−１，−１，−１，−１，−１，１，１，−１，１，−１，−１，−１，−１，１，−１，１，１，−１，−１，１，−１，１，−１，−１，１｝であり得る。別の態様では、通信帯域幅は１６０ＭＨｚであることがあり、決定された基本パイロットシーケンスは、第１の基本パイロットシーケンス｛−１，１，１，１，−１，−１，１，１，−１，−１，１，−１，１，−１，１，１，−１，１，−１，１，１，１，１，１，−１，−１，１，１，１，１，１，−１，１，−１，−１，−１，１，−１，１，−１，１，−１，−１，−１，−１，−１，１，−１，−１，１，１，−１，１，１，−１，−１，１，−１，１，１，−１，１，−１，１，−１，−１，−１，−１，１，１，−１，−１，−１，１，−１，１，１，１，−１，−１，１，１，−１，−１，１，−１，１，−１，１，１，−１，１，−１，１，１，１，１，１，−１，−１，１，１，１，１，１，−１，１，−１，−１，−１，１，−１，１，−１，１，−１，−１，−１，−１，−１，１，−１，−１，１，１，−１，１，１，−１，−１，１，−１，１，１，−１，１，−１，１，−１，−１，−１，−１，１，１，−１，−１，−１，１｝または第２の基本パイロットシーケンス｛−１，１，１，１，１，−１，−１，１，１，１，−１，−１，−１，１，１，−１，１，−１，１，１，−１，−１，１，−１，−１，１，１，−１，１，１，１，１，１，−１，１，−１，１，−１，１，１，１，１，−１，−１，−１，−１，−１，−１，１，−１，−１，−１，−１，−１，１，１，−１，１，−１，−１，−１，−１，１，−１，１，１，−１，−１，１，−１，１，−１，−１，１，−１，１，１，１，１，−１，−１，１，１，１，−１，−１，−１，１，１，−１，１，−１，１，１，−１，−１，１，−１，−１，１，１，−１，１，１，１，１，１，−１，１，−１，１，−１，１，１，１，１，−１，−１，−１，−１，−１，−１，１，−１，−１，−１，−１，−１，１，１，−１，１，−１，−１，−１，−１，１，−１，１，１，−１，−１，１，−１，１，−１，−１，１｝であり得る。別の態様では、初期パイロットシーケンスは、少なくとも１つのリソースユニットと関連付けられる名目トーンインデックスの集合に基づいて決定され得る。別の態様では、パイロットシーケンスは、データシンボルインデックスに基づいて、決定された初期パイロットシーケンスをシフトすることによって決定され得る。
【００１３】
[0013]別の態様では、ワイヤレス通信のための装置が提供される。装置は、メモリと少なくとも１つのプロセッサとを含み得る。少なくとも１つのプロセッサは、通信のために局に割り振られる１つまたは複数のリソースユニットを示すメッセージを受信し、受信されたメッセージに基づいて１つまたは複数のリソースユニットのためのパイロット信号の集合を生成し、１つまたは複数のリソースユニットにおいてデータとパイロット信号の生成された集合とを送信するように構成され得る。ある態様では、メッセージは、トーンインデックスの集合、識別子、リソースユニットごとの使用可能なトーンの数を示すリソースユニットサイズ、通信帯域幅、またはデータシンボル情報のうちの少なくとも１つを含む、割振り情報を含み得る。一構成では、少なくとも１つのプロセッサは、１つまたは複数のリソースユニットと関連付けられるパイロットトーン位置を決定することによって、決定されたパイロットトーン位置と関連付けられるパイロットシーケンスを決定することによって、および、決定されたパイロットシーケンスとパイロット極性シーケンスとに基づいて、決定されたパイロットトーン位置に対するパイロット値を決定することによって、パイロット信号の集合を生成するように構成され得る。ある態様では、パイロットシーケンスは、データシンボルインデックスに基づいて初期パイロットシーケンスをシフトすることによって決定される。別の態様では、１つまたは複数のリソースユニットの各リソースユニットは、２６個の使用可能なトーンと２つのパイロットトーン位置とを有することがあり、パイロットシーケンスは、初期パイロットシーケンス｛１，−１｝に基づいて決定されることがある。別の態様では、１つまたは複数のリソースユニットの各リソースユニットは、５２個の使用可能なトーンまたは１０６個の使用可能なトーンを有することがあり、４つのパイロットトーン位置を有することがあり、パイロットシーケンスは、初期パイロットシーケンス｛１，１，１，−１｝に基づいて決定されることがある。別の態様では、１つまたは複数のリソースユニットの各リソースユニットは、２４２個の使用可能なトーンを有することがあり、８つのパイロットトーン位置を有することがあり、パイロットシーケンスは、初期パイロットシーケンス｛１，１，１，−１，−１，１，１，１｝に基づいて決定されることがある。別の態様では、１つまたは複数のリソースユニットの各リソースユニットは、４８４個の使用可能なトーンまたは９９６個の使用可能なトーンを有することがあり、１６個のパイロットトーン位置を有することがあり、パイロットシーケンスは、初期パイロットシーケンス｛１，１，１，−１，−１，１，１，１，１，１，１，−１，−１，１，１，１｝に基づいて決定されることがある。別の態様では、１つまたは複数のリソースユニットの各リソースユニットは、１９９２個の使用可能なトーンと３２個のパイロットトーン位置を有することがあり、パイロットシーケンスは、初期パイロットシーケンス｛１，１，１，−１，−１，１，１，１，１，１，１，−１，−１，１，１，１，１，１，１，−１，−１，１，１，１，１，１，１，−１，−１，１，１，１｝に基づいて決定されることがある。別の態様では、パイロット信号の生成された集合は、プリアンブルのＳＩＧフィールドの中のシンボルの数に基づき得る。別の構成では、少なくとも１つのプロセッサは、通信帯域幅を決定することによって、決定された通信帯域幅と関連付けられる基本パイロットシーケンスを決定することによって、少なくとも１つのリソースユニットにおいて使用可能なトーンの数を決定することによって、ならびに、通信帯域幅、決定された基本パイロットシーケンス、および使用可能なトーンの決定された数に基づいて初期パイロットシーケンスを決定することによって、パイロットシーケンスを決定するように構成され得る。別の態様では、少なくとも１つのリソースユニットにおけるパイロット信号の生成された集合は、通信帯域幅、決定されたパイロットトーン位置、および決定されたパイロット値に基づき得る。別の態様では、通信帯域幅は２０ＭＨｚであることがあり、決定された基本パイロットシーケンスは、第１の基本パイロットシーケンス｛１，１，１，−１，１，１，−１，−１，１，１，−１，１，−１，１，１，１，１，−１｝または第２の基本パイロットシーケンス｛１，−１，−１，−１，−１，１，−１，１，−１，−１，１，１，−１，−１，１，−１，−１，−１｝であり得る。別の態様では、通信帯域幅は４０ＭＨｚであることがあり、決定された基本パイロットシーケンスは、第１の基本パイロットシーケンス｛１，−１，１，−１，−１，１，−１，１，−１，１，−１，−１，−１，１，−１，１，１，１，１，−１，−１，−１，−１，−１，−１，１，−１，−１，−１，−１，１，１，−１，−１，１，１｝または第２の基本パイロットシーケンス｛１，１，−１，−１，１，１，−１，−１，−１，−１，１，−１，−１，−１，−１，−１，−１，１，１，１，１，−１，１，−１，−１，−１，１，−１，１，−１，１，−１，−１，１，−１，１｝であり得る。別の態様では、通信帯域幅は８０ＭＨｚであることがあり、決定された基本パイロットシーケンスは、第１の基本パイロットシーケンス｛−１，１，１，１，−１，−１，１，１，−１，−１，１，−１，１，−１，１，１，−１，１，−１，１，１，１，１，１，−１，−１，１，１，１，１，１，−１，１，−１，−１，−１，１，−１，１，−１，１，−１，−１，−１，−１，−１，１，−１，−１，１，１，−１，１，１，−１，−１，１，−１，１，１，−１，１，−１，１，−１，−１，−１，−１，１，１，−１，−１，−１，１｝または第２の基本パイロットシーケンス｛−１，１，１，１，１，−１，−１，１，１，１，−１，−１，−１，１，１，−１，１，−１，１，１，−１，−１，１，−１，−１，１，１，−１，１，１，１，１，１，−１，１，−１，１，−１，１，１，１，１，−１，−１，−１，−１，−１，−１，１，−１，−１，−１，−１，−１，１，１，−１，１，−１，−１，−１，−１，１，−１，１，１，−１，−１，１，−１，１，−１，−１，１｝であり得る。別の態様では、通信帯域幅は１６０ＭＨｚであることがあり、決定された基本パイロットシーケンスは、第１の基本パイロットシーケンス｛−１，１，１，１，−１，−１，１，１，−１，−１，１，−１，１，−１，１，１，−１，１，−１，１，１，１，１，１，−１，−１，１，１，１，１，１，−１，１，−１，−１，−１，１，−１，１，−１，１，−１，−１，−１，−１，−１，１，−１，−１，１，１，−１，１，１，−１，−１，１，−１，１，１，−１，１，−１，１，−１，−１，−１，−１，１，１，−１，−１，−１，１，−１，１，１，１，−１，−１，１，１，−１，−１，１，−１，１，−１，１，１，−１，１，−１，１，１，１，１，１，−１，−１，１，１，１，１，１，−１，１，−１，−１，−１，１，−１，１，−１，１，−１，−１，−１，−１，−１，１，−１，−１，１，１，−１，１，１，−１，−１，１，−１，１，１，−１，１，−１，１，−１，−１，−１，−１，１，１，−１，−１，−１，１｝または第２の基本パイロットシーケンス｛−１，１，１，１，１，−１，−１，１，１，１，−１，−１，−１，１，１，−１，１，−１，１，１，−１，−１，１，−１，−１，１，１，−１，１，１，１，１，１，−１，１，−１，１，−１，１，１，１，１，−１，−１，−１，−１，−１，−１，１，−１，−１，−１，−１，−１，１，１，−１，１，−１，−１，−１，−１，１，−１，１，１，−１，−１，１，−１，１，−１，−１，１，−１，１，１，１，１，−１，−１，１，１，１，−１，−１，−１，１，１，−１，１，−１，１，１，−１，−１，１，−１，−１，１，１，−１，１，１，１，１，１，−１，１，−１，１，−１，１，１，１，１，−１，−１，−１，−１，−１，−１，１，−１，−１，−１，−１，−１，１，１，−１，１，−１，−１，−１，−１，１，−１，１，１，−１，−１，１，−１，１，−１，−１，１｝であり得る。別の態様では、初期パイロットシーケンスは、少なくとも１つのリソースユニットと関連付けられる名目トーンインデックスの集合に基づいて決定され得る。別の態様では、パイロットシーケンスは、データシンボルインデックスに基づいて、決定された初期パイロットシーケンスをシフトすることによって決定され得る。
【００１４】
[0014]別の態様では、ワイヤレス通信のための装置が提供される。装置は、通信のために局に割り振られる１つまたは複数のリソースユニットを示すメッセージを受信するための手段と、受信されたメッセージに基づいて１つまたは複数のリソースユニットのためのパイロット信号の集合を生成するための手段と、１つまたは複数のリソースユニットにおいてデータとパイロット信号の生成された集合とを送信するための手段とを含み得る。ある態様では、メッセージは、トーンインデックスの集合、識別子、リソースユニットごとの使用可能なトーンの数を示すリソースユニットサイズ、通信帯域幅、またはデータシンボル情報のうちの少なくとも１つを含む、割振り情報を含み得る。一構成では、パイロット信号の集合を生成するための手段は、１つまたは複数のリソースユニットと関連付けられるパイロットトーン位置を決定し、決定されたパイロットトーン位置と関連付けられるパイロットシーケンスを決定し、決定されたパイロットシーケンスおよびパイロット極性シーケンスに基づいて、決定されたパイロットトーン位置に対するパイロット値を決定するように構成され得る。ある態様では、パイロットシーケンスは、データシンボルインデックスに基づいて初期パイロットシーケンスをシフトすることによって決定される。別の態様では、１つまたは複数のリソースユニットの各リソースユニットは、２６個の使用可能なトーンと２つのパイロットトーン位置とを有することがあり、パイロットシーケンスは、初期パイロットシーケンス｛１，−１｝に基づいて決定されることがある。別の態様では、１つまたは複数のリソースユニットの各リソースユニットは、５２個の使用可能なトーンまたは１０６個の使用可能なトーンを有することがあり、４つのパイロットトーン位置を有することがあり、パイロットシーケンスは、初期パイロットシーケンス｛１，１，１，−１｝に基づいて決定されることがある。別の態様では、１つまたは複数のリソースユニットの各リソースユニットは、２４２個の使用可能なトーンを有することがあり、８つのパイロットトーン位置を有することがあり、パイロットシーケンスは、初期パイロットシーケンス｛１，１，１，−１，−１，１，１，１｝に基づいて決定されることがある。別の態様では、１つまたは複数のリソースユニットの各リソースユニットは、４８４個の使用可能なトーンまたは９９６個の使用可能なトーンを有することがあり、１６個のパイロットトーン位置を有することがあり、パイロットシーケンスは、初期パイロットシーケンス｛１，１，１，−１，−１，１，１，１，１，１，１，−１，−１，１，１，１｝に基づいて決定されることがある。別の態様では、１つまたは複数のリソースユニットの各リソースユニットは、１９９２個の使用可能なトーンと３２個のパイロットトーン位置を有することがあり、パイロットシーケンスは、初期パイロットシーケンス｛１，１，１，−１，−１，１，１，１，１，１，１，−１，−１，１，１，１，１，１，１，−１，−１，１，１，１，１，１，１，−１，−１，１，１，１｝に基づいて決定されることがある。別の態様では、パイロット信号の生成された集合は、プリアンブルのＳＩＧフィールドの中のシンボルの数に基づき得る。別の構成では、パイロットシーケンスを決定するための手段は、通信帯域幅を決定し、決定された通信帯域幅と関連付けられる基本パイロットシーケンスを決定し、少なくとも１つのリソースユニットにおいて使用可能なトーンの数を決定し、通信帯域幅、決定された基本パイロットシーケンス、および使用可能なトーンの決定された数に基づいて初期パイロットシーケンスを決定するように構成され得る。別の態様では、少なくとも１つのリソースユニットにおけるパイロット信号の生成された集合は、通信帯域幅、決定されたパイロットトーン位置、および決定されたパイロット値に基づき得る。別の態様では、通信帯域幅は２０ＭＨｚであることがあり、決定された基本パイロットシーケンスは、第１の基本パイロットシーケンス｛１，１，１，−１，１，１，−１，−１，１，１，−１，１，−１，１，１，１，１，−１｝または第２の基本パイロットシーケンス｛１，−１，−１，−１，−１，１，−１，１，−１，−１，１，１，−１，−１，１，−１，−１，−１｝であり得る。別の態様では、通信帯域幅は４０ＭＨｚであることがあり、決定された基本パイロットシーケンスは、第１の基本パイロットシーケンス｛１，−１，１，−１，−１，１，−１，１，−１，１，−１，−１，−１，１，−１，１，１，１，１，−１，−１，−１，−１，−１，−１，１，−１，−１，−１，−１，１，１，−１，−１，１，１｝または第２の基本パイロットシーケンス｛１，１，−１，−１，１，１，−１，−１，−１，−１，１，−１，−１，−１，−１，−１，−１，１，１，１，１，−１，１，−１，−１，−１，１，−１，１，−１，１，−１，−１，１，−１，１｝であり得る。別の態様では、通信帯域幅は８０ＭＨｚであることがあり、決定された基本パイロットシーケンスは、第１の基本パイロットシーケンス｛−１，１，１，１，−１，−１，１，１，−１，−１，１，−１，１，−１，１，１，−１，１，−１，１，１，１，１，１，−１，−１，１，１，１，１，１，−１，１，−１，−１，−１，１，−１，１，−１，１，−１，−１，−１，−１，−１，１，−１，−１，１，１，−１，１，１，−１，−１，１，−１，１，１，−１，１，−１，１，−１，−１，−１，−１，１，１，−１，−１，−１，１｝または第２の基本パイロットシーケンス｛−１，１，１，１，１，−１，−１，１，１，１，−１，−１，−１，１，１，−１，１，−１，１，１，−１，−１，１，−１，−１，１，１，−１，１，１，１，１，１，−１，１，−１，１，−１，１，１，１，１，−１，−１，−１，−１，−１，−１，１，−１，−１，−１，−１，−１，１，１，−１，１，−１，−１，−１，−１，１，−１，１，１，−１，−１，１，−１，１，−１，−１，１｝であり得る。別の態様では、通信帯域幅は１６０ＭＨｚであることがあり、決定された基本パイロットシーケンスは、第１の基本パイロットシーケンス｛−１，１，１，１，−１，−１，１，１，−１，−１，１，−１，１，−１，１，１，−１，１，−１，１，１，１，１，１，−１，−１，１，１，１，１，１，−１，１，−１，−１，−１，１，−１，１，−１，１，−１，−１，−１，−１，−１，１，−１，−１，１，１，−１，１，１，−１，−１，１，−１，１，１，−１，１，−１，１，−１，−１，−１，−１，１，１，−１，−１，−１，１，−１，１，１，１，−１，−１，１，１，−１，−１，１，−１，１，−１，１，１，−１，１，−１，１，１，１，１，１，−１，−１，１，１，１，１，１，−１，１，−１，−１，−１，１，−１，１，−１，１，−１，−１，−１，−１，−１，１，−１，−１，１，１，−１，１，１，−１，−１，１，−１，１，１，−１，１，−１，１，−１，−１，−１，−１，１，１，−１，−１，−１，１｝または第２の基本パイロットシーケンス｛−１，１，１，１，１，−１，−１，１，１，１，−１，−１，−１，１，１，−１，１，−１，１，１，−１，−１，１，−１，−１，１，１，−１，１，１，１，１，１，−１，１，−１，１，−１，１，１，１，１，−１，−１，−１，−１，−１，−１，１，−１，−１，−１，−１，−１，１，１，−１，１，−１，−１，−１，−１，１，−１，１，１，−１，−１，１，−１，１，−１，−１，１，−１，１，１，１，１，−１，−１，１，１，１，−１，−１，−１，１，１，−１，１，−１，１，１，−１，−１，１，−１，−１，１，１，−１，１，１，１，１，１，−１，１，−１，１，−１，１，１，１，１，−１，−１，−１，−１，−１，−１，１，−１，−１，−１，−１，−１，１，１，−１，１，−１，−１，−１，−１，１，−１，１，１，−１，−１，１，−１，１，−１，−１，１｝であり得る。別の態様では、初期パイロットシーケンスは、少なくとも１つのリソースユニットと関連付けられる名目トーンインデックスの集合に基づいて決定され得る。別の態様では、パイロットシーケンスは、データシンボルインデックスに基づいて、決定された初期パイロットシーケンスをシフトすることによって決定され得る。
【００１５】
[0015]別の態様では、ワイヤレス通信のためのコンピュータ実行可能コードを記憶するコンピュータ可読媒体が提供される。コンピュータ可読媒体は、通信のために局に割り振られる１つまたは複数のリソースユニットを示すメッセージを受信し、受信されたメッセージに基づいて１つまたは複数のリソースユニットのためのパイロット信号の集合を生成し、１つまたは複数のリソースユニットにおいてデータとパイロット信号の生成された集合とを送信するためのコードを含み得る。
【図面の簡単な説明】
【００１６】
【図１】[0016]本開示の態様が利用され得る例示的なワイヤレス通信システムを示す図。
【図２】[0017]ワイヤレスネットワークの例示的な図。
【図３】[0018]マルチキャリア割振りのためのトーンプランを示す図。
【図４】[0019]２０ＭＨｚシンボルのためのリソースユニット構成とパイロットトーン位置とを示す図。
【図５】[0020]４０ＭＨｚシンボルのためのリソースユニット構成とパイロットトーン位置とを示す図。
【図６】[0021]８０ＭＨｚシンボルのためのリソースユニット構成とパイロットトーン位置とを示す図。
【図７】[0022]リソースユニットを割り振り、ワイヤレスネットワーク（たとえば、ＷＬＡＮネットワーク）において使用するためのパイロット信号を決定するための方法の例示的な図。
【図８】[0023]リソースユニットを割り振るための、図１のワイヤレス通信システム内で利用され得るワイヤレスデバイスの機能ブロック図。
【図９】[0024]シンボルの中でリソースユニットを割り振り、データ送信のためのパイロット信号を生成する例示的な方法のフローチャート。
【図１０】[0025]リソースユニットを割り振るための例示的なワイヤレス通信デバイスの機能ブロック図。
【図１１】[0026]パイロット信号を生成するための、図１のワイヤレス通信システム内で利用され得るワイヤレスデバイスの機能ブロック図。
【図１２】[0027]データ送信のために使用されるべきパイロット信号を決定するための例示的な方法のフローチャート。
【図１３】[0028]データ送信のために使用されるべきパイロット信号を決定するための例示的なワイヤレス通信デバイスの機能ブロック図。
【詳細な説明】
【００１７】
[0029]添付の図面を参照して、新規のシステム、装置、コンピュータ可読媒体、および方法の様々な態様が、以下でより十分に説明される。しかしながら、本開示は、多くの異なる形態で具現化されることがあり、本開示全体にわたって提示されるいかなる特定の構造または機能にも限定されるものと解釈されるべきではない。むしろ、これらの態様は、本開示が完全になり、本開示の範囲を当業者に十分に伝えるように提供される。本明細書の教示に基づいて、本開示の範囲は、本発明の他の態様とは無関係に実装されようと、本発明の他の態様と組み合わされようと、本明細書で開示される新規のシステム、装置、コンピュータ可読媒体、および方法のいかなる態様も包含することが意図されることを当業者は諒解されたい。たとえば、本明細書に記載された任意の数の態様を使用して、装置が実装されることがあり、または方法が実践されることがある。加えて、本発明の範囲は、本明細書に記載された本発明の様々な態様に加えて、またはそれら以外の、他の構造、機能、または構造および機能を使用して実践される装置または方法を包含することが意図される。本明細書で開示される任意の態様が、請求項の１つまたは複数の要素によって具現化され得ることを理解されたい。
【００１８】
[0030]特定の態様が本明細書において説明されるが、これらの態様の多くの変形および置換が本開示の範囲内に入る。好適な態様のいくつかの利益および利点が言及されるが、本開示の範囲は特定の利益、使用、または目的に限定されることは意図されない。むしろ、本開示の態様は、様々なワイヤレス技術、システム構成、ネットワーク、および伝送プロトコルに広く適用可能であることが意図され、それらのうちのいくつかが例として、図において、および好適な態様の以下の説明において示される。詳細な説明および図面は、本開示を限定するものではなく説明するものにすぎず、本開示の範囲は添付の特許請求の範囲およびそれの均等物によって定義される。
【００１９】
[0031]普及しているワイヤレスネットワーク技術は、様々なタイプのＷＬＡＮを含み得る。ＷＬＡＮは、広く使用されるネットワーキングプロトコルを利用して、近くのデバイスを互いに相互接続するために使用され得る。本明細書で説明される様々な態様は、ワイヤレスプロトコルなどの、任意の通信規格に適用され得る。
【００２０】
[0032]いくつかの態様では、ワイヤレス信号は、直交周波数分割多重（ＯＦＤＭ）、直接シーケンス拡散スペクトル（ＤＳＳＳ：direct-sequence spread spectrum）通信、ＯＦＤＭとＤＳＳＳ通信との組合せ、または他の方式を使用する８０２．１１プロトコルに従って送信され得る。８０２．１１プロトコルの実装形態は、センサ、計量（metering）、およびスマートグリッドネットワークに使用されることがある。有利なことに、８０２．１１プロトコルを実装するいくつかのデバイスの態様は、他のワイヤレスプロトコルを実装するデバイスよりも消費する電力が少ないことがあり、および／または、比較的長い距離、たとえば約１キロメートル以上にわたってワイヤレス信号を送信するために使用されることがある。
【００２１】
[0033]いくつかの実装形態では、ＷＬＡＮは、ワイヤレスネットワークにアクセスする構成要素である様々なデバイスを含む。たとえば、アクセスポイント（「ＡＰ」）およびクライアント（局または「ＳＴＡ」とも呼ばれる）という２つのタイプのデバイスが存在し得る。一般に、ＡＰはＷＬＡＮのハブまたは基地局として働くことができ、ＳＴＡはＷＬＡＮのユーザとして働く。たとえば、ＳＴＡは、ラップトップコンピュータ、携帯情報端末（ＰＤＡ）、携帯電話などであり得る。ある例では、ＳＴＡは、インターネットまたは他のワイドエリアネットワークへの一般的な接続性を得るためにＷｉ−Ｆｉ（登録商標）（たとえば、ＩＥＥＥ８０２．１１プロトコル）準拠ワイヤレスリンクを介してＡＰに接続する。いくつかの実装形態では、ＳＴＡはＡＰとして使用されることもある。
【００２２】
[0034]アクセスポイントはまた、ＮｏｄｅＢ、無線ネットワークコントローラ（ＲＮＣ）、ｅＮｏｄｅＢ、基地局コントローラ（ＢＳＣ）、トランシーバ基地局（ＢＴＳ）、基地局（ＢＳ）、トランシーバ機能（ＴＦ）、無線ルータ、無線トランシーバ、接続ポイント、もしくは何らかの他の用語を備え、それらのいずれかとして実装され、またはそれらのいずれかとして知られていることがある。
【００２３】
[0035]ＳＴＡは、アクセス端末（「ＡＴ」）、加入者局、加入者ユニット、移動局、リモート局、リモート端末、ユーザ端末、ユーザエージェント、ユーザデバイス、ユーザ機器、もしくは他の何らかの用語を備え、それらのいずれかとして実装され、またはそれらのいずれかとして知られていることがある。いくつかの実装形態では、ＳＴＡは、携帯電話、コードレス電話、セッション開始プロトコル（ＳＩＰ）電話、ワイヤレスローカルループ（ＷＬＬ）局、携帯情報端末（ＰＤＡ）、ワイヤレス接続機能を有するハンドヘルドデバイス、またはワイヤレスモデムに接続された何らかの他の好適な処理デバイスを備え得る。したがって、本明細書で教示される１つまたは複数の態様は、電話（たとえば、携帯電話またはスマートフォン）、コンピュータ（たとえば、ラップトップ）、ポータブル通信デバイス、ヘッドセット、ポータブルコンピューティングデバイス（たとえば、携帯情報端末）、エンターテインメントデバイス（たとえば、音楽デバイスもしくはビデオデバイス、または衛星ラジオ）、ゲームデバイスもしくはゲームシステム、全地球測位システムデバイス、または、ワイヤレス媒体を介して通信するように構成された任意の他の適切なデバイスに組み込まれ得る。
【００２４】
[0036]一態様では、ワイドエリアＷＬＡＮ（たとえば、Ｗｉ−Ｆｉ）接続性のために、ＭＩＭＯ方式が使用され得る。ＭＩＭＯは、マルチパスと呼ばれる電波特性を活用する。マルチパスでは、送信されるデータは、物体（たとえば、壁、ドア、家具など）に当たって跳ね返り、様々なルートを通って、様々な時間に複数回受信アンテナに到達することがある。ＭＩＭＯを利用するＷＬＡＮデバイスは、データストリームを空間ストリームと呼ばれる複数の部分に分割し、別々のアンテナを通じて、各空間ストリームを受信ＷＬＡＮデバイス上の対応するアンテナに送信する。
【００２５】
[0037]「関連付ける」もしくは「関連付け」という用語、またはそれの任意の変形形態は、本開示の文脈内で可能な最も広い意味を与えられるべきである。例として、第１の装置が第２の装置に関連付けるとき、２つの装置が直接関連付けられ得るか、または中間装置が存在し得ることを理解されたい。簡潔のために、２つの装置間の関連付けを確立するためのプロセスが、装置のうちの１つによる「関連付け要求」と、後続の、他の装置による「関連付け応答」とを必要とする、ハンドシェイクプロトコルを使用して説明される。ハンドシェイクプロトコルは、例として、認証を行うためのシグナリングなどの、他のシグナリングを必要とし得ることが、当業者には理解されよう。
【００２６】
[0038]本明細書における「第１」、「第２」などの名称を使用した要素への言及は、それらの要素の数量または順序を全般に限定するものでない。むしろ、これらの名称は、２つ以上の要素またはある要素の２つ以上の事例を区別する便利な方法として、本明細書では使用される。したがって、第１の要素および第２の要素への言及は、２つの要素のみが利用され得ること、または第１の要素が第２の要素に先行しなければならないことを意味しない。加えて、項目のリスト「のうちの少なくとも１つ」を指すフレーズは、単一のメンバーを含む、それらの項目の任意の組合せを指す。例として、「Ａ、Ｂ、またはＣのうちの少なくとも１つ」は、Ａ、またはＢ、またはＣ、またはこれらの任意の組合せ（たとえば、Ａ−Ｂ、Ａ−Ｃ、Ｂ−Ｃ、およびＡ−Ｂ−Ｃ）を包含することが意図される。
【００２７】
[0039]上で論じられたように、本明細書で説明されるいくつかのデバイスは、たとえば、８０２．１１規格を実装することがある。そのようなデバイスは、ＳＴＡとして使用されるか、ＡＰとして使用されるか、他のデバイスとして使用されるかにかかわらず、スマートメータリングのために、またはスマートグリッドネットワークにおいて使用されることがある。そのようなデバイスは、センサへの適用例を提供するか、またはホームオートメーションにおいて使用されることがある。その代わりに、またはそれに加えて、デバイスは、たとえば個人の健康管理のために、健康管理の状況で使用されることがある。デバイスはまた、監視のために、拡張された範囲のインターネット接続を可能にするために（たとえば、ホットスポットでの使用のために）、またはマシン間通信を実装するために使用されることがある。
【００２８】
[0040]図１は、本開示の態様が利用され得る、例示的なワイヤレス通信システム１００を示す。ワイヤレス通信システム１００は、ワイヤレス規格、たとえば８０２．１１規格に従って動作し得る。ワイヤレス通信システム１００は、ＳＴＡ（たとえば、ＳＴＡ１１２、１１４、１１６、および１１８）と通信するＡＰ１０４を含み得る。
【００２９】
[0041]様々なプロセスおよび方法は、ＡＰ１０４とＳＴＡとの間の、ワイヤレス通信システム１００における送信のために使用され得る。たとえば、信号は、ＯＦＤＭ／ＯＦＤＭＡ技法に従って、ＡＰ１０４とＳＴＡとの間で送信および受信され得る。この場合、ワイヤレス通信システム１００はＯＦＤＭ／ＯＦＤＭＡシステムと呼ばれることがある。代替的に、信号は、ＣＤＭＡ技法に従って、ＡＰ１０４とＳＴＡとの間で送信および受信され得る。この場合、ワイヤレス通信システム１００はＣＤＭＡシステムと呼ばれることがある。
【００３０】
[0042]ＡＰ１０４からＳＴＡのうちの１つまたは複数への送信を可能にする通信リンクはダウンリンク（ＤＬ）１０８と呼ばれることがあり、ＳＴＡのうちの１つまたは複数からＡＰ１０４への送信を可能にする通信リンクはアップリンク（ＵＬ）１１０と呼ばれることがある。代替的に、ダウンリンク１０８は順方向リンクまたは順方向チャネルと呼ばれることがあり、アップリンク１１０は逆方向リンクまたは逆方向チャネルと呼ばれることがある。いくつかの態様では、ＤＬ通信は、ユニキャストまたはマルチキャストのトラフィック指示を含むことがある。
【００３１】
[0043]ＡＰ１０４は、いくつかの態様では、ＡＰ１０４が顕著なアナログデジタル変換（ＡＤＣ）クリッピング雑音（clipping noise）を引き起こすことなく同時に２つ以上のチャネル上でＵＬ通信を受信できるように、隣接チャネル干渉（ＡＣＩ：adjacent channel interference）を抑制し得る。ＡＰ１０４は、たとえば、各チャネルに対して別々の有限インパルス応答（ＦＩＲ）フィルタを有すること、または拡大されたビット幅をもつより長いＡＤＣバックオフ期間を有することによって、ＡＣＩの抑制を改善し得る。
【００３２】
[0044]ＡＰ１０４は、基地局として働き、基本サービスエリア（ＢＳＡ）１０２においてワイヤレス通信カバレッジを与え得る。ＢＳＡ（たとえば、ＢＳＡ１０２）は、ＡＰ（たとえば、ＡＰ１０４）のカバレッジエリアである。ＡＰ１０４は、ＡＰ１０４と関連付けられ通信にＡＰ１０４を使用するＳＴＡとともに、基本サービスセット（ＢＳＳ）と呼ばれることがある。ワイヤレス通信システム１００は、中央ＡＰ（たとえば、ＡＰ１０４）をもたないことがあり、むしろ、ＳＴＡ間のピアツーピアネットワークとして機能することがあることに留意されたい。したがって、本明細書で説明されるＡＰ１０４の機能は、ＳＴＡのうちの１つまたは複数によって代わりに実行されることがある。
【００３３】
[0045]ＡＰ１０４は、ダウンリンク１０８などの通信リンクを介して、ワイヤレス通信システム１００の他のノード（ＳＴＡ）にビーコン信号（または単に「ビーコン」）を、１つまたは複数のチャネル（たとえば、各チャネルが周波数帯域幅を含む、複数の狭帯域チャネル）上で送信することができ、ビーコン信号は、他のノード（ＳＴＡ）がそれらのタイミングをＡＰ１０４と同期するのを助けることができ、または他の情報もしくは機能を提供することができる。そのようなビーコンは、定期的に送信されることがある。一態様では、連続する送信同士の間の期間は、スーパーフレームと呼ばれることがある。ビーコンの送信は、いくつかのグループまたは間隔に分割されることがある。一態様では、ビーコンは、限定はされないが、共通クロックを設定するためのタイムスタンプ情報、ピアツーピアネットワーク識別子、デバイス識別子、能力情報、スーパーフレーム持続時間、送信方向情報、受信方向情報、近隣リスト、および／または拡張近隣リストなどの情報を含むことがあり、それらのうちのいくつかが以下でさらに詳細に説明される。したがって、ビーコンは、いくつかのデバイスの間で共通である（たとえば、共有される）とともに所与のデバイスに固有である情報を含むことがある。
【００３４】
[0046]いくつかの態様では、ＳＴＡ（たとえば、ＳＴＡ１１４）は、ＡＰ１０４に通信を送信するために、および／またはＡＰ１０４から通信を受信するために、ＡＰ１０４に関連付けるように要求されることがある。一態様では、関連付けるための情報は、ＡＰ１０４によってブロードキャストされるビーコンに含まれる。そのようなビーコンを受信するために、ＳＴＡ１１４は、たとえば、カバレッジ領域にわたって広範なカバレッジ探索を実行することができる。また、探索は、ＳＴＡ１１４によって、たとえば、灯台方式（lighthouse fashion）でカバレッジ領域を掃引することによって実行され得る。関連付けるための情報を受信した後、ＳＴＡ１１４は、関連付けプローブまたは関連付け要求などの基準信号をＡＰ１０４に送信することがある。いくつかの態様では、ＡＰ１０４は、たとえば、インターネットまたは公衆交換電話網（ＰＳＴＮ）などのより大きいネットワークと通信するために、バックホールサービスを使用することがある。
【００３５】
[0047]ある態様では、ＡＰ１０４は、様々な機能を実行するための１つまたは複数の構成要素（または回路）を含み得る。たとえば、ＡＰ１０４は、リソースユニットを割り振ることとデータ送信のためのパイロット信号を生成することとに関する手順を実行するように構成される、パイロット割振り構成要素１２４（たとえば、パイロット割振り回路）を含み得る。この例では、パイロット割振り構成要素１２４は、通信のための複数のリソースユニットを決定し、複数のリソースユニットのうちの少なくとも１つのリソースユニットにおいてパイロット信号の集合を生成し、複数のリソースユニットのうちの少なくとも１つのリソースユニットにおいてパイロット信号の生成された集合を送信するように構成され得る。
【００３６】
[0048]別の態様では、ＳＴＡ１１４は、様々な機能を実行するための１つまたは複数の構成要素（または回路）を含み得る。たとえば、ＳＴＡ１１４は、データ送信のためのパイロット信号を生成することに関する手順を実行するように構成される、パイロット決定構成要素１２６を含み得る。この例では、パイロット決定構成要素１２６は、通信のためにＳＴＡ１１４に割り振られる１つまたは複数のリソースユニットを示すメッセージをＡＰ１０４から受信し、１つまたは複数のリソースユニットのためのパイロット信号の集合を生成し、１つまたは複数のリソースユニットにおいてデータとパイロット信号の生成された集合とを送信するように構成され得る。
【００３７】
[0049]Ｗｉ−Ｆｉネットワークでは、データは、固定された時間の期間の間に固定された周波数帯域上で変調され得る波形を使用して、ワイヤレス媒体を介してパケット（フレームとも呼ばれる）の中で通信され得る。周波数帯域は１つまたは複数のトーンのグループへと分割されることがあり、時間の期間は１つまたは複数のシンボルに分割されることがある。ある例として、２０ＭＨｚの周波数帯域は４つの５ＭＨｚのトーン（または別の個数のトーン）に分割されることがあり、８０マイクロ秒の期間は２０個の４マイクロ秒のシンボル（または異なるシンボル持続時間を有する別の個数のシンボル）へと分割されることがある。したがって、「トーン」は周波数サブバンドを表し得る。トーンは、代替的にサブキャリアと呼ばれることがある。したがって、トーンは周波数の一単位であり得る。シンボルは、ある長さの時間を表す時間の一単位であり得る。したがって、パケットのための波形は、１つまたは複数のトーン（しばしば周波数の単位の垂直方向の軸の上にある）と１つまたは複数のシンボル（しばしば時間の単位の水平方向の軸の上にある）とを含む、２次元構造として視覚化され得る。
【００３８】
[0050]各シンボルは、情報がその上で送信され得るいくつかのトーン（または周波数またはサブキャリア）を含み得る。シンボルはまた、シンボル持続時間（たとえば、１ｘシンボル持続時間（または４μｓ）、２ｘシンボル持続時間（または８μｓ）、または４ｘシンボル持続時間（または１６μｓ））を有する。より長いシンボル持続時間（たとえば、４ｘシンボル持続時間）をもつシンボルが、より多くのトーンとより長い持続時間とを有することがあり、より短いシンボル持続時間（たとえば、１ｘシンボル持続時間）をもつシンボルが、より少ないトーンとより短い持続時間とを有することがある。たとえば、４ｘシンボル持続時間をもつ第１のシンボルでは、第１のシンボルは、１ｘシンボル持続時間をもつ第２のシンボルよりも時間的に４倍長くなり得る。第１のシンボルは、１ｘシンボル持続時間をもつ第２のシンボルの４倍のトーンを有し得る。第１のシンボルは、１ｘシンボル持続時間をもつ第２のシンボルと比較して、１／４のトーン間隔を有し得る。
【００３９】
[0051]ワイヤレスネットワークでは、アップリンクまたはダウンリンクのいずれかにおいてシンボル上で送信されるデータは、データとパイロット信号とを含み得る。パイロット信号は、受信されたデータシンボルにおける位相ドリフトを追跡するために使用され得る。位相ドリフトは、ワイヤレスデバイスのタイミング誤差および／または周波数オフセットの結果であり得る。ある態様では、シンボルに対する位相ドリフト値は時間とともに線形に増大し得るので、シンボル持続時間が長くなるほど、位相オフセットは大きくなり、性能に対する影響は重大になる。位相追跡を実行する１つの方法は、単一ストリームのパイロットを使用することである。たとえば、将来のＩＥＥＥ規格（たとえば、ＩＥＥＥ８０２．１１ａｘ規格）では、物理レイヤコンバージェンスプロトコル（ＰＬＣＰ）プロトコルデータユニット（ＰＰＤＵ）が、単一ストリームのパイロットを使用し得る。ある態様では、すべてのストリームが（たとえば、アップリンクマルチユーザＭＩＭＯにおいても）同じパイロットシーケンスを使用することがある。単一ストリームのパイロットは、高効率（ＨＥ：high-efficiency）ＬＴＦまたはＨＥ−ＬＴＦなどの、ロングトレーニングフィールド（ＬＴＦ：long training field）において使用され得る。単一ストリームのパイロットはまた、シングルユーザのダウンリンクおよびアップリンクＯＦＤＭＡにおいて、ならびにマルチユーザＭＩＭＯ送信において使用され得る。したがって、単一ストリームのパイロットにおいて使用されるべきパイロット信号（たとえば、データシンボルの中のパイロット信号）を決定する必要がある。
【００４０】
[0052]図２は、ワイヤレスネットワークの例示的な図２００である。図２００は、サービスエリア２１４内でブロードキャスト／送信するＡＰ２０２を示している。ＳＴＡ２０６、２０８、２１０、２１２が、ＡＰ２０２のサービスエリア２１４内にある（４つのＳＴＡのみが図２に示されているが、より多数または少数のＳＴＡがＡＰ２０２のサービスエリア２１４内にあり得る）。
【００４１】
[0053]図２を参照すると、ＳＴＡ２０６は、たとえば、フレーム２５２の形式でパケットをＡＰ２０２に送信することがあり、その逆のこともある。フレーム２５２はプリアンブル２５４とデータシンボル２６２とを含み得る。プリアンブル２５４は、フレーム２５２を送信するための変調方式と、送信レートと、時間の長さとを特定する情報を有するフレーム２５２のヘッダと見なされ得る。プリアンブル２５４は、ＳＩＧフィールド２５６と、ショートトレーニングフィールド（ＳＴＦ：short training field）２５８と、１つまたは複数のＬＴＦシンボル２６０（たとえば、ＬＴＦ１、ＬＴＦ２、．．．、ＬＴＦＮ）とを含み得る。ＳＩＧフィールド２５６は、フレーム２５２と関連付けられるレートと長さの情報を転送するために使用され得る。ＳＴＦ２５８は、マルチ送信およびマルチ受信システムにおける自動利得制御（ＡＧＣ：automatic gain control）を改善するために使用され得る。ＬＴＦシンボル２６０は、チャネル推定を実行するために受信機（たとえば、ＡＰ２０２）のために必要とされる情報を提供し得る。
【００４２】
[0054]一態様では、位相ドリフトにより、ＳＴＡ２０６、２０８、２１０、２１２によってＡＰ２０２に（またはその逆の向きで）送信されるデータシンボル２６２は、直交していないことがある。ＳＴＡ２０６、２０８、２１０、２１２の各々のためのデータシンボル２６２における位相ドリフトを推定するために、アップリンク送信のためのデータシンボル２６２における送信のためにパイロット信号が割り振られ得る。同様に、ダウンリンク送信のためのデータシンボル２６２における送信のために、パイロット信号が割り振られ得る。
【００４３】
[0055]一態様では、データシンボル２６２はトーンプラン２７０と関連付けられ得る。トーンプラン２７０は、どのトーンがガード（またはエッジ）トーンであるか、データトーンであるか、パイロットトーンであるか、およびＤＣトーンであるかを、データシンボルにおいて示し得る。ある態様では、トーンプラン２７０は、−３２〜３１または［−３２：３１］のトーンインデックス範囲内に位置する６４個のトーンを有し得る。しかしながら、図２に示されているように、すべてのトーンインデックスが図示されているとは限らない。トーンインデックス［−３２：２９］および［２９：３１］はガードトーンであることがあり、ガードトーンは、振幅が０であるトーンであることがあり、異なるシンボルからのトーンが一緒にブリードする（bleeding together）可能性を減らすために、隣接する送信／シンボルからの隔離またはシステム分離を行うために使用されることがある。トーンプラン２７０においてトーンインデックス０に位置し得るＤＣトーンは、電力を有せず、ＡＧＣセットアップのために使用されることがある。この例は、トーンインデックス０において１つのＤＣトーンを示しているが、追加のＤＣトーンが使用され得る（たとえば、３つのＤＣトーンがトーンインデックス−１、０、１に位置し得る）。この例では、残りのトーンインデックス［−２８：１］および［１：２８］が、データとパイロット信号とを送信するための「使用可能な」トーンを含む。残りのトーン、すなわちガードトーン、ＤＣトーンは、「使用不可能」であると見なされ得る。したがって、使用可能なトーンは、ガードトーンとＤＣトーンとを除く、シンボル内のすべてのトーンであり得る。トーンプラン２７０を参照すると、パイロット信号２７２、２７４、２７６、２７８は、トーンインデックス−２１、−７、７、２１上で送信され得る。パイロット信号の数と、パイロット信号がシンボル内で送信される際のトーン位置とが、あらゆる訂正の精度に影響し得るので、トーンプランは、パイロットが送信され得るトーンインデックス（たとえば、シンボルの中のどこでパイロットが送信されるべきか）と、送信されるべきパイロットの数とを示し得る。
【００４４】
[0056]ある例として、ワイヤレスデバイス（たとえば、ＳＴＡ２０６）は、２０ＭＨｚのワイヤレスチャネル（たとえば、２０ＭＨｚの帯域幅を有するチャネル）を介してフレームを受信し得る。ワイヤレスデバイスは、フレームの波形の中の６４個のトーンを決定するために、６４点（64-point）高速フーリエ変換（ＦＦＴ）を実行することができる。トーンの部分集合が「使用可能」であると見なされることがあり、残りのトーンが「使用不可能」であると見なされることがある。例示のために、５２個のデータトーンと、４個のパイロットトーンとを含む、６４個のトーンのうちの５６個が使用可能であり得る。上述のチャネル帯域幅、変換、およびトーンプランは例示的なものにすぎないことに留意されたい。他の実施形態では、異なるチャネル帯域幅（たとえば、４０ＭＨｚ、８０ＭＨｚ、１６０ＭＨｚなど）、異なる変換（たとえば、２５６点ＦＦＴ、１０２４点ＦＦＴなど）、および／または以下で示されるようなものを含む異なるトーンプランが、使用され得る。
【００４５】
[0057]ある態様では、将来のＩＥＥＥ８０２．１１ａｘ規格に準拠する高効率ワイヤレス（ＨＥＷ：high efficiency wireless）局などの、将来のＩＥＥＥ規格に準拠するワイヤレスデバイスが、ワイヤレス媒体にアクセスするために互いに競合または協調することがある。たとえば、図２を参照すると、ＳＴＡ２０６、２０８、２１０、２１２はＨＥＷ  ＳＴＡであり得る。ある態様では、ＨＥＷ  ＳＴＡは、４ｘシンボル持続時間を使用して通信することが可能であり得る。４ｘシンボル持続時間（たとえば、ガードトーンが除外されるときは１２．８μｓ）を使用するとき、個々のトーンの各々は、１ｘシンボル持続時間（たとえば、ガードトーンが除外されるときは３．２μｓ）のシンボルと関連付けられるトーンと比較すると、１／４の送信されるべき帯域幅を利用することがある。
【００４６】
[0058]図３は、マルチキャリア割振りのためのトーンプラン３００を示す。トーンプラン３００は、−ＮからＮ−１までインデクシングされた２Ｎ個のＯＦＤＭトーンを含むことがあり、ここでＮは整数である。ある態様では、トーンプラン３００は、２Ｎ点ＦＦＴを使用して生成された、周波数領域におけるＯＦＤＭトーンに対応し得る。トーンプラン３００は、ガードトーン３１０の２つの集合と、データ／パイロットトーン３２０の２つの集合と、直流（ＤＣ）トーン３３０の集合とを含み得る。ある態様では、ガードトーン３１０およびＤＣトーン３３０はヌルであり得る。別の態様では、トーンプラン３００は、任意の適切な数のパイロットトーンを含むことがあり、および／または、任意の適切なトーン位置においてパイロットトーンを含むことがある。
【００４７】
[0059]いくつかの態様では、ＯＦＤＭＡトーンプランは、様々なＩＥＥＥ８０２．１１プロトコルと比較して、４ｘシンボル持続時間を使用した送信のために与えられ得る。たとえば、４ｘシンボル持続時間は、各々持続時間が１２．８μｓであるいくつかのシンボルを使用し得る（一方、いくつかの他のＩＥＥＥ８０２．１１プロトコルにおけるシンボルは、持続時間が３．２μｓであり得る）。
【００４８】
[0060]いくつかの態様では、トーンプラン３００のデータ／パイロットトーン３２０は、任意の数の異なるユーザまたはＳＴＡの間で分割され得る。たとえば、データ／パイロットトーン３２０は、１人から８人のユーザの間で分割され得る。データ／パイロットトーン３２０を分割するために、ＡＰまたは別のデバイスは、様々なデバイスにシグナリングして、どのデバイスが特定の送信における（データ／パイロットトーン３２０の）どのトーン上で送信または受信し得るかを示し得る。したがって、データ／パイロットトーン３２０を分割するためのシステムおよび方法が望まれることがあり、この分割は、トーンプランに基づき得る。
【００４９】
[0061]トーンプランは、いくつかの異なる特性に基づいて選ばれ得る。一態様では、大部分のまたはすべての帯域幅にわたって一貫していることがある単純なトーンプランを有することが有益であり得る。たとえば、ＯＦＤＭＡ送信は、２０、４０、または８０ＭＨｚを介して送信されることがあり、これらの帯域幅のいずれかのために使用され得るトーンプランを使用するのが望ましいことがある。さらに、あるトーンプランは、それがより少数のビルディングブロックサイズを使用するという点で単純であり得る。たとえば、あるトーンプランは、ワイヤレスリソースの集合を含むリソースユニット（ＲＵ）と呼ばれることがあるユニットを含み得る。リソースユニットは、特定のユーザに特定の量の帯域幅を割り当てるために使用され得る。たとえば、１人のユーザには、いくつかのＲＵとして帯域幅が割り当てられることがあり、送信のデータ／パイロットトーン３２０は、いくつかのＲＵに分解されることがある。いくつかの態様では、単一のＲＵサイズを有することが有益であり得る。たとえば、２つ以上のＲＵサイズがある場合、そのデバイスに割り振られたトーンをデバイスに通知するために、より多くのシグナリングが必要になり得る。すべてのトーンが一貫したサイズのＲＵに分解される場合、デバイスへのシグナリングは、そのデバイスに割り当てられたＲＵの数をデバイスに知らせることしか必要としないことがある。しかしながら、異なるＲＵサイズを可能にすることはまた、ワイヤレス送信におけるより大きな柔軟性をもたらし得る。したがって、状況に応じて、一貫したサイズのＲＵと異なるサイズのＲＵのいずれかを有することが有益であり得る。
【００５０】
[0062]別の態様では、トーンプランはまた、効率に基づいて選ばれ得る。たとえば、異なる帯域幅（たとえば、２０、４０、または８０ＭＨｚ）の送信は、異なる数のトーンを有し得る。したがって、ＲＵの作成後により少数のトーンの残余（fewer tones leftover）を残すＲＵサイズを選ぶことが有益であり得る。たとえば、あるＲＵが２００個のトーンを有する場合、およびある送信が１０１個のトーンを含む場合、これは、１つのＲＵを作成した後に９９個のトーンの残余を残し得る。したがって、９９個のトーンが「残余（leftover）」トーンと見なされることがあり、これは非効率さにつながり得る。したがって、残余トーンの数を減らすことが有益であり得る。また、ＵＬ  ＯＦＤＭＡ送信とＤＬ  ＯＦＤＭＡ送信との両方で同じトーンプランが使用されることを可能にするトーンプランが使用されれば、有益であり得る。
【００５１】
[0063]図４は、２０ＭＨｚシンボル４００のためのリソースユニット構成とパイロットトーン位置とを示す。ある態様では、２０ＭＨｚシンボル４００は、４ｘシンボル持続時間を有するデータまたはＬＴＦシンボルであり得る。図４を参照すると、２０ＭＨｚシンボル４００に対する４つの異なるＲＵ構成（たとえば、２６トーン、５２トーン、１０６トーン、２４２トーン）が与えられる。他のＲＵ構成も使用され得る。第１の（または一番上の）行において、いくつかの（または複数の）２６トーンＲＵ、具体的には９個の２６トーンＲＵが設けられる。行の中央において、ＲＵのうちの１つが７個のＤＣトーンの周りに位置する２つの半ＲＵ（half-RU）へと分割されることがあり、各半ＲＵは１３個のトーンを有することがある。行の端には、６個のエッジトーンまたはガードトーン（左側）および５個のエッジトーン（右側）があり得る。「残余」トーンがＲＵのいくつかの間に散在していることがあり、残余トーンは１つのトーンからなり得る。第１の行において、４個の残余トーンが設けられる。ある態様では、残余トーンはエネルギーを有しないことがある。この行において、９個のＲＵの各ＲＵは、２６個の使用可能なトーンを有し得、そのうち２４個がデータトーンであることがあり２個がパイロットトーンであることがある。すなわち、ＲＵ内の上向きの矢印はパイロットトーンを表す。たとえば、第１のＲＵは、トーンインデックス−１１６、−１０２においてパイロットトーン位置を有し得る。第２のＲＵは、トーンインデックス−９０、−７６においてパイロットトーン位置を有し得るなど。９個の２６トーンＲＵは、パイロットトーン位置の以下の９個の集合｛（−１１６，−１０２），（−９０，−７６），（−６２，−４８），（−３６，−２２），（−１０，１０），（２２，３６），（４８，６２），（７６，９０），（１０２，１１６）｝と関連付けられ得る。ある態様では、１つまたは複数のワイヤレスデバイス（たとえば、ＡＰ２０２またはＳＴＡ２０６、２０８、２１０、２１２）は１つまたは複数のＲＵを割り振られ得る。
【００５２】
[0064]第２の行において、いくつかのＲＵ、具体的には５個のＲＵが設けられる。行の中央において、２６トーンＲＵが７個のＤＣトーンの周りに位置する２つの半ＲＵへと分割されることがあり、各半ＲＵは１３個のトーンを有することがある。行の端には、６個のエッジトーンまたはガードトーン（左側）および５個のエッジトーン（右側）があり得る。残余トーンがＲＵのいくつかの間に散在していることがあり、残余トーンは１つのトーンからなり得る。第２の行において、４個の残余トーンが設けられる。この行において、４個のＲＵは５２個の使用可能なトーンを有することがあり、中央のＲＵは２６個の使用可能なトーンを有することがある。５２個の使用可能なトーンを有する４個のＲＵは、４８個のデータトーンと４個のパイロットトーンとを有し得る。２６個の使用可能なトーンを有するＲＵは、２４個のデータトーンと２個のパイロットトーンとを有し得る。たとえば、５２個のトーンを有する第１のＲＵは、トーンインデックス−１１６、−１０２、−９０、−７６においてパイロットトーン位置を有し得る。第２の５２トーンＲＵは、トーンインデックス−６２、−４８、−３６、−２２においてパイロットトーン位置を有し得るなど。４個の５２トーンＲＵは、パイロットトーン位置の以下の４個の集合｛（−１１６，−１０２，−９０，−７６），（−６２，−４８，−３６，−２２），（２２，３６，４８，６２），（７６，９０，１０２，１１６）｝と関連付けられることがあり、行の中央の２６トーンＲＵは、パイロットトーン位置の以下の集合｛（−１０，１０）｝と関連付けられることがある。ある態様では、１つまたは複数のワイヤレスデバイス（たとえば、ＡＰ２０２またはＳＴＡ２０６、２０８、２１０、２１２）は１つまたは複数のＲＵを割り振られ得る。
【００５３】
[0065]第３の行において、いくつかのＲＵ、具体的には３個のＲＵが設けられる。行の中央において、２６トーンＲＵが７個のＤＣトーンの周りに位置する２つの半ＲＵへと分割されることがあり、各半ＲＵは１３個のトーンを有することがある。行の端には、６個のエッジトーンまたはガードトーン（左側）および５個のエッジトーン（右側）があり得る。この行において、残余トーンは設けられない。この行において、２個のＲＵは１０６個の使用可能なトーンを有することがあり、中央のＲＵは２６個の使用可能なトーンを有することがある。１０６個の使用可能なトーンを有する２個のＲＵは、１０２個のデータトーンと４個のパイロットトーンとを有し得る。２６個の使用可能なトーンを有するＲＵは、２４個のデータトーンと２個のパイロットトーンとを有し得る。たとえば、１０６個のトーンを有する第１のＲＵは、トーンインデックス−１１６、−９０、−４８、−２２においてパイロットトーン位置を有し得る。第２の１０６トーンＲＵは、トーンインデックス２２、４８、９０、１１６においてパイロットトーン位置を有し得る。２個の１０６トーンＲＵは、パイロットトーン位置の以下の２個の集合｛（−１１６，−９０，−４８，−２２），（２２，４８，９０，１１６）｝と関連付けられることがあり、行の中央の２６トーンＲＵは、パイロットトーン位置の以下の集合｛（−１０，１０）｝と関連付けられることがある。ある態様では、１つまたは複数のワイヤレスデバイス（たとえば、ＡＰ２０２またはＳＴＡ２０６、２０８、２１０、２１２）は１つまたは複数のＲＵを割り振られ得る。
【００５４】
[0066]第４の行において、単一のユーザＲＵが設けられる。この行において、３つのＤＣトーンがＲＵの中央に（たとえば、トーンインデックス−１、０、１において）位置し得る。この行において、ＲＵは、２４２個の使用可能なトーンを有し得、そのうち２３４個がデータトーンであることがあり８個がパイロットトーンであることがある。２４２トーンＲＵは、パイロットトーン位置の以下の集合｛（−１１６，−９０，−４８，−２２，２２，４８，９０，１１６）｝と関連付けられ得る。ある態様では、２４２トーンＲＵは１つのワイヤレスデバイスに割り振られ得る。
【００５５】
[0067]ある態様では、シンボル内のＲＵは、同一の数のトーンを用いて割り振られ得る。たとえば、すべてのＲＵが２６トーンを割り振られることがあり、ＲＵを割り振られる任意のワイヤレスデバイスが２６トーンを与えられることがある。この例では、ワイヤレスデバイスは、２６トーンを有する複数のＲＵを割り振られ得る。別の態様では、シンボル内のＲＵは、図４で与えられるＲＵの組合せなどの、異なる数のトーンを用いて割り振られ得る。たとえば、ＡＰ２０２は第１の行の中の第１の２６トーンＲＵを割り振られることがあり、ＳＴＡ２０６は第１の行の中の第２の２６トーンＲＵを割り振られることがあり、ＳＴＡ２０８は第２の行の中の第２の５２トーンＲＵを割り振られることがあり、ＳＴＡ２１０は中央の２６トーンＲＵを割り振られることがあり、ＳＴＡ２１２は第３の行の中の第２の１０６トーンＲＵを割り振られることがある。別の態様では、２０ＭＨｚの帯域幅の全体が割り振られる必要はない。ＲＵの割振りにおけるギャップは許容可能であり得る。
【００５６】
[0068]図５は、４０ＭＨｚシンボル５００のためのリソースユニット構成とパイロットトーン位置とを示す。ある態様では、４０ＭＨｚシンボル５００は、４ｘシンボル持続時間を有するデータまたはＬＴＦシンボルであり得る。図５を参照すると、４０ＭＨｚシンボル５００に対する４つの異なるＲＵ構成（たとえば、２６トーン、５２トーン、１０６トーン、２４２トーン）が与えられる。他のＲＵ構成も使用され得る。第１の（または一番上の）行において、いくつかの（または複数の）２６トーンＲＵ、具体的には１８個の２６トーンＲＵが設けられる。行の端には、１２個のエッジトーンまたはガードトーン（左側）および１１個のエッジトーン（右側）があり得る。「残余トーン」がＲＵのいくつかの間に散在していることがあり、残余トーンは１つまたは２つのトーンからなり得る。ある態様では、残余トーンはエネルギーを有しないことがある。この行において、１８個のＲＵの各ＲＵは、２６個の使用可能なトーンを有し得、そのうち２４個がデータトーンであることがあり２個がパイロットトーンであることがある。すなわち、ＲＵ内の上向きの矢印はパイロットトーンを表す。たとえば、第１のＲＵは、トーンインデックス−２３８、−２２４においてパイロットトーン位置を有し得る。第２のＲＵは、トーンインデックス−２１２、−１９８においてパイロットトーン位置を有し得るなど。１８個の２６トーンＲＵは、パイロットトーン位置の以下の１８個の集合｛（−２３８，−２２４），（−２１２，−１９８），（−１８４，−１７０），（−１５８，−１４４），（−１３０，−１１６），（−１０４，−９０），（−７８，−６４），（−５０，−３６），（−２４，−１０），（１０，２４），（３６，５０），（６４，７８），（９０，１０４），（１１６，１３０），（１４４，１５８），（１７０，１８４），（１９８，２１２），（２２４，２３８）｝と関連付けられ得る。ある態様では、１つまたは複数のワイヤレスデバイス（たとえば、ＡＰ２０２またはＳＴＡ２０６、２０８、２１０、２１２）は１つまたは複数のＲＵを割り振られ得る。
【００５７】
[0069]第２の行において、いくつかのＲＵ、具体的には１０個のＲＵが設けられる。行の端には、１２個のエッジトーンまたはガードトーン（左側）および１１個のエッジトーン（右側）があり得る。残余トーンがＲＵのいくつかの間に散在していることがあり、残余トーンは１つまたは２つのトーンからなり得る。この行において、８個のＲＵは５２個の使用可能なトーンを有することがあり、２個のＲＵは２６個の使用可能なトーンを有することがある。５２個の使用可能なトーンを有する８個のＲＵは、４８個のデータトーンと４個のパイロットトーンとを有し得る。２６個の使用可能なトーンを有する２個のＲＵは、２４個のデータトーンと２個のパイロットトーンとを有し得る。たとえば、５２個のトーンを有する第１のＲＵは、トーンインデックス−２３８、−２２４、−２１２、−１９８においてパイロットトーン位置を有し得る。第２の５２トーンＲＵは、トーンインデックス−１８４、−１７０、−１５８、−１４４においてパイロットトーン位置を有し得るなど。８個の５２トーンＲＵは、パイロットトーン位置の以下の８個の集合｛（−２３８，−２２４，−２１２，−１９８），（−１８４，−１７０，−１５８，−１４４），（−１０４，−９０，−７８，−６４），（−５０，−３６，−２４，−１０），（１０，２４，３６，５０），（６４，７８，９０，１０４），（１４４，１５８，１７０，１８４），（１９８，２１２，２２４，２３８）と関連付けられることがあり、２個の２６トーンＲＵはパイロットトーン位置の以下の２個の集合｛（−１３０，−１１６），（１１６，１３０）｝と関連付けられることがある。ある態様では、１つまたは複数のワイヤレスデバイス（たとえば、ＡＰ２０２またはＳＴＡ２０６、２０８、２１０、２１２）は１つまたは複数のＲＵを割り振られ得る。
【００５８】
[0070]第３の行において、いくつかのＲＵ、具体的には６個のＲＵが設けられる。行の端には、１２個のエッジトーンまたはガードトーン（左側）および１１個のエッジトーン（右側）があり得る。残余トーンがＲＵのいくつかの間に散在していることがあり、残余トーンは１つのトーンからなり得る。この行において、４個のＲＵは１０６個の使用可能なトーンを有することがあり、２個のＲＵは２６個の使用可能なトーンを有することがある。１０６個の使用可能なトーンを有する４個のＲＵは、１０２個のデータトーンと４個のパイロットトーンとを有し得る。２６個の使用可能なトーンを有する２個のＲＵは、２４個のデータトーンと２個のパイロットトーンとを有し得る。たとえば、１０６個のトーンを有する第１のＲＵは、トーンインデックス−２３８、−２１２、−１７０、−１４４においてパイロットトーン位置を有し得る。１０６個のトーンを有する第２のＲＵは、トーンインデックス−１０４、−７８、−３６、−１０においてパイロットトーン位置を有し得る。４個の１０６トーンＲＵは、パイロットトーン位置の以下の４個の集合｛（−２３８，−２１２，−１７０，−１４４），（−１０４，−７８，−３６，−１０），（１０，３６，７８，１０４），（１４４，１７０，２１２，２３８）｝と関連付けられることがあり、２個の２６トーンＲＵは、パイロットトーン位置の以下の２個の集合｛（−１３０，−１１６），（１１６，１３０）｝と関連付けられることがある。ある態様では、１つまたは複数のワイヤレスデバイス（たとえば、ＡＰ２０２またはＳＴＡ２０６、２０８、２１０、２１２）は１つまたは複数のＲＵを割り振られ得る。
【００５９】
[0071]第４の行において、いくつかのＲＵ、具体的には２個のＲＵが設けられる。行の端には、１２個のエッジトーンまたはガードトーン（左側）および１１個のエッジトーン（右側）があり得る。この行には、残余トーンはないことがある。この行において、２個のＲＵは２４２個の使用可能なトーンを有し得る。２４２個の使用可能なトーンを有する２個のＲＵは、２３４個のデータトーンと８個のパイロットトーンとを各々有し得る。２個の２４２トーンＲＵは、パイロットトーン位置の以下の２個の集合｛（−２３８，−２１２，−１７０，−１４４，−１０４，−７８，−３６，−１０），（１０，３６，７８，１０４，１４４，１７０，２１２，２３８）｝と関連付けられ得る。ある態様では、１つまたは複数のワイヤレスデバイス（たとえば、ＡＰ２０２またはＳＴＡ２０６、２０８、２１０、２１２）は１つまたは複数のＲＵを割り振られ得る。
【００６０】
[0072]４０ＭＨｚシンボル５００はまた、４８４トーンを有する単一のＲＵ（たとえば、２×２４２トーンＲＵ）をサポートし得る。ある態様では、４８４トーンＲＵは５個のＤＣトーンを有し得る。４８４トーンＲＵは、４８４個の使用可能なトーンを有し得、そのうち４６８個がデータトーンであることがあり１６個がパイロットトーンであることがある。４８４トーンＲＵは、パイロットトーン位置の以下の集合｛（−２３８，−２１２，−１７０，−１４４，−１０４，−７８，−３６，−１０，１０，３６，７８，１０４，１４４，１７０，２１２，２３８）｝と関連付けられ得る。ある態様では、４８４トーンＲＵは１つまたは複数のワイヤレスデバイスに割り振られ得る。
【００６１】
[0073]前に論じられたように、ある態様では、ＲＵは、同一の数のトーンを用いて割り振られ得る。たとえば、シンボル内のすべてのＲＵが２６トーンを割り振られることがあり、ＲＵを割り振られる任意のワイヤレスデバイスが２６トーンを与えられることがある。この例では、ワイヤレスデバイスは、２６トーンを有する複数のＲＵを割り振られ得る。別の例では、シンボル内のＲＵは、図５で与えられるＲＵの組合せなどの、異なる数のトーンを用いて割り振られ得る。
【００６２】
[0074]図６は、８０ＭＨｚシンボル６００のためのリソースユニット構成とパイロットトーン位置とを示す。ある態様では、８０ＭＨｚシンボル６００は、４ｘシンボル持続時間を有するデータまたはＬＴＦシンボルであり得る。図６を参照すると、８０ＭＨｚシンボル６００に対する５つの異なるＲＵ構成（たとえば、２６トーン、５２トーン、１０６トーン、２４２トーン、９９６トーン）が与えられる。他のＲＵ構成も使用され得る。第１の（または一番上の）行において、いくつかの（または複数の）２６トーンＲＵ、具体的には３７個の２６トーンＲＵが設けられる。行の中央において、２６トーンのＲＵのうちの１つが７個のＤＣトーンの周りに位置する２つの半ＲＵへと分割されることがあり、各半ＲＵは１３個のトーンを有することがある。行の端には、１２個のエッジトーンまたはガードトーン（左側）および１１個のエッジトーン（右側）があり得る。「残余トーン」がＲＵのいくつかの間に散在していることがあり、残余トーンは１つまたは２つのトーンからなり得る。ある態様では、残余トーンはエネルギーを有しないことがある。この行において、３７個のＲＵの各ＲＵは、２６個の使用可能なトーンを有し得、そのうち２４個がデータトーンであることがあり２個がパイロットトーンであることがある。すなわち、ＲＵ内の上向きの矢印はパイロットトーンを表す。たとえば、第１のＲＵは、トーンインデックス−４９４、−４８０においてパイロットトーン位置を有し得る。第２のＲＵは、トーンインデックス−４６８、−４５４においてパイロットトーン位置を有し得るなど。３７個の２６トーンＲＵは、パイロットトーン位置の以下の３７個の集合｛（−４９４，−４８０），（−４６８，−４５４），（−４４０，−４２６），（−４１４，−４００），（−３８６，−３７２），（−３６０，−３４６），（−３３４，−３２０），（−３０６，−２９２），（−２８０，−２６６），（−２５２，−２３８），（−２２６，−２１２），（−１９８，−１８４），（−１７２，−１５８），（−１４４，−１３０），（−１１８，−１０４），（−９２，−７８），（−６４，−５０），（−３８，−２４），（−１０，１０），（２４，３８），（５０，６４），（７８，９２），（１０４，１１８），（１３０，１４４），（１５８，１７２），（１８４，１９８），（２１２，２２６），（２３８，２５２），（２６６，２８０），（２９２，３０６），（３２０，３３４），（３４６，３６０），（３７２，３８６），（４００，４１４），（４２６，４４０），（４５４，４６８），（４８０，４９４）｝と関連付けられることがある。ある態様では、１つまたは複数のワイヤレスデバイス（たとえば、ＡＰ２０２またはＳＴＡ２０６、２０８、２１０、２１２）は１つまたは複数のＲＵを割り振られ得る。
【００６３】
[0075]第２の行において、いくつかのＲＵ、具体的には２１個のＲＵが設けられる。ＲＵは、２６トーンＲＵと５２トーンＲＵとを含み得る。行の中央において、２６トーンのＲＵのうちの１つが７個のＤＣトーンの周りに位置する２つの半ＲＵへと分割されることがあり、各半ＲＵは１３個のトーンを有することがある。行の端には、１２個のエッジトーンまたはガードトーン（左側）および１１個のエッジトーン（右側）があり得る。残余トーンがＲＵのいくつかの間に散在していることがあり、残余トーンは１つまたは２つのトーンからなり得る。この行において、１６個のＲＵは５２個の使用可能なトーンを有することがあり、５個のＲＵは２６個の使用可能なトーンを有することがある。５２個の使用可能なトーンを有する１６個のＲＵは、４８個のデータトーンと４個のパイロットトーンとを有し得る。２６個の使用可能なトーンを有する５個のＲＵは、２４個のデータトーンと２個のパイロットトーンとを有し得る。たとえば、５２個のトーンを有する第１のＲＵは、トーンインデックス−４９４、−４８０、−４６８、−４５４においてパイロットトーン位置を有し得る。第２の５２トーンＲＵは、トーンインデックス−４４０、−４２６、−４１４、−４００においてパイロットトーン位置を有し得るなど。１６個の５２トーンＲＵは、パイロットトーン位置の以下の１６個の集合｛（−４９４，−４８０，−４６８，−４５４），（−４４０，−４２６，−４１４，−４００），（−３６０，−３４６，−３３４，−３２０），（−３０６，−２９２，−２８０，−２６６），（−２５２，−２３８，−２２６，−２１２），（−１９８，−１８４，−１７２，−１５８），（−１１８，−１０４，−９２，−７８），（−６４，−５０，−３８，−２４），（２４，３８，５０，６４），（７８，９２，１０４，１１８），（１５８，１７２，１８４，１９８），（２１２，２２６，２３８，２５２），（２６６，２８０，２９２，３０６），（３２０，３３４，３４６，３６０），（４００，４１４，４２６，４４０），（４５４，４６８，４８０，４９４）｝と関連付けられることがあり、５個の２６トーンＲＵは、パイロットトーン位置の以下の４個の集合｛（−３８６，−３７２），（−１４４，−１３０），（−１０，１０），（１３０，１４４），（３７２，３８６）｝と関連付けられることがある。ある態様では、１つまたは複数のワイヤレスデバイス（たとえば、ＡＰ２０２またはＳＴＡ２０６、２０８、２１０、２１２）は１つまたは複数のＲＵを割り振られ得る。
【００６４】
[0076]第３の行において、いくつかのＲＵ、具体的には１３個のＲＵが設けられる。ＲＵは、２６トーンＲＵと１０６トーンＲＵとを含み得る。行の中央において、２６トーンのＲＵのうちの１つが７個のＤＣトーンの周りに位置する２つの半ＲＵへと分割されることがあり、各半ＲＵは１３個のトーンを有することがある。行の端には、１２個のエッジトーンまたはガードトーン（左側）および１１個のエッジトーン（右側）があり得る。残余トーンがＲＵのいくつかの間に散在していることがあり、残余トーンは１つのトーンからなり得る。この行において、８個のＲＵは１０６個の使用可能なトーンを有することがあり、５個のＲＵは２６個の使用可能なトーンを有することがある。１０６個の使用可能なトーンを有する８個のＲＵは、１０２個のデータトーンと４個のパイロットトーンとを有し得る。２６個の使用可能なトーンを有する５個のＲＵは、２４個のデータトーンと２個のパイロットトーンとを有し得る。たとえば、１０６個のトーンを有する第１のＲＵは、トーンインデックス−４９４、−４６８、−４２６、−４００においてパイロットトーン位置を有し得る。１０６個のトーンを有する第２のＲＵは、トーンインデックス−３６０、−３３４、−２９２、−２６６においてパイロットトーン位置を有し得る。８個の１０６トーンＲＵは、パイロットトーン位置の以下の８個の集合｛（−４９４，−４６８，−４２６，−４００），（−３６０，−３３４，−２９２，−２６６），（−２５２，−２２６，−１８４，−１５８），（−１１８，−９２，−５０，−２４），（２４，５０，９２，１１８），（１５８，１８４，２２６，２５２），（２６６，２９２，３３４，３６０），（４００，４２６，４６８，４９４）｝と関連付けられることがあり、５個の２６トーンＲＵはパイロットトーン位置の以下の５個の集合｛（−３８６，−３７２），（−１４４，−１３０），（−１０，１０），（１３０，１４４），（３７２，３８６）｝と関連付けられることがある。ある態様では、１つまたは複数のワイヤレスデバイス（たとえば、ＡＰ２０２またはＳＴＡ２０６、２０８、２１０、２１２）は１つまたは複数のＲＵを割り振られ得る。
【００６５】
[0077]第４の行において、いくつかのＲＵ、具体的には５個のＲＵが設けられる。ＲＵは、２６トーンＲＵと２４２トーンＲＵとを含み得る。行の中央において、２６トーンＲＵが７個のＤＣトーンの周りに位置する２つの半ＲＵへと分割されることがあり、各半ＲＵは１３個のトーンを有することがある。行の端には、１２個のエッジトーンまたはガードトーン（左側）および１１個のエッジトーン（右側）があり得る。この行において、４個のＲＵは２４２個の使用可能なトーンを有することがあり、１個のＲＵは２６個の使用可能なトーンを有することがある。２４２個の使用可能なトーンを有する４個のＲＵは、２３４個のデータトーンと８個のパイロットトーンとを有し得る。２６個の使用可能なトーンを有するＲＵは、２４個のデータトーンと２個のパイロットトーンとを有し得る。４個の２４２トーンＲＵは、パイロットトーン位置の以下の４個の集合｛（−４９４，−４６８，−４２６，−４００，−３６０，−３３４，−２９２，−２６６），（−２５２，−２２６，−１８４，−１５８，−１１８，−９２，−５０，−２４），（２４，５０，９２，１１８，１５８，１８４，２２６，２５２），（２６６，２９２，３３４，３６０，４００，４２６，４６８，４９４）｝と関連付けられることがあり、２６トーンＲＵはパイロットトーン位置の以下の集合｛（−１０，１０）｝と関連付けられることがある。ある態様では、１つまたは複数のワイヤレスデバイス（たとえば、ＡＰ２０２またはＳＴＡ２０６、２０８、２１０、２１２）は１つまたは複数のＲＵを割り振られ得る。
【００６６】
[0078]第５の行において、単一のユーザＲＵが設けられる。この行において、５つのＤＣトーンがＲＵの中央に（たとえば、トーンインデックス−２、−１、０、１、２において）位置し得る。この行において、ＲＵは、９９６個の使用可能なトーンを有し得、そのうち９８０個がデータトーンであることがあり１６個がパイロットトーンであることがある。９９６トーンＲＵは、パイロットトーン位置の以下の集合｛（−４６８，−４００，−３３４，−２６６，−２２６，−１５８，−９２，−２４，２４，９２，１５８，２２６，２６６，３３４，４００，４６８）｝と関連付けられ得る。ある態様では、９９６トーンＲＵは１つのワイヤレスデバイスに割り振られ得る。
【００６７】
[0079]８０ＭＨｚシンボル６００は、４８４トーンを有する２つのＲＵをサポートし得る。４８４トーンＲＵは、４８４個の使用可能なトーンを有し得、そのうち４６８個がデータトーンであることがあり１６個がパイロットトーンであることがある。２個の４８４トーンＲＵは、パイロットトーン位置の以下の集合｛（−４９４，−４６８，−４２６，−４００，−３６０，−３３４，−２９２，−２６６，−２５２，−２２６，−１８４，−１５８，−１１８，−９２，−５０，−２４），（２４，５０，９２，１１８，１５８，１８４，２２６，２５２，２６６，２９２，３３４，３６０，４００，４２６，４６８，４９４）｝と関連付けられ得る。ある態様では、１つまたは複数のワイヤレスデバイスは、１つまたは複数の４８４トーンＲＵを割り振られ得る。
【００６８】
[0080]前に論じられたように、ある態様では、ＲＵは、同一の数のトーンを用いて割り振られ得る。たとえば、すべてのＲＵが２６トーンを割り振られることがあり、ＲＵを割り振られる任意のワイヤレスデバイスが２６トーンを与えられることがある。この例では、ワイヤレスデバイスは、２６トーンを有する複数のＲＵを割り振られ得る。別の態様では、シンボル内のＲＵは、図６で与えられるＲＵの組合せなどの、異なる数のトーンを用いて割り振られ得る。
【００６９】
[0081]別の構成では、シンボル（たとえば、データシンボル）は代替的に、１６０ＭＨｚの帯域幅を有し得る。１６０ＭＨｚのデータまたはＬＴＦシンボルは、４ｘシンボル持続時間を有し得る。ある態様では、シンボルの帯域幅は、２６トーン、５２トーン、１０６トーン、２４２トーン、４８４トーン、および／もしくは９９６トーンＲＵ、または単一の２×９９６トーンＲＵへと割り振られ得る。一態様では、１６０ＭＨｚシンボルが２６トーンＲＵへと割り振られる場合、全体で７４個のＲＵがあり得る。７４個の２６トーンＲＵは、第１の数の（または複数の）パイロットトーン位置の集合と第２の数のパイロットトーン位置の集合とを含み得る。第１の数のパイロットトーン位置の集合は、−５１２という第１のオフセットによって調整される初期の数のパイロットトーン位置の集合に基づくことがあり、第２の数のパイロットトーン位置の集合は、５１２というオフセットによって調整される初期の数のパイロットトーン位置の集合に基づくことがある。初期の数のパイロットトーン位置の集合は、｛（−４９４，−４８０），（−４６８，−４５４），（−４４０，−４２６），（−４１４，−４００），（−３８６，−３７２），（−３６０，−３４６），（−３３４，−３２０），（−３０６，−２９２），（−２８０，−２６６），（−２５２，−２３８），（−２２６，−２１２），（−１９８，−１８４），（−１７２，−１５８），（−１４４，−１３０），（−１１８，−１０４），（−９２，−７８），（−６４，−５０），（−３８，−２４），（−１０，１０），（２４，３８），（５０，６４），（７８，９２），（１０４，１１８），（１３０，１４４），（１５８，１７２），（１８４，１９８），（２１２，２２６），（２３８，２５２），（２６６，２８０），（２９２，３０６），（３２０，３３４），（３４６，３６０），（３７２，３８６），（４００，４１４），（４２６，４４０），（４５４，４６８），（４８０，４９４）｝であることがあり、これらは、８０ＭＨｚシンボルにおける２６ＲＵのためのパイロットトーンの集合に対応し得る。−５１２というオフセットによって初期の数のパイロットトーン位置の集合を調整することによって、第１の数のパイロットトーン位置の集合｛（−１００６，−９９２），（−９８０，−９６６），（−９５２，−９３８），（−９２６，−９１２），（−８９８，−８８４），（−８７２，−８５８），（−８４６，−８３２），（−８１８，−８０４），（−７９２，−７７８），（−７６４，−７５０），（−７３８，−７２４），（−７１０，−６９６），（−６８４，−６７０），（−６５６，−６４２），（−６３０，−６１６），（−６０４，−５９０），（−５７６，−５６２），（−５５０，−５３６），（−５２２，−５０２），（−４８８，−４７４），（−４６２，−４４８），（−４３４，−４２０），（−４０８，−３９４），（−３８２，−３６８），（−３５４，−３４０），（−３２８，−３１４），（−３００，−２８６），（−２７４，−２６０），（−２４６，−２３２），（−２２０，−２０６），（−１９２，−１７８），（−１６６，−１５２），（−１４０，−１２６），（���１１２，−９８），（−８６，−７２），（−５８，−４４），（−３２，−１８）｝が生成され得る。同様に、５１２というオフセットによって初期の数のパイロットトーン位置の集合を調整することによって、第２の数のパイロットトーン位置の集合｛（１８，３２），（４４，５８），（７２，８６），（９８，１１２），（１２６，１４０），（１５２，１６６），（１７８，１９２），（２０６，２２０），（２３２，２４６），（２６０，２７４），（２８６，３００），（３１４，３２８），（３４０，３５４），（３６８，３８２），（３９４，４０８），（４２０，４３４），（４４８，４６２），（４７４，４８８），（５０２，５２２），（５３６，５５０），（５６２，５７６），（５９０，６０４），（６１６，６３０），（６４２，６５６），（６７０，６８４），（６９６，７１０），（７２４，７３８），（７５０，７６４），（７７８，７９２），（８０４，８１８），（８３２，８４６），（８５８，８７２），（８８４，８９８），（９１２，９２６），（９３８，９５２），（９６６，９８０），（９９２，１００６）｝が生成され得る。７４個の２６トーンＲＵは、第１の数および第２の数のパイロットトーン位置の集合の合併と関連付けられ得る。
【００７０】
[0082]別の態様では、１６０ＭＨｚシンボルが５２トーンＲＵへと割り振られる場合、全体で３２個の５２トーンＲＵがあり得る。３２個の５２トーンＲＵは、第１の数のパイロットトーン位置の集合と第２の数のパイロットトーン位置の集合とを含み得る。第１の数のパイロットトーン位置の集合は、−５１２という第１のオフセットによって調整される初期の数のパイロットトーン位置の集合に基づくことがあり、第２の数のパイロットトーン位置の集合は、５１２というオフセットによって調整される初期の数のパイロットトーン位置の集合に基づくことがある。初期の数のパイロットトーン位置の集合は、｛（−４９４，−４８０，−４６８，−４５４），（−４４０，−４２６，−４１４，−４００），（−３６０，−３４６，−３３４，−３２０），（−３０６，−２９２，−２８０，−２６６），（−２５２，−２３８，−２２６，−２１２），（−１９８，−１８４，−１７２，−１５８），（−１１８，−１０４，−９２，−７８），（−６４，−５０，−３８，−２４），（２４，３８，５０，６４），（７８，９２，１０４，１１８），（１５８，１７２，１８４，１９８），（２１２，２２６，２３８，２５２），（２６６，２８０，２９２，３０６），（３２０，３３４，３４６，３６０），（４００，４１４，４２６，４４０），（４５４，４６８，４８０，４９４）｝であり得る。３２個の５２トーンＲＵは、第１の数および第２の数のパイロットトーン位置の集合の合併と関連付けられ得る。
【００７１】
[0083]別の態様では、１６０ＭＨｚシンボルが１０６トーンＲＵへと割り振られる場合、全体で１６個の１０６トーンＲＵがあり得る。１６個の１０６トーンＲＵは、第１の数のパイロットトーン位置の集合と第２の数のパイロットトーン位置の集合とを含み得る。第１の数のパイロットトーン位置の集合は、−５１２という第１のオフセットによって調整される初期の数のパイロットトーン位置の集合に基づくことがあり、第２の数のパイロットトーン位置の集合は、５１２というオフセットによって調整される初期の数のパイロットトーン位置の集合に基づくことがある。初期の数のパイロットトーン位置の集合は、｛（−４９４，−４６８，−４２６，−４００），（−３６０，−３３４，−２９２，−２６６），（−２５２，−２２６，−１８４，−１５８），（−１１８，−９２，−５０，−２４），（２４，５０，９２，１１８），（１５８，１８４，２２６，２５２），（２６６，２９２，３３４，３６０），（４００，４２６，４６８，４９４）｝であり得る。１６個の１０６トーンＲＵは、第１の数および第２の数のパイロットトーン位置の集合の合併（union）と関連付けられ得る。
【００７２】
[0084]別の態様では、１６０ＭＨｚシンボルが２４２トーンＲＵへと割り振られる場合、全体で８個の２４２トーンＲＵがあり得る。８個の２４２トーンＲＵは、第１の数のパイロットトーン位置の集合と第２の数のパイロットトーン位置の集合とを含み得る。第１の数のパイロットトーン位置の集合は、−５１２という第１のオフセットによって調整される初期の数のパイロットトーン位置の集合に基づくことがあり、第２の数のパイロットトーン位置の集合は、５１２というオフセットによって調整される初期の数のパイロットトーン位置の集合に基づくことがある。初期の数のパイロットトーン位置の集合は、｛（−４９４，−４６８，−４２６，−４００，−３６０，−３３４，−２９２，−２６６），（−２５２，−２２６，−１８４，−１５８，−１１８，−９２，−５０，−２４），（２４，５０，９２，１１８，１５８，１８４，２２６，２５２），（２６６，２９２，３３４，３６０，４００，４２６，４６８，４９４）｝であり得る。８個の２４２トーンＲＵは、第１の数および第２の数のパイロットトーン位置の集合の合併と関連付けられ得る。
【００７３】
[0085]別の態様では、１６０ＭＨｚシンボルが４８４トーンＲＵへと割り振られる場合、全体で４個の４８４トーンＲＵがあり得る。４個の４８４トーンＲＵは、第１の数のパイロットトーン位置の集合と第２の数のパイロットトーン位置の集合とを含み得る。第１の数のパイロットトーン位置の集合は、−５１２という第１のオフセットによって調整される初期の数のパイロットトーン位置の集合に基づくことがあり、第２の数のパイロットトーン位置の集合は、５１２というオフセットによって調整される初期の数のパイロットトーン位置の集合に基づくことがある。初期の数のパイロットトーン位置の集合は、｛（−４９４，−４６８，−４２６，−４００，−３６０，−３３４，−２９２，−２６６，−２５２，−２２６，−１８４，−１５８，−１１８，−９２，−５０，−２４），（２４，５０，９２，１１８，１５８，１８４，２２６，２５２，２６６，２９２，３３４，３６０，４００，４２６，４６８，４９４）｝であり得る。４個の４８４トーンＲＵは、第１の数および第２の数のパイロットトーン位置の集合の合併と関連付けられ得る。
【００７４】
[0086]別の態様では、１６０ＭＨｚシンボルが９９６トーンＲＵへと割り振られる場合、全体で２個の９９６トーンＲＵがあり得る。２個の９９６トーンＲＵは、第１の数のパイロットトーン位置の集合と第２の数のパイロットトーン位置の集合とを含み得る。第１の数のパイロットトーン位置の集合は、−５１２という第１のオフセットによって調整される初期の数のパイロットトーン位置の集合に基づくことがあり、第２の数のパイロットトーン位置の集合は、５１２というオフセットによって調整される初期の数のパイロットトーン位置の集合に基づくことがある。初期の数のパイロットトーン位置の集合は、｛（−４６８，−４００，−３３４，−２６６，−２２６，−１５８，−９２，−２４，２４，９２，１５８，２２６，２６６，３３４，４００，４６８）｝であり得る。２個の９９６トーンＲＵは、第１の数および第２の数のパイロットトーン位置の集合の合併と関連付けられ得る。
【００７５】
[0087]さらに別の態様では、シンボルが単一の２×９９６トーンＲＵへと割り振られる場合、ＲＵは、トーンインデックス｛（−９８０，−９１２，−８４６，−７７８，−７３８，−６７０，−６０４，−５３６，−４８８，−４２０，−３５４，−２８６，−２４６，−１７８，−１１２，−４４，４４，１１２，１７８，２４６，２８６，３５４，４２０，４８８，５３６，６０４，６７０，７３８，７７８，８４６，９１２，９８０）｝においてパイロットトーン位置を有し得る。
【００７６】
[0088]図７は、リソースユニットを割り振り、ワイヤレスネットワーク（たとえば、ＷＬＡＮネットワーク）において使用するためのパイロット信号を決定するための方法の例示的な図７００である。図７００は、サービスエリア７０４内でブロードキャスト／送信するＡＰ７０２を示している。ＳＴＡ７０６、７０８、７１０、７１２が、ＡＰ７０２のサービスエリア７０４内にある（４つのＳＴＡのみが図７に示されているが、より多数または少数のＳＴＡがサービスエリア７０４内にあり得る）。通信を容易にするために、ＡＰ７０２は、ＡＰ７０２を含む様々なワイヤレスデバイス（たとえば、ＳＴＡ７０６、７０８、７１０、７１２）に割り振られ得るリソースユニットを決定し得る。ＡＰ７０２は、どの通信帯域幅が利用可能かに基づいてどの通信帯域幅を使用するか（たとえば、２０ＭＨｚ、４０ＭＨｚ、８０ＭＨｚ、１６０ＭＨｚ）を決定することによって、および、様々なリソースユニットのために使用可能なトーンの数を決定することによって、リソースユニットを決定し得る。ある態様では、リソースユニットにおいて使用可能なトーンの数は、送信されるべきデータの量に基づいて決定され得る（たとえば、より大きなデータ送信に対応する（accommodate）ためにより多くのトーンを用いてリソースユニットを割り振り得る）。ある態様では、データシンボル内での割振りのために決定される様々なリソースユニットは、不均一な数の使用可能なトーンであり得る。すなわち、シンボル内では、一部のリソースユニットは２６トーンを有し得るが、他のリソースユニットは５２トーン、１０６トーン、または何らかの他の数のトーンを有し得る。しかしながら、簡潔にするために、以下の例は、シンボル内でのリソースユニットの均一な集合を仮定する（たとえば、すべてのリソースユニットが同じ数のトーンを有する）。ある態様では、ＡＰ７０２は、所与の通信帯域幅（またはチャネル帯域幅）および使用可能なトーンの数に基づいて、リソースユニットの総数を決定し得る。
【００７７】
[0089]ある態様では、ＡＰ７０２は、データ送信のために１つまたは複数のリソースユニットをＡＰ７０２に割り振り得る。リソースユニットにおいてデータを送信することに加えて、ＡＰ７０２は、割り振られたリソースユニットにおいてデータとともに送信されるべきパイロット信号の集合を生成し得る。ある態様では、ＡＰ７０２は、パイロット信号を生成するためのいくつかの選択肢を有し得る。選択肢１では、生成されたパイロット信号は、リソースユニットの中のトーンの数に依存し得る。すなわち、パイロットシーケンスは、リソースユニット内のパイロットトーンの数と関連付けられ得る。同じサイズの（同じ数のトーンの）リソースユニットは、帯域幅内でのリソースユニットの位置とは無関係に、および、ＰＰＤＵ帯域幅とは無関係に、同じパイロットシーケンスを有し得る。選択肢２では、パイロットシーケンスは、通信帯域幅またはＰＰＤＵ帯域幅に依存し得る。パイロットシーケンスは、特定の通信帯域幅と関連付けられる特定のパイロット位置に結び付けられ得る。すなわち、パイロットシーケンスは、固定されたＰＰＤＵ帯域幅に対して固定され得る。パイロット値は、リソース割振りとは無関係に、ＰＰＤＵ帯域幅の中の各々の定義されたパイロット上で固定され得る。ある態様では、選択肢２に従って生成されるパイロット信号は、低いＰＡＰＲ（たとえば、閾値未満）を有し得る。選択肢３では、データシンボルの中の生成されたパイロット信号は、４ｘシンボル持続時間を有するＬＴＦシンボルにおいて使用されるのと同じパイロットシーケンスに基づき得る。
【００７８】
[0090]選択肢１：ＲＵ依存パイロットシーケンス
[0091]選択肢１では、リソースユニットは、２６個の使用可能なトーン、５２個の使用可能なトーン、１０６個の使用可能なトーン、２４２個の使用可能なトーン、４８４個の使用可能なトーン、９９６個の使用可能なトーン、または１９９２個の使用可能なトーンを有し得る。以下の議論は、選択肢１に従ってパイロット信号を提供するための方法を説明する。
【００７９】
[0092]選択肢１：２６トーンリソースユニット
[0093]一構成では、ＡＰ７０２は、２６個の使用可能なトーンの有するリソースユニットを使用すると決定し得る。ＡＰ７０２は、１つまたは複数のリソースユニットを、ＡＰ７０２に、および／または、データ送信のために使用されるべきＳＴＡ７０６、７０８、７１０、７１２のうちの１つまたは複数に割り振り得る。ＡＰ７０２が、データ送信のために割り振られる少なくとも１つのリソースユニットを利用するとき、ＡＰ７０２は、その少なくとも１つのリソースユニットにおいてパイロット信号の集合を生成し得る。パイロット信号の集合を生成するために、ＡＰ７０２は、その少なくとも１つのリソースユニットと関連付けられるパイロットトーン位置を決定し得る。パイロットトーン位置は、通信帯域幅およびリソースユニットの場所（position）（たとえば、リソースユニットがどこで始まり終わるかのトーンインデックス）に基づいて、事前構成され得る。表１は、２６トーンＲＵのための様々な通信帯域幅（またはＰＰＤＵ帯域幅）に対するパイロットトーン位置を示す。
【００８０】
[0094]
【表１】
0006648254.tif 000002
【００８１】
[0095]上記のパイロットトーン位置に基づいて、ＡＰ７０２は、そのパイロットトーン位置と関連付けられるパイロットシーケンスを決定し得る。２６トーンＲＵに対して、パイロットシーケンスは２つのパイロットトーン位置の上に２つのパイロット信号を含み得る。ＡＰ７０２は、下記の表２に示される基本パイロットシーケンスに基づいてパイロットシーケンスを決定し得る。
【００８２】
[0096]
【表２】
0006648254.tif 000003
【００８３】
[0097]表２の基本パイロットシーケンスに基づいて、ＡＰ７０２は、以下のパイロットトーンマッピング式を使用してパイロットシーケンスを決定し得る。
【数１】
0006648254.tif 000004
【００８４】
[0098]式１において、Ψmは表２により与えられ、ｎは０で開始するデータシンボルインデックス（たとえば、ＨＥデータシンボルインデックス）に対応し得る。たとえば、ｎ＝０に対して、パイロットシーケンスは｛１，−１｝である。この例では、第１のデータシンボルの中のすべての２６トーンＲＵは、パイロットシーケンス｛１，−１｝を有し得る。ｎ＝１に対して、パイロットシーケンスは｛−１，１｝である。ある態様では、第１のデータシンボルに対するパイロットシーケンス｛１，−１｝は初期パイロットシーケンス（たとえば、初期の単一ストリームのパイロットシーケンス）と呼ばれることがあり、各々の後続のシンボルに対するパイロットシーケンスは第１のシンボルの初期パイロットシーケンス｛１，−１｝からシフトされたパイロットシーケンスを表す。１つまたは複数のシンボルに対するパイロットシーケンスを決定した後、パイロットトーン位置に対応するパイロット値は、式２に基づいて決定され得る。
【数２】
0006648254.tif 000005
【００８５】
[0099]式２を参照すると、ｐnはパイロット極性シーケンスであり、ここでｐn＝｛１，１，１，１，−１，−１，−１，１，−１，−１，−１，−１，１，１，−１，１，−１，−１，１，１，−１，１，１，−１，１，１，１，１，１，１，−１，１，１，１，−１，１，１，−１，−１，１，１，１，−１，１，−１，−１，−１，１，−１，１，−１，−１，１，−１，−１，１，１，１，１，１，−１，−１，１，１，−１，−１，１，−１，１，−１，１，１，−１，−１，−１，１，１，−１，−１，−１，−１，１，−１，−１，１，−１，１，１，１，１，−１，１，−１，１，−１，１，−１，−１，−１，−１，−１，１，−１，１，１，−１，１，−１，１，１，１，−１，−１，１，−１，−１，−１，１，１，１，−１，−１，−１，−１，−１，−１，−１｝である。
【数３】
0006648254.tif 000006
はｋ番目のトーンに対するパイロットシーケンスを表し、ここでｋは
【数４】
0006648254.tif 000007
の集合の中にあり、ｉは表１のインデックスに対応する。ある態様では、ｚは、送信されるべきフレームのプリアンブルの中のＳＩＧフィールドシンボルの数であり得る。パイロット値とパイロットトーン位置とを決定すると、ＡＰ７０２は、パイロットトーン位置におけるパイロット値に基づいて、シンボル内の１つまたは複数のＲＵにおいてパイロット信号の集合を生成することができ、これは通信帯域幅に基づき得る。続いて、ＡＰ７０２は、送信されるべきデータとともに、対応するリソースユニットにおいてパイロット信号の生成された集合を送信し得る。
【００８６】
[00100]選択肢１：５２トーンリソースユニット
[00101]別の構成では、ＡＰ７０２は、５２個の使用可能なトーンの有するリソースユニットを使用すると決定し得る。ＡＰ７０２は、１つまたは複数のリソースユニットを、ＡＰ７０２に、および／または、データ送信のために使用されるべきＳＴＡ７０６、７０８、７１０、７１２のうちの１つまたは複数に割り振り得る。ＡＰ７０２が、データ送信のために割り振られる少なくとも１つのリソースユニットを利用するとき、ＡＰ７０２は、その少なくとも１つのリソースユニットにおいてパイロット信号の集合を生成し得る。パイロット信号の集合を生成するために、ＡＰ７０２は、その少なくとも１つのリソースユニットと関連付けられるパイロットトーン位置を決定し得る。パイロットトーン位置は、通信帯域幅およびリソースユニットの場所（たとえば、リソースユニットがどこで始まり終わるかのトーンインデックス）に基づいて、事前構成され得る。表３は、５２トーンＲＵのための様々な通信帯域幅（またはＰＤＤＵ帯域幅）に対するパイロットトーン位置を示す。
【００８７】
[00102]
【表３】
0006648254.tif 000008
【００８８】
[00103]上記のパイロットトーン位置に基づいて、ＡＰ７０２は、そのパイロットトーン位置と関連付けられるパイロットシーケンスを決定し得る。５２トーンＲＵに対して、パイロットシーケンスは４つのパイロットトーン位置の上に４つのパイロット信号を含み得る。ＡＰ７０２は、上記の表２に示される基本パイロットシーケンスに基づいてパイロットシーケンスを決定し得る。
【００８９】
[00104]表２の基本パイロットシーケンスに基づいて、ＡＰ７０２は、以下のパイロットトーンマッピング式（式３）を使用してパイロットシーケンスを決定し得る。
【数５】
0006648254.tif 000009
【００９０】
[00105]式３において、Ψmは表２により与えられ、ｎは０で開始するデータシンボルインデックス（たとえば、ＨＥデータシンボルインデックス）に対応し得る。たとえば、ｎ＝０に対して、パイロットシーケンスは｛１，１，１，−１｝である。この例では、第１のデータシンボルの中のすべての５２トーンＲＵは、パイロットシーケンス｛１，１，１，−１｝を有し得る。ｎ＝１に対して、パイロットシーケンスは｛１，１，−１，１｝である。ある態様では、第１のデータシンボルに対するパイロットシーケンス｛１，１，−１，１｝は初期パイロットシーケンスと呼ばれることがあり、各々の後続のシンボルに対するパイロットシーケンスは第１のシンボルの初期パイロットシーケンス｛１，１，１，−１｝からシフトされたパイロットシーケンスを表す。１つまたは複数のシンボルに対するパイロットシーケンスを決定した後、パイロットトーン位置に対応するパイロット値は、式２に基づいて決定され得る。
【数６】
0006648254.tif 000010
【００９１】
[00106]式２を参照すると、ｐnは上記で論じられたようなパイロット極性シーケンスであり、ここでｎはシンボルインデックスに対応し（たとえば、０＝第１のシンボル、１＝第２のシンボルなど）、
【数７】
0006648254.tif 000011
はｋ番目のトーンに対するパイロットシーケンスを表し、ここでｋは
【数８】
0006648254.tif 000012
の集合の中にあり、ｉは表３のインデックスに対応する。ある態様では、ｚは、送信されるべきフレームのプリアンブルの中のＳＩＧフィールドシンボルの数であり得る。パイロット値とパイロットトーン位置とを決定すると、ＡＰ７０２は、パイロットトーン位置におけるパイロット値に基づいて、シンボル内の１つまたは複数のＲＵにおいてパイロット信号の集合を生成することができ、これは通信帯域幅に基づき得る。続いて、ＡＰ７０２は、送信されるべきデータとともに、対応するリソースユニットにおいてパイロット信号の生成された集合を送信し得る。
【００９２】
[00107]選択肢１：１０６トーンリソースユニット
[00108]別の構成では、ＡＰ７０２は、１０６個の使用可能なトーンの有するリソースユニットを使用すると決定し得る。ＡＰ７０２は、１つまたは複数のリソースユニットを、ＡＰ７０２に、および／または、データ送信のために使用されるべきＳＴＡ７０６、７０８、７１０、７１２のうちの１つまたは複数に割り振り得る。ＡＰ７０２が、データ送信のために割り振られる少なくとも１つのリソースユニットを利用するとき、ＡＰ７０２は、その少なくとも１つのリソースユニットにおいてパイロット信号の集合を生成し得る。パイロット信号の集合を生成するために、ＡＰ７０２は、その少なくとも１つのリソースユニットと関連付けられるパイロットトーン位置を決定し得る。パイロットトーン位置は、通信帯域幅およびリソースユニットの場所（たとえば、リソースユニットがどこで始まり終わるかのトーンインデックス）に基づいて、事前構成され得る。表４は、１０６トーンＲＵのための様々な通信帯域幅（またはＰＤＤＵ帯域幅）に対するパイロットトーン位置を示す。
【００９３】
[00109]
【表４】
0006648254.tif 000013
【００９４】
[00110]上記のパイロットトーン位置に基づいて、ＡＰ７０２は、そのパイロットトーン位置と関連付けられるパイロットシーケンスを決定し得る。１０６トーンＲＵに対して、パイロットシーケンスは４つのパイロットトーン位置の上に４つのパイロット信号を含み得る。１０６トーンＲＵは、スペクトル効率を最大にするために、５２トーンＲＵと同じ数のパイロット信号を有し得る。ＡＰ７０２は、上記の表２に示される基本パイロットシーケンスに基づいてパイロットシーケンスを決定し得る。
【００９５】
[00111]表２の基本パイロットシーケンスに基づいて、ＡＰ７０２は、以下のパイロットトーンマッピング式（式４）を使用してパイロットシーケンスを決定し得る。
【数９】
0006648254.tif 000014
【００９６】
[00112]式４において、Ψmは表２により与えられ、ｎは０で開始するデータシンボルインデックス（たとえば、ＨＥデータシンボルインデックス）に対応し得る。たとえば、ｎ＝０に対して、パイロットシーケンスは｛１，１，１，−１｝である。この例では、第１のデータシンボルの中のすべての１０６トーンＲＵは、パイロットシーケンス｛１，１，１，−１｝を有し得る。ｎ＝１に対して、パイロットシーケンスは｛１，１，−１，１｝である。ある態様では、第１のデータシンボルに対するパイロットシーケンス｛１，１，−１，１｝は初期パイロットシーケンスと呼ばれることがあり、各々の後続のシンボルに対するパイロットシーケンスは第１のシンボルの初期パイロットシーケンス｛１，１，１，−１｝からシフトされたパイロットシーケンスを表す。１つまたは複数のシンボルに対するパイロットシーケンスを決定した後、パイロットトーン位置に対応するパイロット値は、式２に基づいて決定され得る。
【数１０】
0006648254.tif 000015
【００９７】
[00113]式２を参照すると、ｐnは上記で論じられたようなパイロット極性シーケンスであり、ここでｎはシンボルインデックスに対応し（たとえば、０＝第１のシンボル、１＝第２のシンボルなど）、
【数１１】
0006648254.tif 000016
はｋ番目のトーンに対するパイロットシーケンスを表し、ここでｋは
【数１２】
0006648254.tif 000017
の集合の中にあり、ｉは表４のインデックスに対応する。ある態様では、ｚは、送信されるべきフレームのプリアンブルの中のＳＩＧフィールドシンボルの数であり得る。パイロット値とパイロットトーン位置とを決定すると、ＡＰ７０２は、パイロットトーン位置におけるパイロット値に基づいて、シンボル内の１つまたは複数のＲＵにおいてパイロット信号の集合を生成することができ、これは通信帯域幅に基づき得る。続いて、ＡＰ７０２は、送信されるべきデータとともに、対応するリソースユニットにおいてパイロット信号の生成された集合を送信し得る。
【００９８】
[00114]選択肢１：２４２トーンリソースユニット
[00115]別の構成では、ＡＰ７０２は、２４２個の使用可能なトーンの有するリソースユニットを使用すると決定し得る。ＡＰ７０２は、１つまたは複数のリソースユニットを、ＡＰ７０２に、および／または、データ送信のために使用されるべきＳＴＡ７０６、７０８、７１０、７１２のうちの１つまたは複数に割り振り得る。ＡＰ７０２が、データ送信のために割り振られる少なくとも１つのリソースユニットを利用するとき、ＡＰ７０２は、その少なくとも１つのリソースユニットにおいてパイロット信号の集合を生成し得る。パイロット信号の集合を生成するために、ＡＰ７０２は、その少なくとも１つのリソースユニットと関連付けられるパイロットトーン位置を決定し得る。パイロットトーン位置は、通信帯域幅およびリソースユニットの場所（たとえば、リソースユニットがどこで始まり終わるかのトーンインデックス）に基づいて、事前構成され得る。表５は、２４２トーンＲＵのための様々な通信帯域幅（またはＰＤＤＵ帯域幅）に対するパイロットトーン位置を示す。
【００９９】
[00116]
【表５】
0006648254.tif 000018
【０１００】
[00117]上記のパイロットトーン位置に基づいて、ＡＰ７０２は、そのパイロットトーン位置と関連付けられるパイロットシーケンスを決定し得る。２４２トーンＲＵに対して、パイロットシーケンスは８つのパイロットトーン位置の上に８つのパイロット信号を含み得る。ＡＰ７０２は、上記の表２に示される基本パイロットシーケンスに基づいてパイロットシーケンスを決定し得る。
【０１０１】
[00118]表２の基本パイロットシーケンスに基づいて、ＡＰ７０２は、以下のパイロットトーンマッピング式（式５）を使用してパイロットシーケンスを決定し得る。
【数１３】
0006648254.tif 000019
【０１０２】
[00119]式５において、Ψmは表２により与えられ、ｎは０で開始するデータシンボルインデックス（たとえば、ＨＥデータシンボルインデックス）に対応し得る。たとえば、ｎ＝０に対して、パイロットシーケンスは｛１，１，１，−１，−１，１，１，１｝である。この例では、第１のデータシンボルの中のすべての２４２トーンＲＵは、パイロットシーケンス｛１，１，１，−１，−１，１，１，１｝を有し得る。ｎ＝１に対して、パイロットシーケンスは｛１，１，−１，−１，１，１，１，１｝である。ある態様では、第１のデータシンボルに対するパイロットシーケンス｛１，１，１，−１，−１，１，１，１｝は初期パイロットシーケンスと呼ばれることがあり、各々の後続のシンボルに対するパイロットシーケンスは第１のシンボルの初期パイロットシーケンス｛１，１，１，−１，−１，１，１，１｝からシフトされたパイロットシーケンスを表す。１つまたは複数のシンボルに対するパイロットシーケンスを決定した後、パイロットトーン位置に対応するパイロット値は、式２に基づいて決定され得る。
【数１４】
0006648254.tif 000020
【０１０３】
[00120]式２を参照すると、ｐnは上記で論じられたようなパイロット極性シーケンスであり、ここでｎはシンボルインデックスに対応し（たとえば、０＝第１のシンボル、１＝第２のシンボルなど）、
【数１５】
0006648254.tif 000021
はｋ番目のトーンに対するパイロットシーケンスを表し、ここでｋは
【数１６】
0006648254.tif 000022
の集合の中にあり、ｉは表５のインデックスに対応する。ある態様では、ｚは、送信されるべきフレームのプリアンブルの中のＳＩＧフィールドシンボルの数であり得る。パイロット値とパイロットトーン位置とを決定すると、ＡＰ７０２は、パイロットトーン位置におけるパイロット値に基づいて、シンボル内の１つまたは複数のＲＵにおいてパイロット信号の集合を生成することができ、これは通信帯域幅に基づき得る。続いて、ＡＰ７０２は、送信されるべきデータとともに、対応するリソースユニットにおいてパイロット信号の生成された集合を送信し得る。
【０１０４】
[00121]選択肢１：４８４トーンリソースユニット
[00122]別の構成では、ＡＰ７０２は、４８４個の使用可能なトーンの有するリソースユニットを使用すると決定し得る。ＡＰ７０２は、１つまたは複数のリソースユニットを、ＡＰ７０２に、および／または、データ送信のために使用されるべきＳＴＡ７０６、７０８、７１０、７１２のうちの１つまたは複数に割り振り得る。ＡＰ７０２が、データ送信のために割り振られる少なくとも１つのリソースユニットを利用するとき、ＡＰ７０２は、その少なくとも１つのリソースユニットにおいてパイロット信号の集合を生成し得る。パイロット信号の集合を生成するために、ＡＰ７０２は、その少なくとも１つのリソースユニットと関連付けられるパイロットトーン位置を決定し得る。パイロットトーン位置は、通信帯域幅およびリソースユニットの場所（たとえば、リソースユニットがどこで始まり終わるかのトーンインデックス）に基づいて、事前構成され得る。表６は、４８４トーンＲＵのための様々な通信帯域幅（またはＰＤＤＵ帯域幅）に対するパイロットトーン位置を示す。
【０１０５】
[00123]
【表６】
0006648254.tif 000023
【０１０６】
[00124]上記のパイロットトーン位置に基づいて、ＡＰ７０２は、そのパイロットトーン位置と関連付けられるパイロットシーケンスを決定し得る。４８４トーンＲＵに対して、パイロットシーケンスは１６個のパイロットトーン位置の上に１６個のパイロット信号を含み得る。ＡＰ７０２は、上記の表２に示される基本パイロットシーケンスに基づいてパイロットシーケンスを決定し得る。
【０１０７】
[00125]表２の基本パイロットシーケンスに基づいて、ＡＰ７０２は、以下のパイロットトーンマッピング式（式６）を使用してパイロットシーケンスを決定し得る。
【数１７】
0006648254.tif 000024
【０１０８】
[00126]式６において、Ψmは表２により与えられ、ｎは０で開始するデータシンボルインデックス（たとえば、ＨＥデータシンボルインデックス）に対応し得る。たとえば、ｎ＝０に対して、パイロットシーケンスは｛１，１，１，−１，−１，１，１，１，１，１，１，−１，−１，１，１，１｝である。この例では、第１のデータシンボルの中のすべての４８４トーンＲＵは、パイロットシーケンス｛１，１，１，−１，−１，１，１，１，１，１，１，−１，−１，１，１，１｝を有し得る。ある態様では、第１のデータシンボルに対するパイロットシーケンス｛１，１，１，−１，−１，１，１，１，１，１，１，−１，−１，１，１，１｝は初期パイロットシーケンスと呼ばれることがあり、各々の後続のシンボルに対するパイロットシーケンスは第１のシンボルの初期パイロットシーケンス｛１，１，１，−１，−１，１，１，１，１，１，１，−１，−１，１，１，１｝からシフトされたパイロットシーケンスを表す。１つまたは複数のシンボルに対するパイロットシーケンスを決定した後、パイロットトーン位置に対応するパイロット値は、式２に基づいて決定され得る。
【数１８】
0006648254.tif 000025
【０１０９】
[00127]式２を参照すると、ｐnは上記で論じられたようなパイロット極性シーケンスであり、ここでｎはシンボルインデックスに対応し（たとえば、０＝第１のシンボル、１＝第２のシンボルなど）、
【数１９】
0006648254.tif 000026
はｋ番目のトーンに対するパイロットシーケンスを表し、ここでｋは
【数２０】
0006648254.tif 000027
の集合の中にあり、ｉは表６のインデックスに対応する。ある態様では、ｚは、送信されるべきフレームのプリアンブルの中のＳＩＧフィールドシンボルの数であり得る。パイロット値とパイロットトーン位置とを決定すると、ＡＰ７０２は、パイロットトーン位置におけるパイロット値に基づいて、シンボル内の１つまたは複数のＲＵにおいてパイロット信号の集合を生成することができ、これは通信帯域幅に基づき得る。続いて、ＡＰ７０２は、送信されるべきデータとともに、対応するリソースユニットにおいてパイロット信号の生成された集合を送信し得る。
【０１１０】
[00128]選択肢１：９９６トーンリソースユニット
[00129]別の構成では、ＡＰ７０２は、９９６個の使用可能なトーンの有するリソースユニットを使用すると決定し得る。ＡＰ７０２は、１つまたは複数のリソースユニットを、ＡＰ７０２に、および／または、データ送信のために使用されるべきＳＴＡ７０６、７０８、７１０、７１２のうちの１つまたは複数に割り振り得る。ＡＰ７０２が、データ送信のために割り振られる少なくとも１つのリソースユニットを利用するとき、ＡＰ７０２は、その少なくとも１つのリソースユニットにおいてパイロット信号の集合を生成し得る。パイロット信号の集合を生成するために、ＡＰ７０２は、その少なくとも１つのリソースユニットと関連付けられるパイロットトーン位置を決定し得る。パイロットトーン位置は、通信帯域幅およびリソースユニットの場所（たとえば、リソースユニットがどこで始まり終わるかのトーンインデックス）に基づいて、事前構成され得る。表７は、９９６トーンＲＵのための様々な通信帯域幅（またはＰＤＤＵ帯域幅）に対するパイロットトーン位置を示す。
【０１１１】
[00130]
【表７】
0006648254.tif 000028
【０１１２】
[00131]上記のパイロットトーン位置に基づいて、ＡＰ７０２は、そのパイロットトーン位置と関連付けられるパイロットシーケンスを決定し得る。９９６トーンＲＵに対して、パイロットシーケンスは１６個のパイロットトーン位置の上に１６個のパイロット信号を含み得る。９９６トーンＲＵは、スペクトル効率を最大にするために、４８４トーンＲＵと同じ数のパイロット信号を有し得る。ＡＰ７０２は、上記の表２に示される基本パイロットシーケンスに基づいてパイロットシーケンスを決定し得る。
【０１１３】
[00132]表２の基本パイロットシーケンスに基づいて、ＡＰ７０２は、以下のパイロットトーンマッピング式（式７）を使用してパイロットシーケンスを決定し得る。
【数２１】
0006648254.tif 000029
【０１１４】
[00133]式７において、Ψmは表２により与えられ、ｎは０で開始するデータシンボルインデックス（たとえば、ＨＥデータシンボルインデックス）に対応し得る。たとえば、ｎ＝０に対して、パイロットシーケンスは｛１，１，１，−１，−１，１，１，１，１，１，１，−１，−１，１，１，１｝である。この例では、第１のデータシンボルの中のすべての９９６トーンＲＵは、パイロットシーケンス｛１，１，１，−１，−１，１，１，１，１，１，１，−１，−１，１，１，１｝を有し得る。ある態様では、第１のデータシンボルに対するパイロットシーケンス｛１，１，１，−１，−１，１，１，１，１，１，１，−１，−１，１，１，１｝は初期パイロットシーケンスと呼ばれることがあり、各々の後続のシンボルに対するパイロットシーケンスは第１のシンボルの初期パイロットシーケンス｛１，１，１，−１，−１，１，１，１，１，１，１，−１，−１，１，１，１｝からシフトされたパイロットシーケンスを表す。１つまたは複数のシンボルに対するパイロットシーケンスを決定した後、パイロットトーン位置に対応するパイロット値は、式２に基づいて決定され得る。
【数２２】
0006648254.tif 000030
【０１１５】
[00134]式２を参照すると、ｐnは上記で論じられたようなパイロット極性シーケンスであり、ここでｎはシンボルインデックスに対応し（たとえば、０＝第１のシンボル、１＝第２のシンボルなど）、
【数２３】
0006648254.tif 000031
はｋ番目のトーンに対するパイロットシーケンスを表し、ここでｋは
【数２４】
0006648254.tif 000032
の集合の中にあり、ｉは表７のインデックスに対応する。ある態様では、ｚは、送信されるべきフレームのプリアンブルの中のＳＩＧフィールドシンボルの数であり得る。パイロット値とパイロットトーン位置とを決定すると、ＡＰ７０２は、パイロットトーン位置におけるパイロット値に基づいて、シンボル内の１つまたは複数のＲＵにおいてパイロット信号の集合を生成することができ、これは通信帯域幅に基づき得る。続いて、ＡＰ７０２は、送信されるべきデータとともに、対応するリソースユニットにおいてパイロット信号の生成された集合を送信し得る。
【０１１６】
[00135]選択肢１：２×９９６トーン（１９９２トーン）リソースユニット
[00136]別の構成では、ＡＰ７０２は、１９９２個の使用可能なトーンの有するリソースユニットを使用すると決定し得る。ＡＰ７０２は、１つまたは複数のリソースユニットを、ＡＰ７０２に、および／または、データ送信のために使用されるべきＳＴＡ７０６、７０８、７１０、７１２のうちの１つまたは複数に割り振り得る。ＡＰ７０２が、データ送信のために割り振られる少なくとも１つのリソースユニットを利用するとき、ＡＰ７０２は、その少なくとも１つのリソースユニットにおいてパイロット信号の集合を生成し得る。パイロット信号の集合を生成するために、ＡＰ７０２は、その少なくとも１つのリソースユニットと関連付けられるパイロットトーン位置を決定し得る。パイロットトーン位置は、通信帯域幅およびリソースユニットの場所（たとえば、リソースユニットがどこで始まり終わるかのトーンインデックス）に基づいて、事前構成され得る。表８は、２×９９６トーンＲＵのための様々な通信帯域幅（またはＰＤＤＵ帯域幅）に対するパイロットトーン位置を示す。
【０１１７】
[00137]
【表８】
0006648254.tif 000033
【０１１８】
[00138]上記のパイロットトーン位置に基づいて、ＡＰ７０２は、そのパイロットトーン位置と関連付けられるパイロットシーケンスを決定し得る。２×９９６トーンＲＵに対して、パイロットシーケンスは３２個のパイロットトーン位置の上に３２個のパイロット信号を含み得る。ＡＰ７０２は、上記の表２に示される基本パイロットシーケンスに基づいてパイロットシーケンスを決定し得る。
【０１１９】
[00139]表２の基本パイロットシーケンスに基づいて、ＡＰ７０２は、以下のパイロットトーンマッピング式（式８）を使用してパイロットシーケンスを決定し得る。
【数２５】
0006648254.tif 000034
【０１２０】
[00140]式８において、Ψmは表２により与えられ、ｎは０で開始するデータシンボルインデックス（たとえば、ＨＥデータシンボルインデックス）に対応し得る。たとえば、ｎ＝０に対して、パイロットシーケンスは｛１，１，１，−１，−１，１，１，１，１，１，１，−１，−１，１，１，１，１，１，１，−１，−１，１，１，１，１，１，１，−１，−１，１，１，１｝である。この例では、第１のデータシンボルの中のすべての２×９９６トーンＲＵは、パイロットシーケンス｛１，１，１，−１，−１，１，１，１，１，１，１，−１，−１，１，１，１，１，１，１，−１，−１，１，１，１，１，１，１，−１，−１，１，１，１｝を有し得る。ある態様では、第１のデータシンボルに対するパイロットシーケンス｛１，１，１，−１，−１，１，１，１，１，１，１，−１，−１，１，１，１，１，１，１，−１，−１，１，１，１，１，１，１，−１，−１，１，１，１｝は初期パイロットシーケンスと呼ばれることがあり、各々の後続のシンボルに対するパイロットシーケンスは第１のシンボルの初期パイロットシーケンス｛１，１，１，−１，−１，１，１，１，１，１，１，−１，−１，１，１，１，１，１，１，−１，−１，１，１，１，１，１，１，−１，−１，１，１，１｝からシフトされたパイロットシーケンスを表す。１つまたは複数のシンボルに対するパイロットシーケンスを決定した後、パイロットトーン位置に対応するパイロット値は、式２に基づいて決定され得る。
【数２６】
0006648254.tif 000035
【０１２１】
[00141]式２を参照すると、ｐnは上記で論じられたようなパイロット極性シーケンスであり、ここでｎはシンボルインデックスに対応し（たとえば、０＝第１のシンボル、１＝第２のシンボルなど）、
【数２７】
0006648254.tif 000036
はｋ番目のトーンに対するパイロットシーケンスを表し、ここでｋは
【数２８】
0006648254.tif 000037
の集合の中にあり、ｉは表８のインデックスに対応する。ある態様では、ｚは、送信されるべきフレームのプリアンブルの中のＳＩＧフィールドシンボルの数であり得る。パイロット値とパイロットトーン位置とを決定すると、ＡＰ７０２は、パイロットトーン位置におけるパイロット値に基づいて、シンボル内の１つまたは複数のＲＵにおいてパイロット信号の集合を生成することができ、これは通信帯域幅に基づき得る。続いて、ＡＰ７０２は、送信されるべきデータとともに、対応するリソースユニットにおいてパイロット信号の生成された集合を送信し得る。
【０１２２】
[00142]選択肢２：帯域幅依存パイロットシーケンス
[00143]選択肢２では、リソースユニットは、２６個の使用可能なトーン、５２個の使用可能なトーン、１０６個の使用可能なトーン、２４２個の使用可能なトーン、４８４個の使用可能なトーン、９９６個の使用可能なトーン、または１９９２個の使用可能なトーンを有し得る。様々なサイズのリソースユニットと関連付けられるパイロット信号は、ＰＰＤＵまたは通信帯域幅に依存し得る。
【０１２３】
[00144]選択肢２にしたがってパイロット信号を生成するために、ワイヤレスデバイスは基本パイロットシーケンスを利用し得る。基本パイロットシーケンスを定義するために、まず、所与のＰＰＤＵの中で最大のリソースユニットに対するパイロットシーケンスを定義することができ、一方で、パイロットトーン上で最小のピーク対平均電力比（ＰＡＰＲ：peak-to-average-power ratio）を目標にする。より小さなリソースユニットに対するパイロットシーケンスは、最大のリソースユニットの中のすべての利用可能なパイロット値を継承することに加えて、より大きなリソースユニットにおいてパンクチャされたパイロット上の１つまたは複数の補間されたパイロット値から、部分的に形成され得る。このプロセスは最小のＰＡＰＲを目標にする。
【０１２４】
[00145]たとえば、図４の２０ＭＨｚのシンボルを参照する際、パイロットトーンの集合全体に対するパイロットシーケンスは、Ｐ＝｛ｐi，ｉ＝１，．．．，１８｝であると仮定する。言い換えると、２０ＭＨｚシンボルは１８個のパイロットトーンを有することがあり、ここでｐiはパイロットトーン上の基本パイロット値を表し、ｉは名目トーンインデックスを表す。基本パイロットシーケンスを定義するために、まず、最適なＰ242＝｛ｐi，ｉ＝１，３，６，８，１１，１３，１６，１８｝を求めて、最大のリソースユニット、すなわち２４２トーンＲＵに対するシーケンスを最適化することができ、Ｐ242はＰＡＰＲが最小である図４における名目トーンインデックス位置に対応する。得られるパイロットシーケンスＰ242は、１０６トーンＲＵにも適用可能であることがあり、このときＰ106,1＝｛ｐi，ｉ＝１，３，６，８｝およびＰ106,2＝｛ｐi，ｉ＝１１，１３，１６，１８｝である。次に、最適なＰ52＝｛ｐi，ｉ＝１，．．．，１８｝を求めて５２トーンＲＵに対するパイロットシーケンスを最適化することができ、ここでｐi，ｉ＝１，３，６，８，１１，１３，１６，１８はＰ242から継承される。ＰＡＰＲが最小である最適なＰ＝Ｐ52＝｛ｐｉ，ｉ＝１，．．．，１８｝を得るために、ｐi，ｉ＝２，４，５，７，９，１０，１２，１４，１５，１７に対するすべての可能な組合せにわたって探索することができる。得られるパイロットシーケンスＰ52は、２６トーンＲＵにも適用可能であり得る。同様の最適化手順が、４０ＭＨｚ、８０ＭＨｚ、および１６０ＭＨｚの帯域幅のために実行され得る。最適化手順を実行することによって、表９に記載されているような様々な帯域幅に対する最適な基本パイロットシーケンスが取得され得る。
【０１２５】
[00146]
【表９】
0006648254.tif 000038
【０１２６】
[00147]表９に示されるように、各帯域幅は２つの基本パイロットシーケンスを有し得る。ＡＰ７０２（たとえば、および／またはＳＴＡ７０６、７０８、７１０、７１２）は、各帯域幅に対する少なくとも１つの基本パイロットシーケンスを用いて事前構成され得る。２０ＭＨｚの帯域幅を例として使用して、ＡＰ７０２は通信のために２０ＭＨｚの帯域幅を選ぶと仮定する。ＡＰ７０２は、２０ＭＨｚの帯域幅に基づいて、通信のための図４に示されるようなリソースユニットの数を決定し得る。前に説明されたように、２０ＭＨｚシンボル内では、一部のリソースは２６トーンを有し得るが、他のリソースユニットは５２トーン、１０６トーン、または何らかの他の数のトーンを有し得る。代替的に、すべてのリソースユニットが、２６トーンなどの均一な数のトーンを有し得る。図４の行１に示されるように２０ＭＨｚの帯域幅において２６個の使用可能なトーンを伴うリソースユニットを使用することをＡＰ７０２が決定すると、仮定する。ＡＰ７０２は、１つまたは複数のリソースユニットを、ＡＰ７０２に、および／または、データ送信のために使用されるべきＳＴＡ７０６、７０８、７１０、７１２のうちの１つまたは複数に割り振り得る。この例では、ＡＰ７０２が最初の２つの２６トーンＲＵ（たとえば、Ｒ26,1およびＲ26,2）をＡＰ７０２に割り振ると仮定する。ＡＰ７０２がデータ送信のためにそれらの割り振られたＲＵを利用するとき、ＡＰ７０２は、それらの２つのＲＵにおいてパイロット信号の集合を生成し得る。パイロット信号の集合を生成するために、ＡＰ７０２は、第１のＲＵおよび第２のＲＵと関連付けられるパイロットトーン位置を決定し得る。パイロットトーン位置は、通信帯域幅およびシンボル内でのリソースユニットの場所に基づいて、事前構成され得る。上の表１および表３〜表８は、様々な帯域幅およびリソースユニットサイズにおける異なるパイロットトーン位置を示す。この例では、２０ＭＨｚの帯域幅の中の２つの２６トーンＲＵは、｛（−１１６，−１０２），（−９０，−７６）｝においてパイロットトーン位置を有し得る。２６トーンＲＵの例について続けると、ＡＰ７０２は、そのパイロットトーン位置と関連付けられるパイロットシーケンスを決定し得る。２６トーンＲＵに対して、パイロットシーケンスは２個のパイロットトーン位置の上に２個のパイロット信号を含み得る。ＡＰ７０２は、表９に示されるような２０ＭＨｚシンボルに対する基本パイロットシーケンスのうちの１つに基づいてパイロットシーケンスを決定し得る。ある態様では、ＡＰ７０２は、帯域幅の各々に対する基本パイロットシーケンスを用いて事前構成され得る。たとえば、決定された基本パイロットシーケンスはＰ＝｛ｐi，ｉ＝１，．．．，１８｝＝｛１，１，１，−１，１，１，−１，−１，１，１，−１，１，−１，１，１，１，１，−１｝であると仮定する。２０ＭＨｚの帯域幅と関連付けられる基本パイロットシーケンスを決定した後で、ＡＰ７０２は、基本パイロットシーケンス、通信帯域幅、およびＲＵサイズに基づいて、２つのＲＵの各々に対する初期パイロットシーケンスを決定し得る。図４の最初の行における最初の２６トーンＲＵは、初期パイロットトーンシー��ンスＰ26,1＝｛ｐi，ｉ＝１，２｝＝｛１，１｝に対応する、名目トーンインデックスＰ26,1＝｛ｐi，ｉ＝１，２｝を有し得る。図４の２番目の２６トーンＲＵは、初期パイロットシーケンスＰ26,2＝｛ｐi，ｉ＝３，４｝＝｛１，−１｝に対応し得る、名目トーンインデックスＰ26,1＝｛ｐi，ｉ＝３，４｝を有し得る。選択肢１と同様に、初期パイロットシーケンスは、ＰＰＤＵの第１のデータシンボル（ｎ＝０）に対応し得る。各々の後続のデータシンボルに対して、パイロットシーケンスは、初期パイロットシーケンスをシフトすることによって取得され得る。たとえば、ｎ＝１に対して、第１のＲＵのパイロットシーケンス｛１，１｝は、１だけ初期パイロットシーケンスをシフトすることによって決定され得る。同様に、ｎ＝１に対して、第２のＲＵのパイロットシーケンス｛−１，１｝は、１だけ初期パイロットシーケンスをシフトすることによって取得され得る。パイロットシーケンスを決定した後、パイロットトーン位置に対応するパイロット値は、式２に基づいて決定され得る。
【数２９】
0006648254.tif 000039
【０１２７】
[00148]式２を参照すると、ｐnは上記で論じられたようなパイロット極性シーケンスであり、ここでｎはシンボルインデックスに対応し（たとえば、０＝第１のシンボル、１＝第２のシンボルなど）、
【数３０】
0006648254.tif 000040
はｋ番目のトーンに対するパイロットシーケンスを表し、ここでｋは
【数３１】
0006648254.tif 000041
の集合の中にある。ある態様では、ｚは、送信されるべきフレームのプリアンブルの中のＳＩＧフィールドシンボルの数であり得る。パイロット値とパイロットトーン位置とを決定すると、ＡＰ７０２は、パイロットトーン位置におけるパイロット値に基づいて、シンボル内の１つまたは複数のＲＵにおいてパイロット信号の集合を生成することができ、これは通信帯域幅に基づき得る。続いて、ＡＰ７０２は、送信されるべきデータとともに、対応するリソースユニットにおいてパイロット信号の生成された集合を送信し得る。この例は、２０ＭＨｚの帯域幅における２６トーンＲＵに対して選択肢２を使用するパイロット信号生成プロセスを示すが、他の帯域幅における他のＲＵサイズに対する同様のプロセスも、表９において与えられるそれぞれの基本パイロットシーケンスに基づいて使用され得る。
【０１２８】
[00149]選択肢３：データシンボルのための４ｘＬＴＦシンボルにおいてパイロットシーケンスを使用すること
[00150]選択肢３では、リソースユニットは、２６個の使用可能なトーン、５２個の使用可能なトーン、１０６個の使用可能なトーン、２４２個の使用可能なトーン、４８４個の使用可能なトーン、９９６個の使用可能なトーン、または１９９２個の使用可能なトーンを有し得る。様々なサイズのリソースユニットと関連付けられるパイロット信号は、ＰＰＤＵまたは通信帯域幅と、４ｘＬＴＦシンボルにおいて使用されるパイロットシーケンスとに依存し得る。
【０１２９】
[00151]選択肢３にしたがってパイロット信号を生成するために、ワイヤレスデバイスは基本パイロットシーケンスを利用し得る。基本パイロットシーケンスは、対応する帯域幅（たとえば、２０ＭＨｚ、４０ＭＨｚ、および８０ＭＨｚ）の各々におけるＬＴＦシンボルに対するパイロットシーケンスに基づき得る。表１０は、選択肢３を使用する様々な帯域幅に対する基本パイロットシーケンスを列挙する。
【０１３０】
[00152]
【表１０】
0006648254.tif 000042
【０１３１】
[00153]表１０に示されるように、各帯域幅は１つの基本パイロットシーケンスを有し得る。ＡＰ７０２（たとえば、および／またはＳＴＡ７０６、７０８、７１０、７１２）は、各帯域幅に対する基本パイロットシーケンスで事前構成され得る。２０ＭＨｚの帯域幅を例として使用して、ＡＰ７０２は通信のために２０ＭＨｚの帯域幅を選ぶと仮定する。ＡＰ７０２は、２０ＭＨｚの帯域幅に基づいて、通信のための図４に示されるようなリソースユニットの数を決定し得る。前に説明されたように、２０ＭＨｚシンボル内では、一部のリソースは２６トーンを有し得るが、他のリソースユニットは５２トーン、１０６トーン、または何らかの他の数のトーンを有し得る。代替的に、すべてのリソースユニットが、２６トーンなどの均一な数のトーンを有し得る。図４の行１に示されるように２０ＭＨｚの帯域幅において２６個の使用可能なトーンを伴うリソースユニットを使用することをＡＰ７０２が決定すると、仮定する。ＡＰ７０２は、１つまたは複数のリソースユニットを、ＡＰ７０２に、および／または、データ送信のために使用されるべきＳＴＡ７０６、７０８、７１０、７１２のうちの１つまたは複数に割り振り得る。この例では、ＡＰ７０２が最初の２つの２６トーンＲＵ（たとえば、Ｒ26,1およびＲ26,2）をＡＰ７０２に割り振ると仮定する。ＡＰ７０２がデータ送信のためにそれらの割り振られたＲＵを利用するとき、ＡＰ７０２は、それらの２つのＲＵにおいてパイロット信号の集合を生成し得る。パイロット信号の集合を生成するために、ＡＰ７０２は、第１のＲＵおよび第２のＲＵと関連付けられるパイロットトーン位置を決定し得る。パイロットトーン位置は、通信帯域幅およびシンボル内でのリソースユニットの場所に基づいて、事前構成され得る。上記の表１および表３〜表８は、様々な帯域幅およびリソースユニットサイズにおける異なるパイロットトーン位置を示す。この例では、２０ＭＨｚの帯域幅の中の２つの２６トーンＲＵは、｛（−１１６，−１０２），（−９０，−７６）｝においてパイロットトーン位置を有し得る。２６トーンＲＵの例について続けると、ＡＰ７０２は、そのパイロットトーン位置と関連付けられるパイロットシーケンスを決定し得る。２６トーンＲＵに対して、パイロットシーケンスは２個のパイロットトーン位置の上に２個のパイロット信号を含み得る。ＡＰ７０２は、表９に示されるような２０ＭＨｚシンボルに対する基本パイロットシーケンスのうちの１つに基づいてパイロットシーケンスを決定し得る。ある態様では、ＡＰ７０２は、帯域幅の各々に対する基本パイロットシーケンスを用いて事前構成され得る。たとえば、決定された基本パイロットシーケンスはＰ＝｛ｐi，ｉ＝１，．．．，１８｝＝｛１，−１，１，１，−１，−１，−１，１，１，１，１，−１，−１，−１，−１，−１，１，−１｝｝であると仮定する。２０ＭＨｚの帯域幅と関連付けられる基本パイロットシーケンスを決定した後で、ＡＰ７０２は、基本パイロットシーケンス、通信帯域幅、およびＲＵサイズに基づいて、２つのＲＵの各々に対する初期パイロットシーケンスを決定し得る。図４の最初の行における最初の２６トーンＲＵは、初期パイロットトーンシーケンスＰ26,1＝｛ｐi，ｉ＝１，２｝＝｛１，−１｝に対応する、名目トーンインデックスＰ26,1＝｛ｐi，ｉ＝１，２｝を有し得る。図４の２番目の２６トーンＲＵは、初期パイロットトーンシーケンスＰ26,2＝｛ｐi，ｉ＝３，４｝＝｛１，１｝に対応し得る、名目トーンインデックスＰ26,1＝｛ｐi，ｉ＝３，４｝を有し得る。選択肢１および２と同様に、初期パイロットシーケンスは、ＰＰＤＵの第１のデータシンボル（ｎ＝０）に対応し得る。各々の後続のデータシンボルに対して、パイロットシーケンスは、初期パイロットシーケンスをシフトすることによって取得され得る。たとえば、ｎ＝１に対して、第１のＲＵのパイロットシーケンス｛−１，１｝は、１だけ初期パイロットシーケンスをシフトすることによって決定され得る。同様に、ｎ＝１に対して、第２のＲＵのパイロットシーケンス｛１，１｝は、１だけ初期パイロットシーケンスをシフトすることによって取得され得る。パイロットシーケンスを決定した後、パイロットトーン位置に対応するパイロット値は、式２に基づいて決定され得る。
【数３２】
0006648254.tif 000043
【０１３２】
[00154]式２を参照すると、ｐnは上記で論じられたようなパイロット極性シーケンスであり、ここでｎはシンボルインデックスに対応し（たとえば、０＝第１のシンボル、１＝第２のシンボルなど）、
【数３３】
0006648254.tif 000044
はｋ番目のトーンに対するパイロットシーケンスを表し、ここでｋは
【数３４】
0006648254.tif 000045
の集合の中にある。ある態様では、ｚは、送信されるべきフレームのプリアンブルの中のＳＩＧフィールドシンボルの数であり得る。パイロット値とパイロットトーン位置とを決定すると、ＡＰ７０２は、パイロットトーン位置におけるパイロット値に基づいて、シンボル内の１つまたは複数のＲＵにおいてパイロット信号の集合を生成することができ、これは通信帯域幅に基づき得る。続いて、ＡＰ７０２は、送信されるべきデータとともに、対応するリソースユニットにおいてパイロット信号の生成された集合を送信し得る。この例は、２０ＭＨｚの帯域幅における２６トーンＲＵに対して選択肢２を使用するパイロット信号生成プロセスを示すが、他の帯域幅における他のＲＵサイズに対する同様のプロセスも、表１０において与えられるそれぞれの基本パイロットシーケンスに基づいて使用され得る。
【０１３３】
[00155]選択肢１〜３に関する上記の説明では、初期パイロットシーケンスは各ＲＵに対して決定され、パイロットシーケンスは初期パイロットシーケンスに基づいてシンボルごとにシフトされていた。たとえば、選択肢１および２において、初期パイロットシーケンスが｛１，１，１，−１｝である５２トーンＲＵに対して、シンボルインデックスｎ＝０である第１のデータシンボルの中のＲＵは、それの４つのパイロットに対して初期パイロットシーケンスの値｛１，１，１，−１｝を採用し、シンボルインデックスｎ＝１である第２のデータシンボルの中のＲＵは値｛１，１，−１，１｝を採用し、これはシフトされた初期パイロットシーケンスを表していた。同様に、選択肢３において、初期パイロットシーケンスが｛１，−１，１，１｝である５２トーンＲＵに対して、シンボルインデックスｎ＝０である第１のデータシンボルの中のＲＵは値｛１，−１，１，１｝を採用しており、シンボルインデックスｎ＝１である第２のデータシンボルの中のＲＵは値｛−１，１，１，１｝を採用していた。すなわち、後続のシンボルに対する選択肢１〜３におけるすべてのパイロットシーケンスのシフトは、単一のＲＵの初期パイロットシーケンスに基づいていた。別の態様では、パイロットシーケンスのシフトは、ＰＰＤＵ帯域幅全体にわたるパイロットシーケンスに基づくことがあり、帯域幅全体に対するパイロットシーケンスは選択肢２および３ではシンボルごとにシフトされる（しかし選択肢１ではそうされない）ことがある。続いて、単一のＲＵに対するパイロットシーケンスが、ＰＰＤＵ帯域幅全体のシフトされたパイロットシーケンスに基づいて決定され得る。
【０１３４】
[00156]選択肢３を例として使用して、ＡＰ７０２は、ＰＰＤＵ帯域幅全体に対する基本パイロットシーケンスを決定することによって、パイロット信号の集合を生成し得る。表１０を参照すると、ＰＰＤＵ帯域幅が２０ＭＨｚである場合、ＰＰＤＵ帯域幅または通信帯域幅の全体に対する基本パイロットシーケンスは｛１，−１，１，１，−１，−１，−１，１，１，１，１，−１，−１，−１，−１，−１，１，−１｝である。５２トーンＲＵを仮定すると、第１のデータシンボル、すなわちｎ＝０に対して、パイロットシーケンスは｛１，−１，１，１｝であり得る。第２のデータシンボル、すなわちｎ＝１に対するパイロットシーケンスを決定するために、ＡＰ７０２は、ＰＰＤＵ帯域幅全体にわたるシフトされた基本パイロットシーケンスを表し得る。｛−１，１，１，−１，−１，−１，１，１，１，１，−１，−１，−１，−１，−１，１，−１，１｝を得るために、ＰＰＤＵ帯域幅全体に対する基本パイロットシーケンスをシフトすることができる。ＰＰＤＵ帯域幅全体に対する基本パイロットシーケンスをシフトすると、ＡＰ７０２は、｛−１，１，１−１｝であり得る、第２のデータシンボルの中の５２トーンＲＵに対するパイロットシーケンスを決定し得る。この態様では、特定のシンボルにおける特定のＲＵに対するパイロットシーケンスは、ＰＰＤＵ帯域幅全体のシフトされた基本パイロットシーケンス、シンボルインデックス、および特定のＲＵと関連付けられるパイロット位置または使用可能なトーンの数に基づいて決定され得る。パイロットシーケンスを決定した後、パイロットトーン位置に対応するパイロット値は、式２に基づいて決定され得る。
【数３５】
0006648254.tif 000046
【０１３５】
[00157]式２を参照すると、ｐnは上記で論じられたようなパイロット極性シーケンスであり、ここでｎはシンボルインデックスに対応し（たとえば、０＝第１のシンボル、１＝第２のシンボルなど）、
【数３６】
0006648254.tif 000047
はｋ番目のトーンに対するパイロットシーケンスを表し、ここでｋは
【数３７】
0006648254.tif 000048
の集合の中にある。ある態様では、ｚは、送信されるべきフレームのプリアンブルの中のＳＩＧフィールドシンボルの数であり得る。パイロット値とパイロットトーン位置とを決定すると、ＡＰ７０２は、パイロットトーン位置におけるパイロット値に基づいて、シンボル内の１つまたは複数のＲＵにおいてパイロット信号の集合を生成することができる。続いて、ＡＰ７０２は、送信されるべきデータとともに、対応するリソースユニットにおいてパイロット信号の生成された集合を送信し得る。この例は、２０ＭＨｚの帯域幅における５２トーンＲＵに対して選択肢３を使用するパイロット信号生成プロセスを示すが、選択肢２に対して、他のＲＵサイズ、および他の通信帯域幅に対して同様のプロセスが使用され得る。さらに、帯域幅全体にわたって基本パイロットシーケンスをシフトするこの手順はＡＰに限定されない。ＳＴＡもこの手順を実行することができる。
【０１３６】
[00158]（単一のＲＵにわたるのとは対照的に）ＰＰＤＵ帯域幅全体にわたる基本パイロットシーケンスのグローバルなシフトを実行するために、ＡＰ７０２またはＳＴＡは、特定のＲＵに対するパイロットシーケンスだけの代わりに、帯域幅全体にわたる基本パイロットシーケンスを知っている（たとえば、それを用いて事前構成される）必要があり得る。ＳＴＡが帯域幅全体にわたる基本パイロットシーケンスを知っているとき、ＳＴＡは共通のパイロット機能を可能にするために、そのパイロットシーケンス情報を利用し得る。共通パイロットの使用は、図７を参照することによって示され得る。ダウンリンク送信のために、ＡＰ７０２が唯一の送信機であるので、ＳＴＡ７０６、７０８、７１０、７１２の各々は、基準（たとえば、ＡＰ７０２）が同じであるので同じ周波数オフセットを伴うダウンリンク送信を受信し得る。ある例では、ＳＴＡ７０６が単一の２６トーンＲＵを割り当てられる場合、ＳＴＡ７０６は、ＡＰ７０２からの周波数オフセットを決定するために、割り当てられた２６トーンＲＵにおいてパイロット信号を使用し得る。加えて、ＳＴＡ７０６がＰＰＤＵ帯域幅全体に対する基本パイロットシーケンスを知っているので、ＳＴＡ７０６は、ＳＴＡ７０８、７１０、および／または７１２に割り当てられるＲＵにおける予想されるパイロット信号を（たとえば、それぞれのパイロットシーケンス、パイロット値、パイロットトーン位置などを決定することによって）計算し、位相オフセット／ドリフトの推定を改善するためにＳＴＡ７０８、７１０、７１２、および／または他のＳＴＡに割り当てられるＲＵからのパイロット信号を使用し得る。他のユーザに割り当てられるパイロット信号の使用は、共通パイロットの使用として知られていることがある。
【０１３７】
[00159]別の態様では、ＡＰは、１つまたは複数のリソースユニットを他のＳＴＡに割り振り得る。たとえば、ＡＰ７０２が、シンボルの中のいくつかのリソースユニットのうちの１つまたは複数のリソースユニットをＳＴＡ７０６、７０８、７１０、７１２に割り振るとき、ＡＰ７０２は、トリガフレーム７１４（または管理フレームまたは制御フレームもしくはメッセージなどの任意の他の種類のフレーム）において、割振り情報をＳＴＡ７０６、７０８、７１０、７１２に送信し得る。割振り情報は、ＳＴＡ７０６、７０８、７１０、７１２がリソースユニット上でデータを送信し割り振られたリソースユニット上でパイロット信号を生成することを可能にするために、どのリソースユニットがＳＴＡ７０６、７０８、７１０、７１２の各々に割り振られているかを示し得る。ある態様では、割振り情報は、１つまたは複数のリソースユニットがいつ始まって終わるかを示す、トーンインデックスの１つまたは複数の集合を含み得る。割振り情報は、通信帯域幅（たとえば、２０ＭＨｚ、４０ＭＨｚ、８０ＭＨｚ、１６０ＭＨｚ）を含み得る。割振り情報は、ＳＴＡ７０６、７０８、７１０、７１２にどのシンボルが割り振られているかなどの、データシンボル情報を含み得る。ある態様では、ＳＴＡは、選択肢１、２、または３に従った帯域幅全体に対するパイロットシーケンスで事前構成されることがあり、事前構成されたパイロットシーケンスに基づいてパイロット信号を生成することが可能であることがある。
【０１３８】
[00160]トリガフレーム７１４を受信すると、ＳＴＡ７０６は、たとえば、ＳＴＡ７０６が送信すべきデータを有すると決定し得る。ＳＴＡ７０６は、選択肢１、２、または３に基づいて、データ送信のためにＳＴＡ７０６に割り振られた１つまたは複数のリソースユニット上で送信されるべきパイロット信号の集合を生成し得る。ＳＴＡ７０６は、ＡＰ７０２がパイロット信号の集合を生成したのと同様の方式で、パイロット信号の集合を生成し得る。パイロット信号の集合を生成した後、ＳＴＡ７０６は、１つまたは複数の割り振られたリソースユニットにデータとパイロット信号とを含み得るフレーム７１６を送信し得る。
【０１３９】
[00161]ある態様では、パイロット信号に関する前述の議論は、ガンマ回転（Gamma rotation）を含まないことがある。
【０１４０】
[00162]図８は、リソースユニットを割り振るための、図１のワイヤレス通信システム１００内で利用され得るワイヤレスデバイス８０２の機能ブロック図である。ワイヤレスデバイス８０２は、本明細書で説明される様々な方法を実施するように構成され得るデバイスの例である。たとえば、ワイヤレスデバイス８０２は、ＡＰ１０４またはＡＰ２０２を備え得る。
【０１４１】
[00163]ワイヤレスデバイス８０２は、ワイヤレスデバイス８０２の動作を制御するプロセッサ８０４を含み得る。プロセッサ８０４は、中央処理装置（ＣＰＵ）と呼ばれることもある。読取り専用メモリ（ＲＯＭ）とランダムアクセスメモリ（ＲＡＭ）との両方を含み得るメモリ８０６は、命令とデータとをプロセッサ８０４に提供し得る。メモリ８０６の一部分は、不揮発性ランダムアクセスメモリ（ＮＶＲＡＭ）も含み得る。プロセッサ８０４は、通常、メモリ８０６内に記憶されたプログラム命令に基づいて論理演算と算術演算とを実行する。メモリ８０６の中の命令は、本明細書で説明される方法を実施するように（たとえば、プロセッサ８０４によって）実行可能であり得る。
【０１４２】
[00164]プロセッサ８０４は、１つまたは複数のプロセッサで実装される処理システムの構成要素を備えることがあるか、またはその構成要素であることがある。１つまたは複数のプロセッサは、汎用マイクロプロセッサ、マイクロコントローラ、デジタル信号プロセッサ（ＤＳＰ）、フィールドプログラマブルゲートアレイ（ＦＰＧＡ）、プログラマブル論理デバイス（ＰＬＤ）、特定用途向け集積回路（ＡＳＩＣ）、コントローラ、状態機械、ゲート論理、個別ハードウェア構成要素、専用ハードウェア有限状態機械、または情報の計算もしくは他の操作を実行することができる任意の他の適切なエンティティの任意の組合せにより実装され得る。ある態様では、技法、方法などは、ベースバンドプロセッサとも呼ばれるモデムプロセッサで実装され得る。
【０１４３】
[00165]処理システムは、送信機８１０および／または受信機８１４による送信のための情報を提供するように構成されるインターフェースを含み得る。インターフェースはまた、受信機８１２および／またはトランシーバ８１４から情報を受信するように構成され得る。ある態様では、インターフェースはプロセッサ８０４のインターフェースであり得る。
【０１４４】
[00166]処理システムは、ソフトウェアを記憶するための機械可読媒体も含み得る。ソフトウェアは、ソフトウェア、ファームウェア、ミドルウェア、マイクロコード、ハードウェア記述言語と呼ばれるか、またはそれ以外の名称で呼ばれるかにかかわらず、任意のタイプの命令を意味すると広く解釈されるべきである。命令は、（たとえば、ソースコードフォーマット、バイナリコードフォーマット、実行可能コードフォーマット、またはコードの任意の他の適切なフォーマットの）コードを含み得る。命令は、１つまたは複数のプロセッサによって実行されると、処理システムに本明細書で説明される様々な機能を実行させる。
【０１４５】
[00167]ワイヤレスデバイス８０２はまた、ハウジング８０８を含むことがあり、ワイヤレスデバイス８０２は、ワイヤレスデバイス８０２とリモートデバイスとの間でのデータの送信と受信とを可能にするための送信機８１０および／または受信機８１２を含み得る。送信機８１０および受信機８１２はトランシーバ８１４へと組み合わされ得る。アンテナ８１６は、ハウジング８０８に取り付けられ、トランシーバ８１４に電気的に結合され得る。ワイヤレスデバイス８０２はまた、複数の送信機、複数の受信機、複数のトランシーバ、および／または複数のアンテナを含み得る（図示されず）。
【０１４６】
[00168]ワイヤレスデバイス８０２は、トランシーバ８１４または受信機８１２によって受信された信号のレベルを検出および定量化するために使用され得る信号検出器８１８も含み得る。信号検出器８１８は、総エネルギー、シンボルごとのサブキャリア当たりのエネルギー、電力スペクトル密度、および他の信号などの信号を検出し得る。ワイヤレスデバイス８０２は、信号を処理する際に使用するためのＤＳＰ８２０も含み得る。ＤＳＰ８２０は、送信のためにパケットを生成するように構成され得る。いくつかの態様では、パケットはＰＰＤＵを備え得る。
【０１４７】
[00169]ワイヤレスデバイス８０２は、いくつかの態様ではユーザインターフェース８２２をさらに備え得る。ユーザインターフェース８２２は、キーパッド、マイクロフォン、スピーカー、および／またはディスプレイを備え得る。ユーザインターフェース８２２は、ワイヤレスデバイス８０２のユーザに情報を伝達するおよび／またはユーザからの入力を受け取る、任意の要素または構成要素を含み得る。
【０１４８】
[00170]ワイヤレスデバイス８０２がＡＰ（たとえば、ＡＰ１０４、ＡＰ２０２、ＡＰ７０２）として実装されるとき、ワイヤレスデバイス８０２は、パイロット割振り構成要素８２４も備え得る。パイロット割振り構成要素８２４は、通信のための複数のリソースユニットを決定するように構成される。パイロット割振り構成要素８２４は、複数のリソースユニットのうちの少なくとも１つのリソースユニットにおいてパイロット信号の集合を生成するように構成され得る。パイロット割振り構成要素８２４は、複数のリソースユニットのうちの少なくとも１つのリソースユニットにおいてパイロット信号の生成された集合を送信するように構成され得る。一構成では、パイロット割振り構成要素８２４は、通信帯域幅を決定することによって、および、決定された通信帯域幅に基づいてリソースユニットごとの使用可能なトーンの数を決定することによって、通信のための複数のリソースユニットを決定するように構成され得る。別の構成では、パイロット割振り構成要素８２４は、少なくとも１つのリソースユニットと関連付けられるパイロットトーン位置を決定することによって、決定されたパイロットトーン位置と関連付けられるパイロットシーケンスを決定することによって、および、決定されたパイロットシーケンスとパイロット極性シーケンスとに基づいて、決定されたパイロットトーン位置に対するパイロット値を決定することによって、少なくとも１つのリソースユニットにおいてパイロット信号の集合を生成するように構成され得る。ある態様では、パイロットシーケンスは、データシンボルインデックスに基づいて初期パイロットシーケンスをシフトすることによって決定される。別の態様では、複数のリソースユニットのうちの少なくとも１つのリソースユニットは、２６個の使用可能なトーンと２つのパイロットトーン位置とを有し、パイロットシーケンスは、初期パイロットシーケンス｛１，−１｝に基づいて決定される。別の態様では、複数のリソースユニットのうちの少なくとも１つのリソースユニットは、５２個の使用可能なトーンまたは１０６個の使用可能なトーンを有し、４つのパイロットトーン位置を有し、パイロットシーケンスは、初期パイロットシーケンス｛１，１，１，−１｝に基づいて決定される。別の態様では、複数のリソースユニットのうちの少なくとも１つのリソースユニットは、２４２個の使用可能なトーンを有し、８つのパイロットトーン位置を有し、パイロットシーケンスは、初期パイロットシーケンス｛１，１，１，−１，−１，１，１，１｝に基づいて決定される。別の態様では、複数のリソースユニットのうちの少なくとも１つのリソースユニットは、４８４個の使用可能なトーンまたは９９６個の使用可能なトーンを有し、１６個のパイロットトーン位置を有し、パイロットシーケンスは、初期パイロットシーケンス｛１，１，１，−１，−１，１，１，１，１，１，１，−１，−１，１，１，１｝に基づいて決定される。別の態様では、複数のリソースユニットのうちの少なくとも１つのリソースユニットは、１９９２個の使用可能なトーンと３２個のパイロットトーン位置とを有し、パイロットシーケンスは、初期パイロットシーケンス｛１，１，１，−��，−１，１，１，１，１，１，１，−１，−１，１，１，１，１，１，１，−１，−１，１，１，１，１，１，１，−１，−１，１，１，１｝に基づいて決定される。別の構成では、パイロット割振り構成要素８２４は、プリアンブルのＳＩＧフィールドの中のシンボルの数に基づいて、パイロット信号の集合を生成するように構成され得る。ある態様では、複数のリソースユニットの各リソースユニットは２６個の使用可能なトーンを有し、複数のリソースユニットと関連付けられる通信帯域幅は２０ＭＨｚであり、複数のリソースユニットは、複数のパイロットトーン位置の集合｛（−１１６，−１０２），（−９０，−７６），（−６２，−４８），（−３６，−２２），（−１０，１０），（２２，３６），（４８，６２），（７６，９０），（１０２，１１６）｝と関連付けられる。別の態様では、複数のリソースユニットの各リソースユニットは２６個の使用可能なトーンを有し、複数のリソースユニットと関連付けられる通信帯域幅は４０ＭＨｚであり、複数のリソースユニットは、複数のパイロットトーン位置の集合｛（−２３８，−２２４），（−２１２，−１９８），（−１８４，−１７０），（−１５８，−１４４），（−１３０，−１１６），（−１０４，−９０），（−７８，−６４），（−５０，−３６），（−２４，−１０），（１０，２４），（３６，５０），（６４，７８），（９０，１０４），（１１６，１３０），（１４４，１５８），（１７０，１８４），（１９８，２１２），（２２４，２３８）｝と関連付けられる。別の態様では、複数のリソースユニットの各リソースユニットは２６個の使用可能なトーンを有し、複数のリソースユニットと関連付けられる通信帯域幅は８０ＭＨｚであり、複数のリソースユニットは、複数のパイロットトーン位置の集合｛（−４９４，−４８０），（−４６８，−４５４），（−４４０，−４２６），（−４１４，−４００），（−３８６，−３７２），（−３６０，−３４６），（−３３４，−３２０），（−３０６，−２９２），（−２８０，−２６６），（−２５２，−２３８），（−２２６，−２１２），（−１９８，−１８４），（−１７２，−１５８），（−１４４，−１３０），（−１１８，−１０４），（−９２，−７８），（−６４，−５０），（−３８，−２４），（−１０，１０），（２４，３８），（５０，６４），（７８，９２），（１０４，１１８），（１３０，１４４），（１５８，１７２），（１８４，１９８），（２１２，２２６），（２３８，２５２），（２６６，２８０），（２９２，３０６），（３２０，３３４），（３４６，３６０），（３７２，３８６），（４００，４１４），（４２６，４４０），（４５４，４６８），（４８０，４９４）｝と関連付けられる。別の態様では、複数のリソースユニットの各リソースユニットは２６個の使用可能なトーンを有し、複数のリソースユニットと関連付けられる通信帯域幅は１６０ＭＨｚであり、複数のリソースユニットは第１の複数のパイロットトーン位置の集合および第２の複数のパイロットトーン位置の集合と関連付けられ、第１の複数のパイロットトーン位置の集合は−５１２という第１のオフセットによって調整された初期の複数のパイロ��トトーン位置の集合に基づき、第２の複数のパイロットトーンの集合は５１２という第２のオフセットによって調整された初期の複数のパイロットトーン位置の集合に基づき、初期の複数のパイロットトーン位置の集合は、｛（−４９４，−４８０），（−４６８，−４５４），（−４４０，−４２６），（−４１４，−４００），（−３８６，−３７２），（−３６０，−３４６），（−３３４，−３２０），（−３０６，−２９２），（−２８０，−２６６），（−２５２，−２３８），（−２２６，−２１２），（−１９８，−１８４），（−１７２，−１５８），（−１４４，−１３０），（−１１８，−１０４），（−９２，−７８），（−６４，−５０），（−３８，−２４），（−１０，１０），（２４，３８），（５０，６４），（７８，９２），（１０４，１１８），（１３０，１４４），（１５８，１７２），（１８４，１９８），（２１２，２２６），（２３８，２５２），（２６６，２８０），（２９２，３０６），（３２０，３３４），（３４６，３６０），（３７２，３８６），（４００，４１４），（４２６，４４０），（４５４，４６８），（４８０，４９４）｝である。別の態様では、複数のリソースユニットの各リソースユニットは５２個の使用可能なトーンを有し、複数のリソースユニットと関連付けられる通信帯域幅は２０ＭＨｚであり、複数のリソースユニットは、複数のパイロットトーン位置の集合｛（−１１６，−１０２，−９０，−７６），（−６２，−４８，−３６，−２２），（２２，３６，４８，６２），（７６，９０，１０２，１１６）｝と関連付けられる。別の態様では、複数のリソースユニットの各リソースユニットは５２個の使用可能なトーンを有し、複数のリソースユニットと関連付けられる通信帯域幅は４０ＭＨｚであり、複数のリソースユニットは、複数のパイロットトーン位置の集合｛（−２３８，−２２４，−２１２，−１９８），（−１８４，−１７０，−１５８，−１４４），（−１０４，−９０，−７８，−６４），（−５０，−３６，−２４，−１０），（１０，２４，３６，５０），（６４，７８，９０，１０４），（１４４，１５８，１７０，１８４），（１９８，２１２，２２４，２３８）｝と関連付けられる。別の態様では、複数のリソースユニットの各リソースユニットは５２個の使用可能なトーンを有し、複数のリソースユニットと関連付けられる通信帯域幅は８０ＭＨｚであり、複数のリソースユニットは、複数のパイロットトーン位置の集合｛（−４９４，−４８０，−４６８，−４５４），（−４４０，−４２６，−４１４，−４００），（−３６０，−３４６，−３３４，−３２０），（−３０６，−２９２，−２８０，−２６６），（−２５２，−２３８，−２２６，−２１２），（−１９８，−１８４，−１７２，−１５８），（−１１８，−１０４，−９２，−７８），（−６４，−５０，−３８，−２４），（２４，３８，５０，６４），（７８，９２，１０４，１１８），（１５８，１７２，１８４，１９８），（２１２，２２６，２３８，２５２），（２６６，２８０，２９２，３０６），（３２０，３３４，３４６，３６０），（４００，４１４，４２６，４４０），（４５４，４６８，４８０，４９４）��と関連付けられる。別の態様では、複数のリソースユニットの各リソースユニットは５２個の使用可能なトーンを有し、複数のリソースユニットと関連付けられる通信帯域幅は１６０ＭＨｚであり、複数のリソースユニットは第１の複数のパイロットトーン位置の集合および第２の複数のパイロットトーン位置の集合と関連付けられ、第１の複数のパイロットトーン位置の集合は−５１２という第１のオフセットによって調整された初期の複数のパイロットトーン位置の集合に基づき、第２の複数のパイロットトーンの集合は５１２という第２のオフセットによって調整された初期の複数のパイロットトーン位置の集合に基づき、初期の複数のパイロットトーン位置の集合は、｛（−４９４，−４８０，−４６８，−４５４），（−４４０，−４２６，−４１４，−４００），（−３６０，−３４６，−３３４，−３２０），（−３０６，−２９２，−２８０，−２６６），（−２５２，−２３８，−２２６，−２１２），（−１９８，−１８４，−１７２，−１５８），（−１１８，−１０４，−９２，−７８），（−６４，−５０，−３８，−２４），（２４，３８，５０，６４），（７８，９２，１０４，１１８），（１５８，１７２，１８４，１９８），（２１２，２２６，２３８，２５２），（２６６，２８０，２９２，３０６），（３２０，３３４，３４６，３６０），（４００，４１４，４２６，４４０），（４５４，４６８，４８０，４９４）｝である。別の態様では、複数のリソースユニットの各リソースユニットは１０６個の使用可能なトーンを有し、複数のリソースユニットと関連付けられる通信帯域幅は２０ＭＨｚであり、複数のリソースユニットは、複数のパイロットトーン位置の集合｛（−１１６，−９０，−４８，−２２），（２２，４８，９０，１１６）｝と関連付けられる。
別の態様では、複数のリソースユニットの各リソースユニットは１０６個の使用可能なトーンを有し、複数のリソースユニットと関連付けられる通信帯域幅は４０ＭＨｚであり、複数のリソースユニットは、複数のパイロットトーン位置の集合｛（−２３８，−２１２，−１７０，−１４４），（−１０４，−７８，−３６，−１０），（１０，３６，７８，１０４），（１４４，１７０，２１２，２３８）｝と関連付けられる。別の態様では、複数のリソースユニットの各リソースユニットは１０６個の使用可能なトーンを有し、複数のリソースユニットと関連付けられる通信帯域幅は８０ＭＨｚであり、複数のリソースユニットは、複数のパイロットトーン位置の集合｛（−４９４，−４６８，−４２６，−４００），（−３６０，−３３４，−２９２，−２６６），（−２５２，−２２６，−１８４，−１５８），（−１１８，−９２，−５０，−２４），（２４，５０，９２，１１８），（１５８，１８４，２２６，２５２），（２６６，２９２，３３４，３６０），（４００，４２６，４６８，４９４）｝と関連付けられる。別の態様では、複数のリソースユニットの各リソースユニットは１０６個の使用可能なトーンを有し、複数のリソースユニットと関連付けられる通信帯域幅は１６０ＭＨｚであり、複数のリソースユニットは第１の複数のパイロットトーン位置の集合および第２の複数のパイロットトーン位置の集合と関連付けられ、第１の複数のパイロットトーン位置の集合は−５１２という第１のオフセットによって調整された初期の複数のパイロットトーン位置の集合に基づき、第２の複数のパイロットトーンの集合は５１２という第２のオフセットによって調整された初期の複数のパイロットトーン位置の集合に基づき、初期の複数のパイロットトーン位置の集合は、｛（−４９４，−４６８，−４２６，−４００），（−３６０，−３３４，−２９２，−２６６），（−２５２，−２２６，−１８４，−１５８），（−１１８，−９２，−５０，−２４），（２４，５０，９２，１１８），（１５８，１８４，２２６，２５２），（２６６，２９２，３３４，３６０），（４００，４２６，４６８，４９４）｝である。別の態様では、複数のリソースユニットの各リソースユニットは２４２個の使用可能なトーンを有し、複数のリソースユニットと関連付けられる通信帯域幅は２０ＭＨｚであり、複数のリソースユニットは、パイロットトーン位置の集合｛（−１１６，−９０，−４８，−２２，２２，４８，９０，１１６）｝と関連付けられるリソースユニットを含む。別の態様では、複数のリソースユニットの各リソースユニットは２４２個の使用可能なトーンを有し、複数のリソースユニットと関連付けられる通信帯域幅は４０ＭＨｚであり、複数のリソースユニットは、複数のパイロットトーン位置の集合｛（−２３８，−２１２，−１７０，−１４４，−１０４，−７８，−３６，−１０），（１０，３６，７８，１０４，１４４，１７０，２１２，２３８）｝と関連付けられる。別の態様では、複数のリソースユニットの各リソースユニットは２４２個の使用可能なトーンを有し、複数のリソースユニットと関連付けられる通信帯域幅は８０ＭＨｚであり、複数のリソースユニットは、複数のパイロットトーン位置の集合｛（−４９４，−４６８，−４２６，−４００，−３６０，−３３４，−２９２，−２６６），（−２５２，−２２６，−１８４，−１５８，−１１８，−９２，−５０，−２４），（２４，５０，９２，１１８，１５８，１８４，２２６，２５２），（２６６，２９２，３３４，３６０，４００，４２６，４６８，４９４）｝と関連付けられる。別の態様では、複数のリソースユニットの各リソースユニットは２４２個の使用可能なトーンを有し、複数のリソースユニットと関連付けられる通信帯域幅は１６０ＭＨｚであり、複数のリソースユニットは第１の複数のパイロットトーン位置の集合および第２の複数のパイロットトーン位置の集合と関連付けられ、第１の複数のパイロットトーン位置の集合は−５１２という第１のオフセットによって調整された初期の複数のパイロットトーン位置の集合に基づき、第２の複数のパイロットトーンの集合は５１２という第２のオフセットによって調整された初期の複数のパイロットトーン位置の集合に基づき、初期の複数のパイロットトーン位置の集合は、｛（−４９４，−４６８，−４２６，−４００，−３６０，−３３４，−２９２，−２６６），（−２５２，−２２６，−１８４，−１５８，−１１８，−９２，−５０，−２４），（２４，５０，９２，１１８，１５８，１８４，２２６，２５２），（２６６，２９２，３３４，３６０，４００，４２６，４６８，４９４）｝である。別の態様では、複数のリソースユニットの各リソースユニットは４８４個の使用可能なトーンを有し、複数のリソースユニットと関連付けられる通信帯域幅は４０ＭＨｚであり、複数のリソースユニットは、パイロットトーン位置の集合｛（−２３８，−２１２，−１７０，−１４４，−１０４，−７８，−３６，−１０，１０，３６，７８，１０４，１４４，１７０，２１２，２３８）｝と関連付けられるリソースユニットを含む。別の態様では、複数のリソースユニットの各リソースユニットは４８４個の使用可能なトーンを有し、複数のリソースユニットと関連付けられる通信帯域幅は８０ＭＨｚであり、複数のリソースユニットは、複数のパイロットトーン位置の集合｛（−４９４，−４６８，−４２６，−４００，−３６０，−３３４，−２９２，−２６６，−２５２，−２２６，−１８４，−１５８，−１１８，−９２，−５０，−２４），（２４，５０，９２，１１８，１５８，１８４，２２６，２５２，２６６，２９２，３３４，３６０，４００，４２６，４６８，４９４）｝と関連付けられる。別の態様では、複数のリソースユニットの各リソースユニットは４８４個の使用可能なトーンを有し、複数のリソースユニットと関連付けられる通信帯域幅は１６０ＭＨｚであり、複数のリソースユニットは第１の複数のパイロットトーン位置の集合および第２の複数のパイロットトーン位置の集合と関連付けられ、第１の複数のパイロットトーン位置の集合は−５１２という第１のオフセットによって調整された初期の複数のパイロットトーン位置の集合に基づき、第２の複数のパイロットトーンの集合は５１２という第２のオフセットによって調整された初期の複数のパイロットトーン位置の集合に基づき、初期の複数のパイロットトーン位置の集合は、｛（−４９４，−４６８，−４２６，−４００，−３６０，−３３４，−２９２，−２６６，−２５２，−２２６，−１８４，−１５８，−１１８，−９２，−５０，−２４），（２４，５０，９２，１１８，１５８，１８４，２２６，２５２，２６６，２９２，３３４，３６０，４００，４２６，４６８，４９４）｝である。別の態様では、複数のリソースユニットの各リソースユニットは９９６個の使用可能なトーンを有し、複数のリソースユニットと関連付けられる通信帯域幅は８０ＭＨｚであり、複数のリソースユニットは、パイロットトーン位置の集合｛（−４６８，−４００，−３３４，−２６６，−２２６，−１５８，−９２，−２４，２４，９２，１５８，２２６，２６６，３３４，４００，４６８）｝と関連付けられるリソースユニットを含む。別の態様では、複数のリソースユニットの各リソースユニットは９９６個の使用可能なトーンを有し、複数のリソースユニットと関連付けられる通信帯域幅は１６０ＭＨｚであり、複数のリソースユニットは第１の複数のパイロットトーン位置の集合および第２の複数のパイロットトーン位置の集合と関連付けられ、第１の複数のパイロットトーン位置の集合は−５１２という第１のオフセットによって調整された初期の複数のパイロットトーン位置の集合に基づき、第２の複数のパイロットトーンの集合は５１２という第２のオフセットによって調整された初期の複数のパイロットトーン位置の集合に基づき、初期の複数のパイロットトーン位置の集合は、｛（−４６８，−４００，−３３４，−２６６，−２２６，−１５８，−９２，−２４，２４，９２，１５８，２２６，２６６，３３４，４００，４６８）｝である。別の態様では、複数のリソースユニットの各リソースユニットは１９９２個の使用可能なトーンを有し、複数のリソースユニットと関連付けられる通信帯域幅は１６０ＭＨｚであり、複数のリソースユニットは、パイロットトーン位置の集合｛（−９８０，−９１２，−８４６，−７７８，−７３８，−６７０，−６０４，−５３６，−４８８，−４２０，−３５４，−２８６，−２４６，−１７８，−１１２，−４４，４４，１１２，１７８，２４６，２８６，３５４，４２０，４８８，５３６，６０４，６７０，７３８，７７８，８４６，９１２，９８０）｝と関連付けられるリソースユニットを含む。別の構成では、パイロット割振り構成要素８２４は、複数のリソースユニットのうちの１つまたは複数のリソースユニットを少なくとも１つのワイヤレスデバイスに割り振るように構成され得る。この構成では、パイロット割振り構成要素８２４は、割り振られた１つまたは複数のリソースユニットと関連付けられる割振り情報を少なくとも１つのワイヤレスデバイスに送信するように構成され得る。ある態様では、割振り情報は、トーンインデックスの集合、識別子、リソースユニットごとの使用可能なトーンの数を示すリソースユニットサイズ、通信帯域幅、またはデータシンボル情報のうちの少なくとも１つを含み得る。別の態様では、複数のリソースユニットの各リソースユニットは、２６個の使用可能なトーン、５２個の使用可能なトーン、１０６個の使用可能なトーン、２４２個の使用可能なトーン、４８４個の使用可能なトーン、９９６個の使用可能なトーン、または１９９２個の使用可能なトーンを有する。別の構成では、パイロット割振り構成要素８２４は、通信帯域幅を決定することによって、決定された通信帯域幅と関連付けられる基本パイロットシーケンスを決定することによって、少なくとも１つのリソースユニットにおいて使用可能なトーンの数を決定することによって、ならびに、通信帯域幅、決定された基本パイロットシーケンス、および使用可能なトーンの決定された数に基づいて初期パイロットシーケンスを決定することによって、パイロットシーケンスを決定するように構成され得る。別の構成では、少なくとも１つのリソースユニットにおけるパイロット信号の生成された集合は、通信帯域幅、決定されたパイロットトーン位置、および決定されたパイロット値に基づく。別の態様では、通信帯域幅は２０ＭＨｚであり、決定された基本パイロットシーケンスは、第１の基本パイロットシーケンス｛１，１，１，−１，１，１，−１，−１，１，１，−１，１，−１，１，１，１，１，−１｝または第２の基本パイロットシーケンス｛１，−１，−１，−１，−１，１，−１，１，−１，−１，１，１，−１，−１，１，−１，−１，−１｝である。
別の態様では、通信帯域幅は４０ＭＨｚであり、決定された基本パイロットシーケンスは、第１の基本パイロットシーケンス｛１，−１，１，−１，−１，１，−１，１，−１，１，−１，−１，−１，１，−１，１，１，１，１，−１，−１，−１，−１，−１，−１，１，−１，−１，−１，−１，１，１，−１，−１，１，１｝または第２の基本パイロットシーケンス｛１，１，−１，−１，１，１，−１，−１，−１，−１，１，−１，−１，−１，−１，−１，−１，１，１，１，１，−１，１，−１，−１，−１，１，−１，１，−１，１，−１，−１，１，−１，１｝である。別の態様では、通信帯域幅は８０ＭＨｚであり、決定された基本パイロットシーケンスは、第１の基本パイロットシーケンス｛−１，１，１，１，−１，−１，１，１，−１，−１，１，−１，１，−１，１，１，−１，１，−１，１，１，１，１，１，−１，−１，１，１，１，１，１，−１，１，−１，−１，−１，１，−１，１，−１，１，−１，−１，−１，−１，−１，１，−１，−１，１，１，−１，１，１，−１，−１，１，−１，１，１，−１，１，−１，１，−１，−１，−１，−１，１，１，−１，−１，−１，１｝または第２の基本パイロットシーケンス｛−１，１，１，１，１，−１，−１，１，１，１，−１，−１，−１，１，１，−１，１，−１，１，１，−１，−１，１，−１，−１，１，１，−１，１，１，１，１，１，−１，１，−１，１，−１，１，１，１，１，−１，−１，−１，−１，−１，−１，１，−１，−１，−１，−１，−１，１，１，−１，１，−１，−１，−１，−１，１，−１，１，１，−１，−１，１，−１，１，−１，−１，１｝である。別の態様では、通信帯域幅は１６０ＭＨｚであり、決定された基本パイロットシーケンスは、第１の基本パイロットシーケンス｛−１，１，１，１，−１，−１，１，１，−１，−１，１，−１，１，−１，１，１，−１，１，−１，１，１，１，１，１，−１，−１，１，１，１，１，１，−１，１，−１，−１，−１，１，−１，１，−１，１，−１，−１，−１，−１，−１，１，−１，−１，１，１，−１，１，１，−１，−１，１，−１，１，１，−１，１，−１，１，−１，−１，−１，−１，１，１，−１，−１，−１，１，−１，１，１，１，−１，−１，１，１，−１，−１，１，−１，１，−１，１，１，−１，１，−１，１，１，１，１，１，−１，−１，１，１，１，１，１，−１，１，−１，−１，−１，１，−１，１，−１，１，−１，−１，−１，−１，−１，１，−１，−１，１，１，−１，１，１，−１，−１，１，−１，１，１，−１，１，−１，１，−１，−１，−１，−１，１，１，−１，−１，−１，１｝または第２の基本パイロットシーケンス｛−１，１，１，１，１，−１，−１，１，１，１，−１，−１，−１，１，１，−１，１，−１，１，１，−１，−１，１，−１，−１，１，１，−１，１，１，１，１，１，−１，１，−１，１，−１，１，１，１，１，−１，−１，−１，−１，−１，−１，１，−１，−１，−１，−１，−１，１，１，−１，１，−１，−１，−１，−１，１，−１，１，１，−１，−１，１，−１，１，−１，−１，１，−１，１，１，１，１，−１，−１，１，１，１，−１，−１，−１，１，１，−１，１，−１，１，１，−１，−１，１，−１，−１，１，１，−１，１，１，１，１，１，−１，１，−１，１，−１，１，１，１，１，−１，−１，−１，−１，−１，−１，１，−１，−１，−１，−１，−１，１，１，−１，１，−１，−１，−１，−１，１，−１，１，１，−１，−１，１，−１，１，−１，−１，１｝である。別の態様では、初期パイロットシーケンスは、少なくとも１つのリソースユニットと関連付けられる名目トーンインデックスの集合に基づいて決定される。別の態様では、パイロットシーケンスは、データシンボルインデックスに基づいて、決定された初期パイロットシーケンスをシフトすることによって決定される。
【０１４９】
[00171]ワイヤレスデバイス８０２の様々な構成要素はバスシステム８２６によって一緒に結合され得る。バスシステム８２６は、たとえば、データバスを含むことがあり、ならびに、データバスに加えて、電力バスと、制御信号バスと、ステータス信号バスとを含むことがある。ワイヤレスデバイス８０２の構成要素は、何らかの他の機構を使用して、一緒に結合され、または、互いに対する入力を受け入れ、もしくは与え得る。
【０１５０】
[00172]図８にはいくつかの別個の構成要素が示されているが、これらの構成要素のうちの１つまたは複数は、組み合わされるか、または共通に実装され得る。たとえば、プロセッサ８０４は、プロセッサ８０４に関して上記で説明された機能を実装するためだけでなく、信号検出器８１８、ＤＳＰ８２０、ユーザインターフェース８２２、および／またはパイロット割振り構成要素８２４に関して上記で説明された機能を実装するためにも使用され得る。さらに、図８に示されている構成要素の各々は、複数の別個の要素を使用して実装され得る。
【０１５１】
[00173]図９は、シンボルの中でリソースユニットを割り振り、データ送信のためのパイロット信号を生成する例示的な方法９００のフローチャートである。方法９００は、装置（たとえば、ＡＰ１０４、ＡＰ２０２、ＡＰ７０２、または、たとえばワイヤレスデバイス８０２）を使用して実行され得る。方法９００は図８のワイヤレスデバイス８０２の要素に関して以下で説明されるが、本明細書で説明されるステップのうちの１つまたは複数を実装するために他の構成要素が使用され得る。
【０１５２】
[00174]ブロック９０５において、装置は、通信のための複数のリソースユニットを決定し得る。一構成では、装置は、通信帯域幅を決定することによって、および、決定された通信帯域幅に基づいてリソースユニットごとの使用可能なトーンの数を決定することによって、複数のリソースユニットを決定し得る。一例では、図７を参照すると、ＡＰ７０２は、ワイヤレス通信のための１つまたは複数のシンボル内のリソースユニットを決定し得る。ＡＰ７０２は、通信帯域幅が２０ＭＨｚであると決定し得る。ＡＰ７０２は、リソースユニットごとに２６個の使用可能なトーンを有すると決定し得る。この例では、ＡＰ７０２は、シンボルの中のリソースユニットの総数は９であり得ると決定し得る。別の例では、ＡＰ７０２は、通信帯域幅が２０ＭＨｚであることと、リソースユニットごとの使用可能なトーンの数が２６個または５２個の使用可能なトーンであり得ることとを決定し得る。この例では、５個の２６トーンＲＵおよび２個の５２トーンＲＵがあり得る。ある態様では、前に論じられたように、ＡＰ７０２は、ＩＥＥＥ８０２．１１ａｘ規格などの将来のＩＥＥＥ規格に準拠し得る。ＡＰ７０２は、ＩＥＥＥ８０２．１１ａｘ規格に基づく通信のための複数のリソースユニットを決定し得る。
【０１５３】
[00175]ブロック９１０において、装置は、複数のリソースユニットのうちの少なくとも１つのリソースユニットにおいてパイロット信号の集合を生成し得る。少なくとも１つのリソースユニットが、データ送信のために装置に割り振られ得る。一構成では、装置は、少なくとも１つのリソースユニットと関連付けられるパイロットトーン位置を決定することと、決定されたパイロットトーン位置と関連付けられるパイロットシーケンスを決定することと、決定されたパイロットシーケンスおよびパイロット極性シーケンスに基づいて、決定されたパイロットトーン位置に対するパイロット値を決定することとによって、少なくとも１つのリソースユニットにおいてパイロット信号の集合を生成し得る。たとえば、図７を参照すると、ＡＰ７０２は、９個の２６トーンＲＵの間でのデータ送信のために２６トーンＲＵを割り当てられ得る。ＡＰ７０２は、事前構成された情報に基づいて、ＲＵと関連付けられるパイロットトーン位置が−１１６、−１０２であると決定し得る。ＡＰ７０２は、決定されたパイロットトーン位置と関連付けられるパイロットシーケンスを決定し得る。ある態様では、ＡＰ７０２は、ＩＥＥＥ８０２．１１ａｘ規格などの将来のＩＥＥＥ規格に基づいてパイロット信号の集合を生成し得る。
【０１５４】
[00176]選択肢１では、式１と表２の基本パイロットシーケンスとを使用し、ｎ＝０を仮定して、ＡＰ７０２は、パイロットシーケンスが｛１，−１｝であると決定し得る。ｎ＝０であるので、パイロットシーケンス｛１，−１｝は初期パイロットシーケンスにも対応する。次に、ＡＰ７０２は、決定されたパイロットシーケンス｛１，−１｝およびパイロット極性シーケンスに基づいて、決定されたパイロットトーン位置（−１１６，−１０２）に対するパイロット値を決定し得る。ｚ＝４を仮定すると、ｐn+z＝−１である。パイロット値は、式
【数３８】
0006648254.tif 000049
に基づいて決定されることがあり、これは、｛−１，１｝に等しいパイロット信号の生成された集合を生む。
【０１５５】
[00177]選択肢２において、第１の２６トーンＲＵと関連付けられるパイロットトーン位置を決定すると、ＡＰ７０２は、２０ＭＨｚの帯域幅と関連付けられる基本パイロットシーケンスＰ＝｛ｐi，ｉ＝１，．．．，１８｝＝｛１，１，１，−１，１，１，−１，−１，１，１，−１，１，−１，１，１，１，１，−１｝を決定し得る。ＡＰ７０２は、２６個の使用可能なトーンがリソースユニットに割り当てられると決定し得る。ＡＰ７０２は、通信帯域幅、決定された基本パイロットシーケンス、および決定された使用可能なトーンの数に基づいて、初期パイロットシーケンスＰ26,1＝｛ｐi，ｉ＝１，２｝＝｛１，１｝を決定し得る。ｚ＝４を仮定すると、ｐn+z＝−１である。パイロット値は、式
【数３９】
0006648254.tif 000050
に基づいて決定され得る。ＡＰ７０２は、パイロットシーケンス｛１，１｝をパイロット極性シーケンスと関連付けられる値と乗算することができ、これはパイロット信号の生成された集合｛−１，−１｝を生む。
【０１５６】
[00178]選択肢３において、第１の２６トーンＲＵと関連付けられるパイロットトーン位置を決定すると、ＡＰ７０２は、２０ＭＨｚの帯域幅と関連付けられる基本パイロットシーケンスＰ＝｛ｐi，ｉ＝１，．．．，１８｝＝｛１，−１，１，１，−１，−１，−１，１，１，１，１，−１，−１，−１，−１，−１，１，−１｝を決定し得る。ＡＰ７０２は、２６個の使用可能なトーンがリソースユニットに割り当てられると決定し得る。ＡＰ７０２は、通信帯域幅、決定された基本パイロットシーケンス、および決定された使用可能なトーンの数に基づいて、初期パイロットシーケンスＰ26,1＝｛ｐi，ｉ＝１，２｝＝｛１，−１｝を決定し得る。ｚ＝４を仮定すると、ｐn+z＝−１である。パイロット値は、式
【数４０】
0006648254.tif 000051
に基づいて決定され得る。ＡＰ７０２は、パイロットシーケンス｛１，−１｝をパイロット極性シーケンスと関連付けられる値と乗算することができ、これはパイロット信号の生成された集合｛−１，１｝を生む。
【０１５７】
[00179]ブロック９１５において、装置は、複数のリソースユニットのうちの少なくとも１つのリソースユニットにおいてパイロット信号の生成された集合を送信し得る。たとえば、図７を参照すると、選択肢１において、ＡＰ７０２は、第１の２６トーンＲＵにおいて、パイロットトーン位置（−１１６，−１０２）にあるパイロット信号の生成された集合｛−１，１｝を送信し得る。同様に、選択肢２において、ＡＰ７０２は、第１の２６トーンＲＵにおいて、パイロットトーン位置（−１１６，−１０２）にあるパイロット信号の生成された集合｛−１，−１｝を送信し得る。選択肢３において、ＡＰ７０２は、パイロットトーン位置（−１１６，−１０２）にあるパイロット信号の生成された集合｛−１，１｝を送信し得る。
【０１５８】
[00180]ブロック９２０において、装置は、複数のリソースユニットのうちの１つまたは複数のリソースユニットを少なくとも１つのワイヤレスデバイスに割り振り得る。たとえば、図７を参照すると、ＡＰ７０２は、２０ＭＨｚシンボルの中の９個の２６トーンＲＵのうちの２個のＲＵをＳＴＡ７０６に、３個の２６トーンＲＵをＳＴＡ７０８に割り振り得る。
【０１５９】
[00181]ブロック９２５において、装置は、割り振られた１つまたは複数のリソースユニットと関連付けられる割振り情報を少なくとも１つのワイヤレスデバイスに送信し得る。たとえば、図７を参照すると、ＡＰ７０２は、ＳＴＡ７０６に割り振られる２個の２６トーンＲＵと関連付けられ、ＳＴＡ７０８に割り振られる３個の２６トーンＲＵと関連付けられる割振り情報を、ＳＴＡ７０６、７０８に送信し得る。割振り情報は、割り振られる２６トーンＲＵの各々と関連付けられるトーンインデックスの集合、識別子、ＲＵが２６個の使用可能なトーンを有することを示すＲＵサイズ、ＲＵが２０ＭＨｚと関連付けられることの指示、および／または割り当てられるＲＵと関連付けられるデータシンボル情報を含み得る。
【０１６０】
[00182]図１０は、リソースユニットを割り振るための例示的なワイヤレス通信デバイス１０００の機能ブロック図である。ワイヤレス通信デバイス１０００は、受信機１００５と、処理システム１０１０と、送信機１０１５とを含み得る。処理システム１０１０は、パイロット割振り構成要素１０２４を含み得る。処理システム１０１０および／またはパイロット割振り構成要素１０２４は、通信のための複数のリソースユニットを決定するように構成される。処理システム１０１０および／またはパイロット割振り構成要素１０２４は、複数のリソースユニットのうちの少なくとも１つのリソースユニットにおいてパイロット信号の集合を生成するように構成され得る。処理システム１０１０、送信機１０１５、および／またはパイロット割振り構成要素１０２４は、複数のリソースユニットのうちの少なくとも１つのリソースユニットにおいてパイロット信号の生成された集合を送信するように構成され得る。一構成では、処理システム１０１０および／またはパイロット割振り構成要素１０２４は、通信帯域幅を決定することによって、および、決定された通信帯域幅に基づいてリソースユニットごとの使用可能なトーンの数を決定することによって、通信のための複数のリソースユニットを決定するように構成され得る。別の構成では、処理システム１０１０および／またはパイロット割振り構成要素１０２４は、少なくとも１つのリソースユニットと関連付けられるパイロットトーン位置を決定することによって、決定されたパイロットトーン位置と関連付けられるパイロットシーケンスを決定することによって、および、決定されたパイロットシーケンスとパイロット極性シーケンスとに基づいて、決定されたパイロットトーン位置に対するパイロット値を決定することによって、少なくとも１つのリソースユニットにおいてパイロット信号の集合を生成するように構成され得る。ある態様では、パイロットシーケンスは、データシンボルインデックスに基づいて初期パイロットシーケンスをシフトすることによって決定される。別の態様では、複数のリソースユニットのうちの少なくとも１つのリソースユニットは、２６個の使用可能なトーンと２つのパイロットトーン位置とを有し、パイロットシーケンスは、初期パイロットシーケンス｛１，−１｝に基づいて決定される。別の態様では、複数のリソースユニットのうちの少なくとも１つのリソースユニットは、５２個の使用可能なトーンまたは１０６個の使用可能なトーンを有し、４つのパイロットトーン位置を有し、パイロットシーケンスは、初期パイロットシーケンス｛１，１，１，−１｝に基づいて決定される。別の態様では、複数のリソースユニットのうちの少なくとも１つのリソースユニットは、２４２個の使用可能なトーンを有し、８つのパイロットトーン位置を有し、パイロットシーケンスは、初期パイロットシーケンス｛１，１，１，−１，−１，１，１，１｝に基づいて決定される。別の態様では、複数のリソースユニットのうちの少なくとも１つのリソースユニットは、４８４個の使用可能なトーンまたは９９６個の使用可能なトーンを有し、１６個のパイロットトーン位置を有し、パイロットシーケンスは、初期パイロットシーケンス｛１��１，１，−１，−１，１，１，１，１，１，１，−１，−１，１，１，１｝に基づいて決定される。別の態様では、複数のリソースユニットのうちの少なくとも１つのリソースユニットは、１９９２個の使用可能なトーンと３２個のパイロットトーン位置とを有し、パイロットシーケンスは、初期パイロットシーケンス｛１，１，１，−１，−１，１，１，１，１，１，１，−１，−１，１，１，１，１，１，１，−１，−１，１，１，１，１，１，１，−１，−１，１，１，１｝に基づいて決定される。別の構成では、処理システム１０１０および／またはパイロット割振り構成要素１０２４は、プリアンブルのＳＩＧフィールドの中のシンボルの数に基づいて、パイロット信号の集合を生成するように構成され得る。ある態様では、複数のリソースユニットの各リソースユニットは２６個の使用可能なトーンを有し、複数のリソースユニットと関連付けられる通信帯域幅は２０ＭＨｚであり、複数のリソースユニットは、複数のパイロットトーン位置の集合｛（−１１６，−１０２），（−９０，−７６），（−６２，−４８），（−３６，−２２），（−１０，１０），（２２，３６），（４８，６２），（７６，９０），（１０２，１１６）｝と関連付けられる。別の態様では、複数のリソースユニットの各リソースユニットは２６個の使用可能なトーンを有し、複数のリソースユニットと関連付けられる通信帯域幅は４０ＭＨｚであり、複数のリソースユニットは、複数のパイロットトーン位置の集合｛（−２３８，−２２４），（−２１２，−１９８），（−１８４，−１７０），（−１５８，−１４４），（−１３０，−１１６），（−１０４，−９０），（−７８，−６４），（−５０，−３６），（−２４，−１０），（１０，２４），（３６，５０），（６４，７８），（９０，１０４），（１１６，１３０），（１４４，１５８），（１７０，１８４），（１９８，２１２），（２２４，２３８）｝と関連付けられる。別の態様では、複数のリソースユニットの各リソースユニットは２６個の使用可能なトーンを有し、複数のリソースユニットと関連付けられる通信帯域幅は８０ＭＨｚであり、複数のリソースユニットは、複数のパイロットトーン位置の集合｛（−４９４，−４８０），（−４６８，−４５４），（−４４０，−４２６），（−４１４，−４００），（−３８６，−３７２），（−３６０，−３４６），（−３３４，−３２０），（−３０６，−２９２），（−２８０，−２６６），（−２５２，−２３８），（−２２６，−２１２），（−１９８，−１８４），（−１７２，−１５８），（−１４４，−１３０），（−１１８，−１０４），（−９２，−７８），（−６４，−５０），（−３８，−２４），（−１０，１０），（２４，３８），（５０，６４），（７８，９２），（１０４，１１８），（１３０，１４４），（１５８，１７２），（１８４，１９８），（２１２，２２６），（２３８，２５２），（２６６，２８０），（２９２，３０６），（３２０，３３４），（３４６，３６０），（３７２，３８６），（４００，４１４），（４２６，４４０），（４５４，４６８），（４８０，４９４）｝と関連付けられる。別の態様では、複数のリソースユニットの各リソース��ニットは２６個の使用可能なトーンを有し、複数のリソースユニットと関連付けられる通信帯域幅は１６０ＭＨｚであり、複数のリソースユニットは第１の複数のパイロットトーン位置の集合および第２の複数のパイロットトーン位置の集合と関連付けられ、第１の複数のパイロットトーン位置の集合は−５１２という第１のオフセットによって調整された初期の複数のパイロットトーン位置の集合に基づき、第２の複数のパイロットトーンの集合は５１２という第２のオフセットによって調整された初期の複数のパイロットトーン位置の集合に基づき、初期の複数のパイロットトーン位置の集合は、｛（−４９４，−４８０），（−４６８，−４５４），（−４４０，−４２６），（−４１４，−４００），（−３８６，−３７２），（−３６０，−３４６），（−３３４，−３２０），（−３０６，−２９２），（−２８０，−２６６），（−２５２，−２３８），（−２２６，−２１２），（−１９８，−１８４），（−１７２，−１５８），（−１４４，−１３０），（−１１８，−１０４），（−９２，−７８），（−６４，−５０），（−３８，−２４），（−１０，１０），（２４，３８），（５０，６４），（７８，９２），（１０４，１１８），（１３０，１４４），（１５８，１７２），（１８４，１９８），（２１２，２２６），（２３８，２５２），（２６６，２８０），（２９２，３０６），（３２０，３３４），（３４６，３６０），（３７２，３８６），（４００，４１４），（４２６，４４０），（４５４，４６８），（４８０，４９４）｝である。別の態様では、複数のリソースユニットの各リソースユニットは５２個の使用可能なトーンを有し、複数のリソースユニットと関連付けられる通信帯域幅は２０ＭＨｚであり、複数のリソースユニットは、複数のパイロットトーン位置の集合｛（−１１６，−１０２，−９０，−７６），（−６２，−４８，−３６，−２２），（２２，３６，４８，６２），（７６，９０，１０２，１１６）｝と関連付けられる。別の態様では、複数のリソースユニットの各リソースユニットは５２個の使用可能なトーンを有し、複数のリソースユニットと関連付けられる通信帯域幅は４０ＭＨｚであり、複数のリソースユニットは、複数のパイロットトーン位置の集合｛（−２３８，−２２４，−２１２，−１９８），（−１８４，−１７０，−１５８，−１４４），（−１０４，−９０，−７８，−６４），（−５０，−３６，−２４，−１０），（１０，２４，３６，５０），（６４，７８，９０，１０４），（１４４，１５８，１７０，１８４），（１９８，２１２，２２４，２３８）｝と関連付けられる。別の態様では、複数のリソースユニットの各リソースユニットは５２個の使用可能なトーンを有し、複数のリソースユニットと関連付けられる通信帯域幅は８０ＭＨｚであり、複数のリソースユニットは、複数のパイロットトーン位置の集合｛（−４９４，−４８０，−４６８，−４５４），（−４４０，−４２６，−４１４，−４００），（−３６０，−３４６，−３３４，−３２０），（−３０６，−２９２，−２８０，−２６６），（−２５２，−２３８，−２２６，−２１２），（−１９８，−１８４，−１７２，−１５８），（−１１８��−１０４，−９２，−７８），（−６４，−５０，−３８，−２４），（２４，３８，５０，６４），（７８，９２，１０４，１１８），（１５８，１７２，１８４，１９８），（２１２，２２６，２３８，２５２），（２６６，２８０，２９２，３０６），（３２０，３３４，３４６，３６０），（４００，４１４，４２６，４４０），（４５４，４６８，４８０，４９４）｝と関連付けられる。別の態様では、複数のリソースユニットの各リソースユニットは５２個の使用可能なトーンを有し、複数のリソースユニットと関連付けられる通信帯域幅は１６０ＭＨｚであり、複数のリソースユニットは第１の複数のパイロットトーン位置の集合および第２の複数のパイロットトーン位置の集合と関連付けられ、第１の複数のパイロットトーン位置の集合は−５１２という第１のオフセットによって調整された初期の複数のパイロットトーン位置の集合に基づき、第２の複数のパイロットトーンの集合は５１２という第２のオフセットによって調整された初期の複数のパイロットトーン位置の集合に基づき、初期の複数のパイロットトーン位置の集合は、｛（−４９４，−４８０，−４６８，−４５４），（−４４０，−４２６，−４１４，−４００），（−３６０，−３４６，−３３４，−３２０），（−３０６，−２９２，−２８０，−２６６），（−２５２，−２３８，−２２６，−２１２），（−１９８，−１８４，−１７２，−１５８），（−１１８，−１０４，−９２，−７８），（−６４，−５０，−３８，−２４），（２４，３８，５０，６４），（７８，９２，１０４，１１８），（１５８，１７２，１８４，１９８），（２１２，２２６，２３８，２５２），（２６６，２８０，２９２，３０６），（３２０，３３４，３４６，３６０），（４００，４１４，４２６，４４０），（４５４，４６８，４８０，４９４）｝である。
別の態様では、複数のリソースユニットの各リソースユニットは１０６個の使用可能なトーンを有し、複数のリソースユニットと関連付けられる通信帯域幅は２０ＭＨｚであり、複数のリソースユニットは、複数のパイロットトーン位置の集合｛（−１１６，−９０，−４８，−２２），（２２，４８，９０，１１６）｝と関連付けられる。別の態様では、複数のリソースユニットの各リソースユニットは１０６個の使用可能なトーンを有し、複数のリソースユニットと関連付けられる通信帯域幅は４０ＭＨｚであり、複数のリソースユニットは、複数のパイロットトーン位置の集合｛（−２３８，−２１２，−１７０，−１４４），（−１０４，−７８，−３６，−１０），（１０，３６，７８，１０４），（１４４，１７０，２１２，２３８）｝と関連付けられる。別の態様では、複数のリソースユニットの各リソースユニットは１０６個の使用可能なトーンを有し、複数のリソースユニットと関連付けられる通信帯域幅は８０ＭＨｚであり、複数のリソースユニットは、複数のパイロットトーン位置の集合｛（−４９４，−４６８，−４２６，−４００），（−３６０，−３３４，−２９２，−２６６），（−２５２，−２２６，−１８４，−１５８），（−１１８，−９２，−５０，−２４），（２４，５０，９２，１１８），（１５８，１８４，２２６，２５２），（２６６，２９２，３３４，３６０），（４００，４２６，４６８，４９４）｝と関連付けられる。別の態様では、複数のリソースユニットの各リソースユニットは１０６個の使用可能なトーンを有し、複数のリソースユニットと関連付けられる通信帯域幅は１６０ＭＨｚであり、複数のリソースユニットは第１の複数のパイロットトーン位置の集合および第２の複数のパイロットトーン位置の集合と関連付けられ、第１の複数のパイロットトーン位置の集合は−５１２という第１のオフセットによって調整された初期の複数のパイロットトーン位置の集合に基づき、第２の複数のパイロットトーンの集合は５１２という第２のオフセットによって調整された初期の複数のパイロットトーン位置の集合に基づき、初期の複数のパイロットトーン位置の集合は、｛（−４９４，−４６８，−４２６，−４００），（−３６０，−３３４，−２９２，−２６６），（−２５２，−２２６，−１８４，−１５８），（−１１８，−９２，−５０，−２４），（２４，５０，９２，１１８），（１５８，１８４，２２６，２５２），（２６６，２９２，３３４，３６０），（４００，４２６，４６８，４９４）｝である。別の態様では、複数のリソースユニットの各リソースユニットは２４２個の使用可能なトーンを有し、複数のリソースユニットと関連付けられる通信帯域幅は２０ＭＨｚであり、複数のリソースユニットは、パイロットトーン位置の集合｛（−１１６，−９０，−４８，−２２，２２，４８，９０，１１６）｝と関連付けられるリソースユニットを含む。別の態様では、複数のリソースユニットの各リソースユニットは２４２個の使用可能なトーンを有し、複数のリソースユニットと関連付けられる通信帯域幅は４０ＭＨｚであり、複数のリソースユニットは、複数のパイロットトーン位置の集合｛（−２３８，−２１２，−１７０，−１４４，−１０４，−７８，−３６，−１０），（１０，３６，７８，１０４，１４４，１７０，２１２，２３８）｝と関連付けられる。別の態様では、複数のリソースユニットの各リソースユニットは２４２個の使用可能なトーンを有し、複数のリソースユニットと関連付けられる通信帯域幅は８０ＭＨｚであり、複数のリソースユニットは、複数のパイロットトーン位置の集合｛（−４９４，−４６８，−４２６，−４００，−３６０，−３３４，−２９２，−２６６），（−２５２，−２２６，−１８４，−１５８，−１１８，−９２，−５０，−２４），（２４，５０，９２，１１８，１５８，１８４，２２６，２５２），（２６６，２９２，３３４，３６０，４００，４２６，４６８，４９４）｝と関連付けられる。別の態様では、複数のリソースユニットの各リソースユニットは２４２個の使用可能なトーンを有し、複数のリソースユニットと関連付けられる通信帯域幅は１６０ＭＨｚであり、複数のリソースユニットは第１の複数のパイロットトーン位置の集合および第２の複数のパイロットトーン位置の集合と関連付けられ、第１の複数のパイロットトーン位置の集合は−５１２という第１のオフセットによって調整された初期の複数のパイロットトーン位置の集合に基づき、第２の複数のパイロットトーンの集合は５１２という第２のオフセットによって調整された初期の複数のパイロットトーン位置の集合に基づき、初期の複数のパイロットトーン位置の集合は、｛（−４９４，−４６８，−４２６，−４００，−３６０，−３３４，−２９２，−２６６），（−２５２，−２２６，−１８４，−１５８，−１１８，−９２，−５０，−２４），（２４，５０，９２，１１８，１５８，１８４，２２６，２５２），（２６６，２９２，３３４，３６０，４００，４２６，４６８，４９４）｝である。別の態様では、複数のリソースユニットの各リソースユニットは４８４個の使用可能なトーンを有し、複数のリソースユニットと関連付けられる通信帯域幅は４０ＭＨｚであり、複数のリソースユニットは、パイロットトーン位置の集合｛（−２３８，−２１２，−１７０，−１４４，−１０４，−７８，−３６，−１０，１０，３６，７８，１０４，１４４，１７０，２１２，２３８）｝と関連付けられるリソースユニットを含む。別の態様では、複数のリソースユニットの各リソースユニットは４８４個の使用可能なトーンを有し、複数のリソースユニットと関連付けられる通信帯域幅は８０ＭＨｚであり、複数のリソースユニットは、複数のパイロットトーン位置の集合｛（−４９４，−４６８，−４２６，−４００，−３６０，−３３４，−２９２，−２６６，−２５２，−２２６，−１８４，−１５８，−１１８，−９２，−５０，−２４），（２４，５０，９２，１１８，１５８，１８４，２２６，２５２，２６６，２９２，３３４，３６０，４００，４２６，４６８，４９４）｝と関連付けられる。別の態様では、複数のリソースユニットの各リソースユニットは４８４個の使用可能なトーンを有し、複数のリソースユニットと関連付けられる通信帯域幅は１６０ＭＨｚであり、複数のリソースユニットは第１の複数のパイロットトーン位置の集合および第２の複数のパイロットトーン位置の集合と関連付けられ、第１の複数のパイロットトーン位置の集合は−５１２という第１のオフセットによって調整された初期の複数のパイロットトーン位置の集合に基づき、第２の複数のパイロットトーンの集合は５１２という第２のオフセットによって調整された初期の複数のパイロットトーン位置の集合に基づき、初期の複数のパイロットトーン位置の集合は、｛（−４９４，−４６８，−４２６，−４００，−３６０，−３３４，−２９２，−２６６，−２５２，−２２６，−１８４，−１５８，−１１８，−９２，−５０，−２４），（２４，５０，９２，１１８，１５８，１８４，２２６，２５２，２６６，２９２，３３４，３６０，４００，４２６，４６８，４９４）｝である。別の態様では、複数のリソースユニットの各リソースユニットは９９６個の使用可能なトーンを有し、複数のリソースユニットと関連付けられる通信帯域幅は８０ＭＨｚであり、複数のリソースユニットは、パイロットトーン位置の集合｛（−４６８，−４００，−３３４，−２６６，−２２６，−１５８，−９２，−２４，２４，９２，１５８，２２６，２６６，３３４，４００，４６８）｝と関連付けられるリソースユニットを含む。別の態様では、複数のリソースユニットの各リソースユニットは９９６個の使用可能なトーンを有し、複数のリソースユニットと関連付けられる通信帯域幅は１６０ＭＨｚであり、複数のリソースユニットは第１の複数のパイロットトーン位置の集合および第２の複数のパイロットトーン位置の集合と関連付けられ、第１の複数のパイロットトーン位置の集合は−５１２という第１のオフセットによって調整された初期の複数のパイロットトーン位置の集合に基づき、第２の複数のパイロットトーンの集合は５１２という第２のオフセットによって調整された初期の複数のパイロットトーン位置の集合に基づき、初期の複数のパイロットトーン位置の集合は、｛（−４６８，−４００，−３３４，−２６６，−２２６，−１５８，−９２，−２４，２４，９２，１５８，２２６，２６６，３３４，４００，４６８）｝である。別の態様では、複数のリソースユニットの各リソースユニットは１９９２個の使用可能なトーンを有し、複数のリソースユニットと関連付けられる通信帯域幅は１６０ＭＨｚであり、複数のリソースユニットは、パイロットトーン位置の集合｛（−９８０，−９１２，−８４６，−７７８，−７３８，−６７０，−６０４，−５３６，−４８８，−４２０，−３５４，−２８６，−２４６，−１７８，−１１２，−４４，４４，１１２，１７８，２４６，２８６，３５４，４２０，４８８，５３６，６０４，６７０，７３８，７７８，８４６，９１２，９８０）｝と関連付けられるリソースユニットを含む。別の構成では、処理システム１０１０および／またはパイロット割振り構成要素１０２４は、複数のリソースユニットのうちの１つまたは複数のリソースユニットを少なくとも１つのワイヤレスデバイスに割り振るように構成され得る。この構成では、処理システム１０１０、パイロット割振り構成要素１０２４、および／または送信機１０１５は、割り振られた１つまたは複数のリソースユニットと関連付けられる割振り情報を少なくとも１つのワイヤレスデバイスに送信するように構成され得る。ある態様では、割振り情報は、トーンインデックスの集合、識別子、リソースユニットごとの使用可能なトーンの数を示すリソースユニットサイズ、通信帯域幅、またはデータシンボル情報のうちの少なくとも１つを含み得る。別の態様では、複数のリソースユニットの各リソースユニットは、２６個の使用可能なトーン、５２個の使用可能なトーン、１０６個の使用可能なトーン、２４２個の使用可能なトーン、４８４個の使用可能なトーン、９９６個の使用可能なトーン、または１９９２個の使用可能なトーンを有する。別の構成では、処理システム１０１０および／またはパイロット割振り構成要素１０２４は、通信帯域幅を決定することによって、決定された通信帯域幅と関連付けられる基本パイロットシーケンスを決定することによって、少なくとも１つのリソースユニットにおいて使用可能なトーンの数を決定することによって、ならびに、通信帯域幅、決定された基本パイロットシーケンス、および使用可能なトーンの決定された数に基づいて初期パイロットシーケンスを決定することによって、パイロットシーケンスを決定するように構成され得る。別の構成では、少なくとも１つのリソースユニットにおけるパイロット信号の生成された集合は、通信帯域幅、決定されたパイロットトーン位置、および決定されたパイロット値に基づく。
別の態様では、通信帯域幅は２０ＭＨｚであり、決定された基本パイロットシーケンスは、第１の基本パイロットシーケンス｛１，１，１，−１，１，１，−１，−１，１，１，−１，１，−１，１，１，１，１，−１｝または第２の基本パイロットシーケンス｛１，−１，−１，−１，−１，１，−１，１，−１，−１，１，１，−１，−１，１，−１，−１，−１｝である。別の態様では、通信帯域幅は４０ＭＨｚであり、決定された基本パイロットシーケンスは、第１の基本パイロットシーケンス｛１，−１，１，−１，−１，１，−１，１，−１，１，−１，−１，−１，１，−１，１，１，１，１，−１，−１，−１，−１，−１，−１，１，−１，−１，−１，−１，１，１，−１，−１，１，１｝または第２の基本パイロットシーケンス｛１，１，−１，−１，１，１，−１，−１，−１，−１，１，−１，−１，−１，−１，−１，−１，１，１，１，１，−１，１，−１，−１，−１，１，−１，１，−１，１，−１，−１，１，−１，１｝である。別の態様では、通信帯域幅は８０ＭＨｚであり、決定された基本パイロットシーケンスは、第１の基本パイロットシーケンス｛−１，１，１，１，−１，−１，１，１，−１，−１，１，−１，１，−１，１，１，−１，１，−１，１，１，１，１，１，−１，−１，１，１，１，１，１，−１，１，−１，−１，−１，１，−１，１，−１，１，−１，−１，−１，−１，−１，１，−１，−１，１，１，−１，１，１，−１，−１，１，−１，１，１，−１，１，−１，１，−１，−１，−１，−１，１，１，−１，−１，−１，１｝または第２の基本パイロットシーケンス｛−１，１，１，１，１，−１，−１，１，１，１，−１，−１，−１，１，１，−１，１，−１，１，１，−１，−１，１，−１，−１，１，１，−１，１，１，１，１，１，−１，１，−１，１，−１，１，１，１，１，−１，−１，−１，−１，−１，−１，１，−１，−１，−１，−１，−１，１，１，−１，１，−１，−１，−１，−１，１，−１，１，１，−１，−１，１，−１，１，−１，−１，１｝である。別の態様では、通信帯域幅は１６０ＭＨｚであり、決定された基本パイロットシーケンスは、第１の基本パイロットシーケンス｛−１，１，１，１，−１，−１，１，１，−１，−１，１，−１，１，−１，１，１，−１，１，−１，１，１，１，１，１，−１，−１，１，１，１，１，１，−１，１，−１，−１，−１，１，−１，１，−１，１，−１，−１，−１，−１，−１，１，−１，−１，１，１，−１，１，１，−１，−１，１，−１，１，１，−１，１，−１，１，−１，−１，−１，−１，１，１，−１，−１，−１，１，−１，１，１，１，−１，−１，１，１，−１，−１，１，−１，１，−１，１，１，−１，１，−１，１，１，１，１，１，−１，−１，１，１，１，１，１，−１，１，−１，−１，−１，１，−１，１，−１，１，−１，−１，−１，−１，−１，１，−１，−１，１，１，−１，１，１，−１，−１，１，−１，１，１，−１，１，−１，１，−１，−１，−１，−１，１，１，−１，−１，−１，１｝または第２の基本パイロットシーケンス｛−１，１，１，１，１，−１，−１，１，１，１，−１，−１，−１，１，１，−１，１，−１，１，１，−１，−１，１，−１，−１，１，１，−１，１，１，１，１，１，−１，１，−１，１，−１，１，１，１，１，−１，−１，−１，−１，−１，−１，１，−１，−１，−１，−１，−１，１，１，−１，１，−１，−１，−１，−１，１，−１，１，１，−１，−１，１，−１，１，−１，−１，１，−１，１，１，１，１，−１，−１，１，１，１，−１，−１，−１，１，１，−１，１，−１，１，１，−１，−１，１，−１，−１，１，１，−１，１，１，１，１，１，−１，１，−１，１，−１，１，１，１，１，−１，−１，−１，−１，−１，−１，１，−１，−１，−１，−１，−１，１，１，−１，１，−１，−１，−１，−１，１，−１，１，１，−１，−１，１，−１，１，−１，−１，１｝である。別の態様では、初期パイロットシーケンスは、少なくとも１つのリソースユニットと関連付けられる名目トーンインデックスの集合に基づいて決定される。別の態様では、パイロットシーケンスは、データシンボルインデックスに基づいて、決定された初期パイロットシーケンスをシフトすることによって決定される。
【０１６１】
[00183]受信機１００５、処理システム１０１０、パイロット割振り構成要素１０２４、および／または送信機１０１５は、図９のブロック９０５、９１０、９１５、９２０、および９２５に関して上記で論じられた１つまたは複数の機能を実行するように構成され得る。受信機１００５は受信機８１２に対応し得る。処理システム１０１０はプロセッサ８０４に対応し得る。送信機１０１５は送信機８１０に対応し得る。パイロット割振り構成要素１０２４は、パイロット割振り構成要素１２４および／またはパイロット割振り構成要素８２４に対応し得る。
【０１６２】
[00184]一構成では、ワイヤレス通信デバイス１０００は、通信のための複数のリソースユニットを決定するための手段を含み得る。ワイヤレス通信デバイス１０００は、複数のリソースユニットのうちの少なくとも１つのリソースユニットにおいてパイロット信号の集合を生成するための手段を含み得る。ワイヤレス通信デバイス１０００は、複数のリソースユニットのうちの少なくとも１つのリソースユニットにおいてパイロット信号の生成された集合を送信するための手段を含み得る。一態様では、通信のための複数のリソースユニットを決定するための手段は、通信帯域幅を決定し、決定された通信帯域幅に基づいてリソースユニットごとの使用可能なトーンの数を決定するように構成され得る。別の構成では、少なくとも１つのリソースユニットにおいてパイロット信号の集合を生成するための手段は、少なくとも１つのリソースユニットと関連付けられるパイロットトーン位置を決定し、決定されたパイロットトーン位置と関連付けられるパイロットシーケンスを決定し、決定されたパイロットシーケンスおよびパイロット極性シーケンスに基づいて、決定されたパイロットトーン位置に対するパイロット値を決定するように構成され得る。ある態様では、パイロットシーケンスは、データシンボルインデックスに基づいて初期パイロットシーケンスをシフトすることによって決定される。別の態様では、複数のリソースユニットのうちの少なくとも１つのリソースユニットは、２６個の使用可能なトーンと２つのパイロットトーン位置とを有し、パイロットシーケンスは、初期パイロットシーケンス｛１，−１｝に基づいて決定される。別の態様では、複数のリソースユニットのうちの少なくとも１つのリソースユニットは、５２個の使用可能なトーンまたは１０６個の使用可能なトーンを有し、４つのパイロットトーン位置を有し、パイロットシーケンスは、初期パイロットシーケンス｛１，１，１，−１｝に基づいて決定される。別の態様では、複数のリソースユニットのうちの少なくとも１つのリソースユニットは、２４２個の使用可能なトーンを有し、８つのパイロットトーン位置を有し、パイロットシーケンスは、初期パイロットシーケンス｛１，１，１，−１，−１，１，１，１｝に基づいて決定される。別の態様では、複数のリソースユニットのうちの少なくとも１つのリソースユニットは、４８４個の使用可能なトーンまたは９９６個の使用可能なトーンを有し、１６個のパイロットトーン位置を有し、パイロットシーケンスは、初期パイロットシーケンス｛１，１，１，−１，−１，１，１，１，１，１，１，−１，−１，１，１，１｝に基づいて決定される。別の態様では、複数のリソースユニットのうちの少なくとも１つのリソースユニットは、１９９２個の使用可能なトーンと３２個のパイロットトーン位置とを有し、パイロットシーケンスは、初期パイロットシーケンス｛１，１，１，−１，−１，１，１，１，１，１，１，−１，−１，１，１，１，１，１，１，−１，−１，１，１，１，１，１，１，−１，−１，１，１，１｝に基づいて決定される。別の構成では、パイロット信号の集合は、プリアンブルのＳＩＧフィールドの中のシンボルの数に基づいて生成される。ある態様では、��数のリソースユニットの各リソースユニットは２６個の使用可能なトーンを有し、複数のリソースユニットと関連付けられる通信帯域幅は２０ＭＨｚであり、複数のリソースユニットは、複数のパイロットトーン位置の集合｛（−１１６，−１０２），（−９０，−７６），（−６２，−４８），（−３６，−２２），（−１０，１０），（２２，３６），（４８，６２），（７６，９０），（１０２，１１６）｝と関連付けられる。別の態様では、複数のリソースユニットの各リソースユニットは２６個の使用可能なトーンを有し、複数のリソースユニットと関連付けられる通信帯域幅は４０ＭＨｚであり、複数のリソースユニットは、複数のパイロットトーン位置の集合｛（−２３８，−２２４），（−２１２，−１９８），（−１８４，−１７０），（−１５８，−１４４），（−１３０，−１１６），（−１０４，−９０），（−７８，−６４），（−５０，−３６），（−２４，−１０），（１０，２４），（３６，５０），（６４，７８），（９０，１０４），（１１６，１３０），（１４４，１５８），（１７０，１８４），（１９８，２１２），（２２４，２３８）｝と関連付けられる。別の態様では、複数のリソースユニットの各リソースユニットは２６個の使用可能なトーンを有し、複数のリソースユニットと関連付けられる通信帯域幅は８０ＭＨｚであり、複数のリソースユニットは、複数のパイロットトーン位置の集合｛（−４９４，−４８０），（−４６８，−４５４），（−４４０，−４２６），（−４１４，−４００），（−３８６，−３７２），（−３６０，−３４６），（−３３４，−３２０），（−３０６，−２９２），（−２８０，−２６６），（−２５２，−２３８），（−２２６，−２１２），（−１９８，−１８４），（−１７２，−１５８），（−１４４，−１３０），（−１１８，−１０４），（−９２，−７８），（−６４，−５０），（−３８，−２４），（−１０，１０），（２４，３８），（５０，６４），（７８，９２），（１０４，１１８），（１３０，１４４），（１５８，１７２），（１８４，１９８），（２１２，２２６），（２３８，２５２），（２６６，２８０），（２９２，３０６），（３２０，３３４），（３４６，３６０），（３７２，３８６），（４００，４１４），（４２６，４４０），（４５４，４６８），（４８０，４９４）｝と関連付けられる。別の態様では、複数のリソースユニットの各リソースユニットは２６個の使用可能なトーンを有し、複数のリソースユニットと関連付けられる通信帯域幅は１６０ＭＨｚであり、複数のリソースユニットは第１の複数のパイロットトーン位置の集合および第２の複数のパイロットトーン位置の集合と関連付けられ、第１の複数のパイロットトーン位置の集合は−５１２という第１のオフセットによって調整された初期の複数のパイロットトーン位置の集合に基づき、第２の複数のパイロットトーンの集合は５１２という第２のオフセットによって調整された初期の複数のパイロットトーン位置の集合に基づき、初期の複数のパイロットトーン位置の集合は、｛（−４９４，−４８０），（−４６８，−４５４），（−４４０，−４２６），（−４１４，−４００），（−３８６，−３７２），��−３６０，−３４６），（−３３４，−３２０），（−３０６，−２９２），（−２８０，−２６６），（−２５２，−２３８），（−２２６，−２１２），（−１９８，−１８４），（−１７２，−１５８），（−１４４，−１３０），（−１１８，−１０４），（−９２，−７８），（−６４，−５０），（−３８，−２４），（−１０，１０），（２４，３８），（５０，６４），（７８，９２），（１０４，１１８），（１３０，１４４），（１５８，１７２），（１８４，１９８），（２１２，２２６），（２３８，２５２），（２６６，２８０），（２９２，３０６），（３２０，３３４），（３４６，３６０），（３７２，３８６），（４００，４１４），（４２６，４４０），（４５４，４６８），（４８０，４９４）｝である。別の態様では、複数のリソースユニットの各リソースユニットは５２個の使用可能なトーンを有し、複数のリソースユニットと関連付けられる通信帯域幅は２０ＭＨｚであり、複数のリソースユニットは、複数のパイロットトーン位置の集合｛（−１１６，−１０２，−９０，−７６），（−６２，−４８，−３６，−２２），（２２，３６，４８，６２），（７６，９０，１０２，１１６）｝と関連付けられる。別の態様では、複数のリソースユニットの各リソースユニットは５２個の使用可能なトーンを有し、複数のリソースユニットと関連付けられる通信帯域幅は４０ＭＨｚであり、複数のリソースユニットは、複数のパイロットトーン位置の集合｛（−２３８，−２２４，−２１２，−１９８），（−１８４，−１７０，−１５８，−１４４），（−１０４，−９０，−７８，−６４），（−５０，−３６，−２４，−１０），（１０，２４，３６，５０），（６４，７８，９０，１０４），（１４４，１５８，１７０，１８４），（１９８，２１２，２２４，２３８）｝と関連付けられる。別の態様では、複数のリソースユニットの各リソースユニットは５２個の使用可能なトーンを有し、複数のリソースユニットと関連付けられる通信帯域幅は８０ＭＨｚであり、複数のリソースユニットは、複数のパイロットトーン位置の集合｛（−４９４，−４８０，−４６８，−４５４），（−４４０，−４２６，−４１４，−４００），（−３６０，−３４６，−３３４，−３２０），（−３０６，−２９２，−２８０，−２６６），（−２５２，−２３８，−２２６，−２１２），（−１９８，−１８４，−１７２，−１５８），（−１１８，−１０４，−９２，−７８），（−６４，−５０，−３８，−２４），（２４，３８，５０，６４），（７８，９２，１０４，１１８），（１５８，１７２，１８４，１９８），（２１２，２２６，２３８，２５２），（２６６，２８０，２９２，３０６），（３２０，３３４，３４６，３６０），（４００，４１４，４２６，４４０），（４５４，４６８，４８０，４９４）｝と関連付けられる。別の態様では、複数のリソースユニットの各リソースユニットは５２個の使用可能なトーンを有し、複数のリソースユニットと関連付けられる通信帯域幅は１６０ＭＨｚであり、複数のリソースユニットは第１の複数のパイロットトーン位置の集合および第２の複数のパイロットトーン位置の集合と関連付けられ、第１の複数のパイロット��ーン位置の集合は−５１２という第１のオフセットによって調整された初期の複数のパイロットトーン位置の集合に基づき、第２の複数のパイロットトーンの集合は５１２という第２のオフセットによって調整された初期の複数のパイロットトーン位置の集合に基づき、初期の複数のパイロットトーン位置の集合は、｛（−４９４，−４８０，−４６８，−４５４），（−４４０，−４２６，−４１４，−４００），（−３６０，−３４６，−３３４，−３２０），（−３０６，−２９２，−２８０，−２６６），（−２５２，−２３８，−２２６，−２１２），（−１９８，−１８４，−１７２，−１５８），（−１１８，−１０４，−９２，−７８），（−６４，−５０，−３８，−２４），（２４，３８，５０，６４），（７８，９２，１０４，１１８），（１５８，１７２，１８４，１９８），（２１２，２２６，２３８，２５２），（２６６，２８０，２９２，３０６），（３２０，３３４，３４６，３６０），（４００，４１４，４２６，４４０），（４５４，４６８，４８０，４９４）｝である。別の態様では、複数のリソースユニットの各リソースユニットは１０６個の使用可能なトーンを有し、複数のリソースユニットと関連付けられる通信帯域幅は２０ＭＨｚであり、複数のリソースユニットは、複数のパイロットトーン位置の集合｛（−１１６，−９０，−４８，−２２），（２２，４８，９０，１１６）｝と関連付けられる。別の態様では、複数のリソースユニットの各リソースユニットは１０６個の使用可能なトーンを有し、複数のリソースユニットと関連付けられる通信帯域幅は４０ＭＨｚであり、複数のリソースユニットは、複数のパイロットトーン位置の集合｛（−２３８，−２１２，−１７０，−１４４），（−１０４，−７８，−３６，−１０），（１０，３６，７８，１０４），（１４４，１７０，２１２，２３８）｝と関連付けられる。
別の態様では、複数のリソースユニットの各リソースユニットは１０６個の使用可能なトーンを有し、複数のリソースユニットと関連付けられる通信帯域幅は８０ＭＨｚであり、複数のリソースユニットは、複数のパイロットトーン位置の集合｛（−４９４，−４６８，−４２６，−４００），（−３６０，−３３４，−２９２，−２６６），（−２５２，−２２６，−１８４，−１５８），（−１１８，−９２，−５０，−２４），（２４，５０，９２，１１８），（１５８，１８４，２２６，２５２），（２６６，２９２，３３４，３６０），（４００，４２６，４６８，４９４）｝と関連付けられる。別の態様では、複数のリソースユニットの各リソースユニットは１０６個の使用可能なトーンを有し、複数のリソースユニットと関連付けられる通信帯域幅は１６０ＭＨｚであり、複数のリソースユニットは第１の複数のパイロットトーン位置の集合および第２の複数のパイロットトーン位置の集合と関連付けられ、第１の複数のパイロットトーン位置の集合は−５１２という第１のオフセットによって調整された初期の複数のパイロットトーン位置の集合に基づき、第２の複数のパイロットトーンの集合は５１２という第２のオフセットによって調整された初期の複数のパイロットトーン位置の集合に基づき、初期の複数のパイロットトーン位置の集合は、｛（−４９４，−４６８，−４２６，−４００），（−３６０，−３３４，−２９２，−２６６），（−２５２，−２２６，−１８４，−１５８），（−１１８，−９２，−５０，−２４），（２４，５０，９２，１１８），（１５８，１８４，２２６，２５２），（２６６，２９２，３３４，３６０），（４００，４２６，４６８，４９４）｝である。別の態様では、複数のリソースユニットの各リソースユニットは２４２個の使用可能なトーンを有し、複数のリソースユニットと関連付けられる通信帯域幅は２０ＭＨｚであり、複数のリソースユニットは、パイロットトーン位置の集合｛（−１１６，−９０，−４８，−２２，２２，４８，９０，１１６）｝と関連付けられるリソースユニットを含む。別の態様では、複数のリソースユニットの各リソースユニットは２４２個の使用可能なトーンを有し、複数のリソースユニットと関連付けられる通信帯域幅は４０ＭＨｚであり、複数のリソースユニットは、複数のパイロットトーン位置の集合｛（−２３８，−２１２，−１７０，−１４４，−１０４，−７８，−３６，−１０），（１０，３６，７８，１０４，１４４，１７０，２１２，２３８）｝と関連付けられる。別の態様では、複数のリソースユニットの各リソースユニットは２４２個の使用可能なトーンを有し、複数のリソースユニットと関連付けられる通信帯域幅は８０ＭＨｚであり、複数のリソースユニットは、複数のパイロットトーン位置の集合｛（−４９４，−４６８，−４２６，−４００，−３６０，−３３４，−２９２，−２６６），（−２５２，−２２６，−１８４，−１５８，−１１８，−９２，−５０，−２４），（２４，５０，９２，１１８，１５８，１８４，２２６，２５２），（２６６，２９２，３３４，３６０，４００，４２６，４６８，４９４）｝と関連付けられる。別の態様では、複数のリソースユニットの各リソースユニットは２４２個の使用可能なトーンを有し、複数のリソースユニットと関連付けられる通信帯域幅は１６０ＭＨｚであり、複数のリソースユニットは第１の複数のパイロットトーン位置の集合および第２の複数のパイロットトーン位置の集合と関連付けられ、第１の複数のパイロットトーン位置の集合は−５１２という第１のオフセットによって調整された初期の複数のパイロットトーン位置の集合に基づき、第２の複数のパイロットトーンの集合は５１２という第２のオフセットによって調整された初期の複数のパイロットトーン位置の集合に基づき、初期の複数のパイロットトーン位置の集合は、｛（−４９４，−４６８，−４２６，−４００，−３６０，−３３４，−２９２，−２６６），（−２５２，−２２６，−１８４，−１５８，−１１８，−９２，−５０，−２４），（２４，５０，９２，１１８，１５８，１８４，２２６，２５２），（２６６，２９２，３３４，３６０，４００，４２６，４６８，４９４）｝である。別の態様では、複数のリソースユニットの各リソースユニットは４８４個の使用可能なトーンを有し、複数のリソースユニットと関連付けられる通信帯域幅は４０ＭＨｚであり、複数のリソースユニットは、パイロットトーン位置の集合｛（−２３８，−２１２，−１７０，−１４４，−１０４，−７８，−３６，−１０，１０，３６，７８，１０４，１４４，１７０，２１２，２３８）｝と関連付けられるリソースユニットを含む。別の態様では、複数のリソースユニットの各リソースユニットは４８４個の使用可能なトーンを有し、複数のリソースユニットと関連付けられる通信帯域幅は８０ＭＨｚであり、複数のリソースユニットは、複数のパイロットトーン位置の集合｛（−４９４，−４６８，−４２６，−４００，−３６０，−３３４，−２９２，−２６６，−２５２，−２２６，−１８４，−１５８，−１１８，−９２，−５０，−２４），（２４，５０，９２，１１８，１５８，１８４，２２６，２５２，２６６，２９２，３３４，３６０，４００，４２６，４６８，４９４）｝と関連付けられる。別の態様では、複数のリソースユニットの各リソースユニットは４８４個の使用可能なトーンを有し、複数のリソースユニットと関連付けられる通信帯域幅は１６０ＭＨｚであり、複数のリソースユニットは第１の複数のパイロットトーン位置の集合および第２の複数のパイロットトーン位置の集合と関連付けられ、第１の複数のパイロットトーン位置の集合は−５１２という第１のオフセットによって調整された初期の複数のパイロットトーン位置の集合に基づき、第２の複数のパイロットトーンの集合は５１２という第２のオフセットによって調整された初期の複数のパイロットトーン位置の集合に基づき、初期の複数のパイロットトーン位置の集合は、｛（−４９４，−４６８，−４２６，−４００，−３６０，−３３４，−２９２，−２６６，−２５２，−２２６，−１８４，−１５８，−１１８，−９２，−５０，−２４），（２４，５０，９２，１１８，１５８，１８４，２２６，２５２，２６６，２９２，３３４，３６０，４００，４２６，４６８，４９４）｝である。別の態様では、複数のリソースユニットの各リソースユニットは９９６個の使用可能なトーンを有し、複数のリソースユニットと関連付けられる通信帯域幅は８０ＭＨｚであり、複数のリソースユニットは、パイロットトーン位置の集合｛（−４６８，−４００，−３３４，−２６６，−２２６，−１５８，−９２，−２４，２４，９２，１５８，２２６，２６６，３３４，４００，４６８）｝と関連付けられるリソースユニットを含む。別の態様では、複数のリソースユニットの各リソースユニットは９９６個の使用可能なトーンを有し、複数のリソースユニットと関連付けられる通信帯域幅は１６０ＭＨｚであり、複数のリソースユニットは第１の複数のパイロットトーン位置の集合および第２の複数のパイロットトーン位置の集合と関連付けられ、第１の複数のパイロットトーン位置の集合は−５１２という第１のオフセットによって調整された初期の複数のパイロットトーン位置の集合に基づき、第２の複数のパイロットトーンの集合は５１２という第２のオフセットによって調整された初期の複数のパイロットトーン位置の集合に基づき、初期の複数のパイロットトーン位置の集合は、｛（−４６８，−４００，−３３４，−２６６，−２２６，−１５８，−９２，−２４，２４，９２，１５８，２２６，２６６，３３４，４００，４６８）｝である。別の態様では、複数のリソースユニットの各リソースユニットは１９９２個の使用可能なトーンを有し、複数のリソースユニットと関連付けられる通信帯域幅は１６０ＭＨｚであり、複数のリソースユニットは、パイロットトーン位置の集合｛（−９８０，−９１２，−８４６，−７７８，−７３８，−６７０，−６０４，−５３６，−４８８，−４２０，−３５４，−２８６，−２４６，−１７８，−１１２，−４４，４４，１１２，１７８，２４６，２８６，３５４，４２０，４８８，５３６，６０４，６７０，７３８，７７８，８４６，９１２，９８０）｝と関連付けられるリソースユニットを含む。別の態様では、ワイヤレス通信デバイス１０００は、複数のリソースユニットのうちの１つまたは複数のリソースユニットを少なくとも１つのワイヤレスデバイスに割り振るための手段を含み得る。この態様では、ワイヤレス通信デバイス１０００は、割り振られた１つまたは複数のリソースユニットと関連付けられる割振り情報を少なくとも１つのワイヤレスデバイスに送信するための手段を含み得る。ある態様では、割振り情報は、トーンインデックスの集合、識別子、リソースユニットごとの使用可能なトーンの数を示すリソースユニットサイズ、通信帯域幅、またはデータシンボル情報のうちの少なくとも１つを含み得る。別の態様では、複数のリソースユニットの各リソースユニットは、２６個の使用可能なトーン、５２個の使用可能なトーン、１０６個の使用可能なトーン、２４２個の使用可能なトーン、４８４個の使用可能なトーン、９９６個の使用可能なトーン、または１９９２個の使用可能なトーンを有する。別の態様では、パイロットシーケンスを決定するための手段は、通信帯域幅を決定し、決定された通信帯域幅と関連付けられる基本パイロットシーケンスを決定し、少なくとも１つのリソースユニットにおいて使用可能なトーンの数を決定し、通信帯域幅、決定された基本パイロットシーケンス、および使用可能なトーンの決定された数に基づいて初期パイロットシーケンスを決定するように構成され得る。別の構成では、少なくとも１つのリソースユニットにおけるパイロット信号の生成された集合は、通信帯域幅、決定されたパイロットトーン位置、および決定されたパイロット値に基づく。
別の態様では、通信帯域幅は２０ＭＨｚであり、決定された基本パイロットシーケンスは、第１の基本パイロットシーケンス｛１，１，１，−１，１，１，−１，−１，１，１，−１，１，−１，１，１，１，１，−１｝または第２の基本パイロットシーケンス｛１，−１，−１，−１，−１，１，−１，１，−１，−１，１，１，−１，−１，１，−１，−１，−１｝である。別の態様では、通信帯域幅は４０ＭＨｚであり、決定された基本パイロットシーケンスは、第１の基本パイロットシーケンス｛１，−１，１，−１，−１，１，−１，１，−１，１，−１，−１，−１，１，−１，１，１，１，１，−１，−１，−１，−１，−１，−１，１，−１，−１，−１，−１，１，１，−１，−１，１，１｝または第２の基本パイロットシーケンス｛１，１，−１，−１，１，１，−１，−１，−１，−１，１，−１，−１，−１，−１，−１，−１，１，１，１，１，−１，１，−１，−１，−１，１，−１，１，−１，１，−１，−１，１，−１，１｝である。別の態様では、通信帯域幅は８０ＭＨｚであり、決定された基本パイロットシーケンスは、第１の基本パイロットシーケンス｛−１，１，１，１，−１，−１，１，１，−１，−１，１，−１，１，−１，１，１，−１，１，−１，１，１，１，１，１，−１，−１，１，１，１，１，１，−１，１，−１，−１，−１，１，−１，１，−１，１，−１，−１，−１，−１，−１，１，−１，−１，１，１，−１，１，１，−１，−１，１，−１，１，１，−１，１，−１，１，−１，−１，−１，−１，１，１，−１，−１，−１，１｝または第２の基本パイロットシーケンス｛−１，１，１，１，１，−１，−１，１，１，１，−１，−１，−１，１，１，−１，１，−１，１，１，−１，−１，１，−１，−１，１，１，−１，１，１，１，１，１，−１，１，−１，１，−１，１，１，１，１，−１，−１，−１，−１，−１，−１，１，−１，−１，−１，−１，−１，１，１，−１，１，−１，−１，−１，−１，１，−１，１，１，−１，−１，１，−１，１，−１，−１，１｝である。別の態様では、通信帯域幅は１６０ＭＨｚであり、決定された基本パイロットシーケンスは、第１の基本パイロットシーケンス｛−１，１，１，１，−１，−１，１，１，−１，−１，１，−１，１，−１，１，１，−１，１，−１，１，１，１，１，１，−１，−１，１，１，１，１，１，−１，１，−１，−１，−１，１，−１，１，−１，１，−１，−１，−１，−１，−１，１，−１，−１，１，１，−１，１，１，−１，−１，１，−１，１，１，−１，１，−１，１，−１，−１，−１，−１，１，１，−１，−１，−１，１，−１，１，１，１，−１，−１，１，１，−１，−１，１，−１，１，−１，１，１，−１，１，−１，１，１，１，１，１，−１，−１，１，１，１，１，１，−１，１，−１，−１，−１，１，−１，１，−１，１，−１，−１，−１，−１，−１，１，−１，−１，１，１，−１，１，１，−１，−１，１，−１，１，１，−１，１，−１，１，−１，−１，−１，−１，１，１，−１，−１，−１，１｝または第２の基本パイロットシーケンス｛−１，１，１，１，１，−１，−１，１，１，１，−１，−１，−１，１，１，−１，１，−１，１，１，−１，−１，１，−１，−１，１，１，−１，１，１，１，１，１，−１，１，−１，１，−１，１，１，１，１，−１，−１，−１，−１，−１，−１，１，−１，−１，−１，−１，−１，１，１，−１，１，−１，−１，−１，−１，１，−１，１，１，−１，−１，１，−１，１，−１，−１，１，−１，１，１，１，１，−１，−１，１，１，１，−１，−１，−１，１，１，−１，１，−１，１，１，−１，−１，１，−１，−１，１，１，−１，１，１，１，１，１，−１，１，−１，１，−１，１，１，１，１，−１，−１，−１，−１，−１，−１，１，−１，−１，−１，−１，−１，１，１，−１，１，−１，−１，−１，−１，１，−１，１，１，−１，−１，１，−１，１，−１，−１，１｝である。別の態様では、初期パイロットシーケンスは、少なくとも１つのリソースユニットと関連付けられる名目トーンインデックスの集合に基づいて決定される。別の態様では、パイロットシーケンスは、データシンボルインデックスに基づいて、決定された初期パイロットシーケンスをシフトすることによって決定される。
【０１６３】
[00185]たとえば、複数のリソースユニットを決定するための手段は、処理システム１０１０および／またはパイロット割振り構成要素１０２４を含み得る。パイロット信号の集合を生成するための手段は、処理システム１０１０および／またはパイロット割振り構成要素１０２４を含み得る。生成されたパイロット信号を送信するための手段は、送信機１０１５、処理システム１０１０、および／またはパイロット割振り構成要素１０２４を含み得る。割り振るための手段は、処理システム１０１０および／またはパイロット割振り構成要素１０２４を含み得る。割振り情報を送信するための手段は、送信機１０１５、処理システム１０１０、および／またはパイロット割振り構成要素１０２４を含み得る。
【０１６４】
[00186]図１１は、パイロット信号を生成するための、図１のワイヤレス通信システム１００内で利用され得るワイヤレスデバイス１１０２の機能ブロック図である。ワイヤレスデバイス１１０２は、本明細書で説明される様々な方法を実装するように構成され得るデバイスの例である。たとえば、ワイヤレスデバイス１１０２は、ＳＴＡ１１４、またはＳＴＡ７０６、７０８、７１０、７１２を備え得る。
【０１６５】
[00187]ワイヤレスデバイス１１０２は、ワイヤレスデバイス１１０２の動作を制御するプロセッサ１１０４を含み得る。プロセッサ１１０４はＣＰＵと呼ばれることもある。ＲＯＭとＲＡＭの両方を含み得るメモリ１１０６は、命令とデータとをプロセッサ１１０４に与え得る。メモリ１１０６の一部分はＮＶＲＡＭも含み得る。プロセッサ１１０４は、通常、メモリ１１０６に記憶されたプログラム命令に基づいて論理演算と算術演算とを実行する。メモリ１１０６内の命令は、本明細書で説明される方法を実装するために（たとえば、プロセッサ１１０４によって）実行可能であり得る。
【０１６６】
[00188]プロセッサ１１０４は、１つまたは複数のプロセッサにより実装された処理システムの構成要素を備えてよく、またはその処理システムの構成要素であってよい。１つまたは複数のプロセッサは、汎用マイクロプロセッサ、マイクロコントローラ、ＤＳＰ、ＦＰＧＡ、ＰＬＤ、コントローラ、状態機械、ゲート論理、個別ハードウェア構成要素、専用ハードウェア有限状態機械、または情報の計算もしくは他の操作を実行することができる任意の他の好適なエンティティの任意の組合せを用いて実装され得る。
【０１６７】
[00189]処理システムは、送信機１１１０および／または受信機１１１４による送信のための情報を提供するように構成されるインターフェースを含み得る。インターフェースはまた、受信機１１１２および／またはトランシーバ１１１４から情報を受信するように構成され得る。ある態様では、インターフェースはプロセッサ１１０４のインターフェースであり得る。
【０１６８】
[00190]処理システムは、ソフトウェアを記憶するための機械可読媒体も含み得る。ソフトウェアは、ソフトウェア、ファームウェア、ミドルウェア、マイクロコード、ハードウェア記述言語と呼ばれるか、またはそれ以外の名称で呼ばれるかにかかわらず、任意のタイプの命令を意味すると広く解釈されるべきである。命令は、（たとえば、ソースコードフォーマット、バイナリコードフォーマット、実行可能コードフォーマット、またはコードの任意の他の適切なフォーマットの）コードを含み得る。命令は、１つまたは複数のプロセッサによって実行されると、処理システムに本明細書で説明される様々な機能を実行させる。
【０１６９】
[00191]ワイヤレスデバイス１１０２はまた、ハウジング１１０８を含むことがあり、ワイヤレスデバイス１１０２は、ワイヤレスデバイス１１０２とリモートデバイスとの間でのデータの送信と受信とを可能にするための送信機１１１０および／または受信機１１１２を含み得る。送信機１１１０および受信機１１１２は、トランシーバ１１１４へと組み合わされ得る。アンテナ１１１６は、ハウジング１１０８に取り付けられ、トランシーバ１１１４に電気的に結合され得る。ワイヤレスデバイス１１０２は、複数の送信機、複数の受信機、複数のトランシーバ、および／または複数のアンテナも含み得る。
【０１７０】
[00192]ワイヤレスデバイス１１０２はまた、トランシーバ１１１４または受信機１１１２によって受信された信号のレベルを検出および定量化するために使用され得る信号検出器１１１８を含み得る。信号検出器１１１８は、総エネルギー、シンボルごとのサブキャリアごとのエネルギー、電力スペクトル密度および他の信号などの信号を検出し得る。ワイヤレスデバイス１１０２は、信号を処理する際に使用するためのＤＳＰ１１２０も含み得る。ＤＳＰ１１２０は、送信のためにパケットを生成するように構成され得る。いくつかの態様では、パケットはＰＰＤＵを備え得る。
【０１７１】
[00193]ワイヤレスデバイス１１０２は、いくつかの態様ではユーザインターフェース１１２２をさらに備え得る。ユーザインターフェース１１２２は、キーパッド、マイクロフォン、スピーカー、および／またはディスプレイを備え得る。ユーザインターフェース１１２２は、ワイヤレスデバイス１１０２のユーザに情報を伝達するおよび／またはユーザからの入力を受け取る、任意の要素または構成要素を含み得る。
【０１７２】
[00194]ワイヤレスデバイス１１０２がＳＴＡ（たとえば、ＳＴＡ１１４、ＳＴＡ７０６）として実装されるとき、ワイヤレスデバイス１１０２は、パイロット決定構成要素１１２４も備え得る。パイロット決定構成要素１１２４は、通信のためにワイヤレスデバイス１００２に割り振られる１つまたは複数のリソースユニットを示すメッセージを受信するように構成され得る。パイロット決定構成要素１１２４は、１つまたは複数のリソースユニットのためのパイロット信号の集合を生成するように構成され得る。パイロット決定構成要素１１２４は、１つまたは複数のリソースユニットにおいて、データとパイロット信号の生成された集合とを送信するように構成され得る。ある態様では、メッセージは、トーンインデックスの集合、識別子、リソースユニットごとの使用可能なトーンの数を示すリソースユニットサイズ、通信帯域幅、またはデータシンボル情報のうちの少なくとも１つを含む、割振り情報を含む。一構成では、パイロット決定構成要素１１２４は、１つまたは複数のリソースユニットと関連付けられるパイロットトーン位置を決定することによって、決定されたパイロットトーン位置と関連付けられるパイロットシーケンスを決定することによって、および、決定されたパイロットシーケンスとパイロット極性シーケンスとに基づいて、決定されたパイロットトーン位置に対するパイロット値を決定することによって、パイロット信号の集合を生成するように構成され得る。ある態様では、パイロットシーケンスは、データシンボルインデックスに基づいて初期パイロットシーケンスをシフトすることによって決定される。別の態様では、１つまたは複数のリソースユニットの各リソースユニットは、２６個の使用可能なトーンと２つのパイロットトーン位置とを有し、パイロットシーケンスは、初期パイロットシーケンス｛１，−１｝に基づいて決定される。別の態様では、１つまたは複数のリソースユニットの各リソースユニットは、５２個の使用可能なトーンまたは１０６個の使用可能なトーンを有し、４つのパイロットトーン位置を有し、パイロットシーケンスは、初期パイロットシーケンス｛１，１，１，−１｝に基づいて決定される。別の態様では、１つまたは複数のリソースユニットの各リソースユニットは、２４２個の使用可能なトーンを有し、８つのパイロットトーン位置を有し、パイロットシーケンスは、初期パイロットシーケンス｛１，１，１，−１，−１，１，１，１｝に基づいて決定される。別の態様では、１つまたは複数のリソースユニットの各リソースユニットは、４８４個の使用可能なトーンまたは９９６個の使用可能なトーンを有し、１６個のパイロットトーン位置を有し、パイロットシーケンスは、初期パイロットシーケンス｛１，１，１，−１，−１，１，１，１，１，１，１，−１，−１，１，１，１｝に基づいて決定される。別の態様では、１つまたは複数のリソースユニットの各リソースユニットは、１９９２個の使用可能なトーンと３２個のパイロットトーン位置とを有し、パイロットシーケンスは、初期パイロットシーケンス｛１，１，１，−１，−１，１，１，１，１，１，１，−１，−１，１，１，１，１，１，１，−１，−１，１，１，１，１，１，１��−１，−１，１，１，１｝に基づいて決定される。別の態様では、パイロット決定構成要素１１２４は、プリアンブルのＳＩＧフィールドの中のシンボルの数に基づいて、パイロット信号の集合を生成するように構成され得る。別の構成では、パイロット決定構成要素１１２４は、通信帯域幅を決定することによって、決定された通信帯域幅と関連付けられる基本パイロットシーケンスを決定することによって、少なくとも１つのリソースユニットにおいて使用可能なトーンの数を決定することによって、ならびに、通信帯域幅、決定された基本パイロットシーケンス、および使用可能なトーンの決定された数に基づいて初期パイロットシーケンスを決定することによって、パイロットシーケンスを決定するように構成され得る。別の態様では、少なくとも１つのリソースユニットにおけるパイロット信号の生成された集合は、通信帯域幅、決定されたパイロットトーン位置、および決定されたパイロット値に基づく。別の態様では、通信帯域幅は２０ＭＨｚであり、決定された基本パイロットシーケンスは、第１の基本パイロットシーケンス｛１，１，１，−１，１，１，−１，−１，１，１，−１，１，−１，１，１，１，１，−１｝または第２の基本パイロットシーケンス｛１，−１，−１，−１，−１，１，−１，１，−１，−１，１，１，−１，−１，１，−１，−１，−１｝である。別の態様では、通信帯域幅は４０ＭＨｚであり、決定された基本パイロットシーケンスは、第１の基本パイロットシーケンス｛１，−１，１，−１，−１，１，−１，１，−１，１，−１，−１，−１，１，−１，１，１，１，１，−１，−１，−１，−１，−１，−１，１，−１，−１，−１，−１，１，１，−１，−１，１，１｝または第２の基本パイロットシーケンス｛１，１，−１，−１，１，１，−１，−１，−１，−１，１，−１，−１，−１，−１，−１，−１，１，１，１，１，−１，１，−１，−１，−１，１，−１，１，−１，１，−１，−１，１，−１，１｝である。別の態様では、通信帯域幅は８０ＭＨｚであり、決定された基本パイロットシーケンスは、第１の基本パイロットシーケンス｛−１，１，１，１，−１，−１，１，１，−１，−１，１，−１，１，−１，１，１，−１，１，−１，１，１，１，１，１，−１，−１，１，１，１，１，１，−１，１，−１，−１，−１，１，−１，１，−１，１，−１，−１，−１，−１，−１，１，−１，−１，１，１，−１，１，１，−１，−１，１，−１，１，１，−１，１，−１，１，−１，−１，−１，−１，１，１，−１，−１，−１，１｝または第２の基本パイロットシーケンス｛−１，１，１，１，１，−１，−１，１，１，１，−１，−１，−１，１，１，−１，１，−１，１，１，−１，−１，１，−１，−１，１，１，−１，１，１，１，１，１，−１，１，−１，１，−１，１，１，１，１，−１，−１，−１，−１，−１，−１，１，−１，−１，−１，−１，−１，１，１，−１，１，−１，−１，−１，−１，１，−１，１，１，−１，−１，１，−１，１，−１，−１，１｝である。別の態様では、通信帯域幅は１６０ＭＨｚであり、決定された基本パイロットシーケンスは、第１の基本パイロットシーケンス｛−１，１，１��１，−１，−１，１，１，−１，−１，１，−１，１，−１，１，１，−１，１，−１，１，１，１，１，１，−１，−１，１，１，１，１，１，−１，１，−１，−１，−１，１，−１，１，−１，１，−１，−１，−１，−１，−１，１，−１，−１，１，１，−１，１，１，−１，−１，１，−１，１，１，−１，１，−１，１，−１，−１，−１，−１，１，１，−１，−１，−１，１，−１，１，１，１，−１，−１，１，１，−１，−１，１，−１，１，−１，１，１，−１，１，−１，１，１，１，１，１，−１，−１，１，１，１，１，１，−１，１，−１，−１，−１，１，−１，１，−１，１，−１，−１，−１，−１，−１，１，−１，−１，１，１，−１，１，１，−１，−１，１，−１，１，１，−１，１，−１，１，−１，−１，−１，−１，１，１，−１，−１，−１，１｝または第２の基本パイロットシーケンス｛−１，１，１，１，１，−１，−１，１，１，１，−１，−１，−１，１，１，−１，１，−１，１，１，−１，−１，１，−１，−１，１，１，−１，１，１，１，１，１，−１，１，−１，１，−１，１，１，１，１，−１，−１，−１，−１，−１，−１，１，−１，−１，−１，−１，−１，１，１，−１，１，−１，−１，−１，−１，１，−１，１，１，−１，−１，１，−１，１，−１，−１，１，−１，１，１，１，１，−１，−１，１，１，１，−１，−１，−１，１，１，−１，１，−１，１，１，−１，−１，１，−１，−１，１，１，−１，１，１，１，１，１，−１，１，−１，１，−１，１，１，１，１，−１，−１，−１，−１，−１，−１，１，−１，−１，−１，−１，−１，１，１，−１，１，−１，−１，−１，−１，１，−１，１，１，−１，−１，１，−１，１，−１，−１，１｝である。別の態様では、初期パイロットシーケンスは、少なくとも１つのリソースユニットと関連付けられる名目トーンインデックスの集合に基づいて決定される。別の態様では、パイロットシーケンスは、データシンボルインデックスに基づいて、決定された初期パイロットシーケンスをシフトすることによって決定される。
【０１７３】
[00195]ワイヤレスデバイス１１０２の様々な構成要素はバスシステム１１２６によって一緒に結合され得る。バスシステム１１２６は、たとえば、データバスを含むことがあり、ならびに、データバスに加えて、電力バスと、制御信号バスと、ステータス信号バスとを含むことがある。ワイヤレスデバイス１１０２の構成要素は、何らかの他の機構を使用して、一緒に結合され、または、互いに対する入力を受け入れ、もしくは与え得る。
【０１７４】
[00196]図１１にはいくつかの別個の構成要素が示されているが、これらの構成要素のうちの１つまたは複数は、組み合わされるか、または共通に実装され得る。たとえば、プロセッサ１１０４は、プロセッサ１１０４に関して上記で説明された機能を実装するためだけでなく、信号検出器１１１８、ＤＳＰ１１２０、ユーザインターフェース１１２２、および／またはパイロット決定構成要素１１２４に関して上記で説明された機能を実装するためにも使用され得る。さらに、図１１に示されている構成要素の各々は、複数の別個の要素を使用して実装され得る。
【０１７５】
[00197]図１２は、データ送信のために使用されるべきパイロット信号を決定するための例示的な方法１２００のフローチャートである。方法１２００は、装置（たとえば、ＳＴＡ１１４、ＳＴＡ７０６、または、たとえばワイヤレスデバイス１１０２）を使用して実行され得る。方法１２００は図１１のワイヤレスデバイス１１０２の要素に関して以下で説明されるが、本明細書で説明されるステップのうちの１つまたは複数を実装するために他の構成要素が使用され得る。
【０１７６】
[00198]ブロック１２０５において、装置は、通信のために装置に割り振られる１つまたは複数のリソースユニットを示すメッセージを受信し得る。たとえば、図７を参照すると、ＳＴＡ７０６はＡＰ７０２からトリガフレーム７１４を受信することができ、トリガフレーム７１４は、５２トーンＲＵがワイヤレス通信のためにＳＴＡ７０６に割り振られることを示すことができる。ある態様では、前に論じられたように、ＳＴＡ７０６は、ＩＥＥＥ８０２．１１ａｘ規格などの将来のＩＥＥＥ規格に準拠し得る。
【０１７７】
[00199]ブロック１２１０において、装置は、１つまたは複数のリソースユニットのためのパイロット信号の集合を生成し得る。ある態様では、装置は、１つまたは複数のリソースユニットと関連付けられるパイロットトーン位置を決定することによって、決定されたパイロットトーン位置と関連付けられるパイロットシーケンスを決定することによって、および、決定されたパイロットシーケンスとパイロット極性シーケンスとに基づいて、決定されたパイロットトーン位置に対するパイロット値を決定することによって、パイロット信号の集合を生成し得る。たとえば、図７を参照すると、ＳＴＡ７０６は、５２トーンＲＵに対するパイロット信号の集合を生成し得る。選択肢１では、５２トーンＲＵに対するパイロット信号の集合を生成するために、ＳＴＡ７０６は、５２トーンＲＵと関連付けられるパイロットトーン位置が（−１１６，−１０２，−９０，−７６）であると決定し得る。ＳＴＡ７０６は、決定されたパイロットトーン位置と関連付けられるパイロットシーケンスを決定し得る。式３を使用し、ｎ＝２を仮定して、ＳＴＡ７０６は、パイロットシーケンスが｛１，−１，１，１｝であると決定し得る。ｚ＝４を仮定すると、ｐn+z＝−１である。したがって、パイロット値
【数４１】
0006648254.tif 000052
に基づいて、パイロット信号の生成された集合は｛−１，１，−１，−１｝に等しい。選択肢２では、５２トーンＲＵに対するパイロット信号の集合を生成するために、ＳＴＡ７０６は、５２トーンＲＵと関連付けられるパイロットトーン位置が（−１１６，−１０２，−９０，−７６）であると決定し得る。ＳＴＡ７０６は、決定されたパイロットトーン位置と関連付けられるパイロットシーケンスを決定し得る。ＳＴＡ７０６は、２０ＭＨｚの帯域幅と関連付けられる基本パイロットシーケンスがＰ＝｛ｐi，ｉ＝１，．．．，１８｝＝｛１，１，１，−１，１，１，−１，−１，１，１，−１，１，−１，１，１，１，１，−１｝であると決定し得る。ＳＴＡ７０６は、通信帯域幅、決定された基本パイロットシーケンス、および決定された使用可能なトーンの数に基づいて、初期パイロットシーケンスＰ52,1＝｛ｐi，ｉ＝１，２，３，４｝＝｛１，１，１，−１｝を決定し得る。ｚ＝４を仮定すると、ｐn+z＝−１である。パイロット値は、式
【数４２】
0006648254.tif 000053
に基づいて決定され得る。ＳＴＡ７０６は、パイロットシーケンス｛１，１，１，−１｝をパイロット極性シーケンスと関連付けられる値と乗算することができ、これはパイロット信号の生成された集合｛−１，−１，−１，１｝を生む。選択肢３では、５２トーンＲＵに対するパイロット信号の集合を生成するために、ＳＴＡ７０６は、５２トーンＲＵと関連付けられるパイロットトーン位置が（−１１６，−１０２，−９０，−７６）であると決定し得る。ＳＴＡ７０６は、決定されたパイロットトーン位置と関連付けられるパイロットシーケンスを決定し得る。ＳＴＡ７０６は、２０ＭＨｚの帯域幅と関連付けられる基本パイロットシーケンスがＰ＝｛ｐｉ，ｉ＝１，．．．，１８｝＝｛１，−１，１，１，−１，−１，−１，１，１，１，１，−１，−１，−１，−１，−１，１，−１｝であると決定し得る。ＳＴＡ７０６は、通信帯域幅、決定された基本パイロットシーケンス、および決定された使用可能なトーンの数に基づいて、初期パイロットシーケンスＰ52,1＝｛ｐi，ｉ＝１，２，３，４｝＝｛１，−１，１，１｝を決定し得る。ｚ＝４を仮定すると、ｐn+z＝−１である。パイロット値は、式
【数４３】
0006648254.tif 000054
に基づいて決定され得る。ＳＴＡ７０６は、パイロットシーケンス｛１，−１，１，１｝をパイロット極性シーケンスと関連付けられる値と乗算することができ、これはパイロット信号の生成された集合｛−１，１，−１，−１｝を生む。前述の説明では、ＳＴＡ７０６は、ＩＥＥＥ８０２．１１ａｘ規格などの将来のＩＥＥＥ８０２．１１規格に従ってパイロット信号の集合を生成する。
【０１７８】
[00200]ブロック１２１５において、装置は、１つまたは複数のリソースユニットにおいてデータとパイロット信号の生成された集合とを送信し得る。たとえば、図７を参照すると、ＳＴＡ７０６はフレーム７１６を送信することがあり、フレーム７１６は、選択肢１または２に従って生成されるデータとパイロット信号の集合とを含む、５２トーンＲＵを伴うシンボルを含むことがある。
【０１７９】
[00201]図１３は、データ送信のために使用されるべきパイロット信号を決定するための例示的なワイヤレス通信デバイス１３００の機能ブロック図である。ワイヤレス通信デバイス１３００は、受信機１３０５と、処理システム１３１０と、送信機１３１５とを含み得る。処理システム１３１０は、パイロット決定構成要素１３２４を含み得る。受信機１３０５、パイロット決定構成要素１３２４、および／または処理システム１３１０は、通信のためにワイヤレス通信デバイス１３００に割り振られる１つまたは複数のリソースユニットを示すメッセージを受信するように構成され得る。パイロット決定構成要素１３２４および／または処理システム１３１０は、１つまたは複数のリソースユニットのためのパイロット信号の集合を生成するように構成され得る。送信機１３１５、パイロット決定構成要素１３２４、および／または処理システム１３１０は、１つまたは複数のリソースユニットにおいてデータとパイロット信号の生成された集合とを送信するように構成され得る。ある態様では、メッセージは、トーンインデックスの集合、識別子、リソースユニットごとの使用可能なトーンの数を示すリソースユニットサイズ、通信帯域幅、またはデータシンボル情報のうちの少なくとも１つを含む、割振り情報を含む。一構成では、パイロット決定構成要素１３２４および／または処理システム１３１０は、１つまたは複数のリソースユニットと関連付けられるパイロットトーン位置を決定することによって、決定されたパイロットトーン位置と関連付けられるパイロットシーケンスを決定することによって、および、決定されたパイロットシーケンスとパイロット極性シーケンスとに基づいて、決定されたパイロットトーン位置に対するパイロット値を決定することによって、パイロット信号の集合を生成するように構成され得る。ある態様では、パイロットシーケンスは、データシンボルインデックスに基づいて初期パイロットシーケンスをシフトすることによって決定される。別の態様では、１つまたは複数のリソースユニットの各リソースユニットは、２６個の使用可能なトーンと２つのパイロットトーン位置とを有し、パイロットシーケンスは、初期パイロットシーケンス｛１，−１｝に基づいて決定される。別の態様では、１つまたは複数のリソースユニットの各リソースユニットは、５２個の使用可能なトーンまたは１０６個の使用可能なトーンを有し、４つのパイロットトーン位置を有し、パイロットシーケンスは、初期パイロットシーケンス｛１，１，１，−１｝に基づいて決定される。別の態様では、１つまたは複数のリソースユニットの各リソースユニットは、２４２個の使用可能なトーンを有し、８つのパイロットトーン位置を有し、パイロットシーケンスは、初期パイロットシーケンス｛１，１，１，−１，−１，１，１，１｝に基づいて決定される。別の態様では、１つまたは複数のリソースユニットの各リソースユニットは、４８４個の使用可能なトーンまたは９９６個の使用可能なトーンを有し、１６個のパイロットトーン位置を有し、パイロットシーケンスは、初期パイロットシーケンス｛１，１，１，−１，−１，１，１，１，１，１，１，−１，−１，１，１，１｝に基づいて決定され��。別の態様では、１つまたは複数のリソースユニットの各リソースユニットは、１９９２個の使用可能なトーンと３２個のパイロットトーン位置とを有し、パイロットシーケンスは、初期パイロットシーケンス｛１，１，１，−１，−１，１，１，１，１，１，１，−１，−１，１，１，１，１，１，１，−１，−１，１，１，１，１，１，１，−１，−１，１，１，１｝に基づいて決定される。別の態様では、パイロット決定構成要素１３２４および／または処理システム１３１０は、プリアンブルのＳＩＧフィールドの中のシンボルの数に基づいて、パイロット信号の集合を生成するように構成され得る。別の構成では、パイロット決定構成要素１３２４および／または処理システム１３１０は、通信帯域幅を決定することによって、決定された通信帯域幅と関連付けられる基本パイロットシーケンスを決定することによって、少なくとも１つのリソースユニットにおいて使用可能なトーンの数を決定することによって、ならびに、通信帯域幅、決定された基本パイロットシーケンス、および使用可能なトーンの決定された数に基づいて初期パイロットシーケンスを決定することによって、パイロットシーケンスを決定するように構成され得る。別の態様では、少なくとも１つのリソースユニットにおけるパイロット信号の生成された集合は、通信帯域幅、決定されたパイロットトーン位置、および決定されたパイロット値に基づく。別の態様では、通信帯域幅は２０ＭＨｚであり、決定された基本パイロットシーケンスは、第１の基本パイロットシーケンス｛１，１，１，−１，１，１，−１，−１，１，１，−１，１，−１，１，１，１，１，−１｝または第２の基本パイロットシーケンス｛１，−１，−１，−１，−１，１，−１，１，−１，−１，１，１，−１，−１，１，−１，−１，−１｝である。別の態様では、通信帯域幅は４０ＭＨｚであり、決定された基本パイロットシーケンスは、第１の基本パイロットシーケンス｛１，−１，１，−１，−１，１，−１，１，−１，１，−１，−１，−１，１，−１，１，１，１，１，−１，−１，−１，−１，−１，−１，１，−１，−１，−１，−１，１，１，−１，−１，１，１｝または第２の基本パイロットシーケンス｛１，１，−１，−１，１，１，−１，−１，−１，−１，１，−１，−１，−１，−１，−１，−１，１，１，１，１，−１，１，−１，−１，−１，１，−１，１，−１，１，−１，−１，１，−１，１｝である。別の態様では、通信帯域幅は８０ＭＨｚであり、決定された基本パイロットシーケンスは、第１の基本パイロットシーケンス｛−１，１，１，１，−１，−１，１，１，−１，−１，１，−１，１，−１，１，１，−１，１，−１，１，１，１，１，１，−１，−１，１，１，１，１，１，−１，１，−１，−１，−１，１，−１，１，−１，１，−１，−１，−１，−１，−１，１，−１，−１，１，１，−１，１，１，−１，−１，１，−１，１，１，−１，１，−１，１，−１，−１，−１，−１，１，１，−１，−１，−１，１｝または第２の基本パイロットシーケンス｛−１，１，１，１，１，−１，−１，１，１，１，−１，−１，−１，１，１，−１，１，−１，１，１，−１，−１，１，−１，−１，１，１��−１，１，１，１，１，１，−１，１，−１，１，−１，１，１，１，１，−１，−１，−１，−１，−１，−１，１，−１，−１，−１，−１，−１，１，１，−１，１，−１，−１，−１，−１，１，−１，１，１，−１，−１，１，−１，１，−１，−１，１｝である。別の態様では、通信帯域幅は１６０ＭＨｚであり、決定された基本パイロットシーケンスは、第１の基本パイロットシーケンス｛−１，１，１，１，−１，−１，１，１，−１，−１，１，−１，１，−１，１，１，−１，１，−１，１，１，１，１，１，−１，−１，１，１，１，１，１，−１，１，−１，−１，−１，１，−１，１，−１，１，−１，−１，−１，−１，−１，１，−１，−１，１，１，−１，１，１，−１，−１，１，−１，１，１，−１，１，−１，１，−１，−１，−１，−１，１，１，−１，−１，−１，１，−１，１，１，１，−１，−１，１，１，−１，−１，１，−１，１，−１，１，１，−１，１，−１，１，１，１，１，１，−１，−１，１，１，１，１，１，−１，１，−１，−１，−１，１，−１，１，−１，１，−１，−１，−１，−１，−１，１，−１，−１，１，１，−１，１，１，−１，−１，１，−１，１，１，−１，１，−１，１，−１，−１，−１，−１，１，１，−１，−１，−１，１｝または第２の基本パイロットシーケンス｛−１，１，１，１，１，−１，−１，１，１，１，−１，−１，−１，１，１，−１，１，−１，１，１，−１，−１，１，−１，−１，１，１，−１，１，１，１，１，１，−１，１，−１，１，−１，１，１，１，１，−１，−１，−１，−１，−１，−１，１，−１，−１，−１，−１，−１，１，１，−１，１，−１，−１，−１，−１，１，−１，１，１，−１，−１，１，−１，１，−１，−１，１，−１，１，１，１，１，−１，−１，１，１，１，−１，−１，−１，１，１，−１，１，−１，１，１，−１，−１，１，−１，−１，１，１，−１，１，１，１，１，１，−１，１，−１，１，−１，１，１，１，１，−１，−１，−１，−１，−１，−１，１，−１，−１，−１，−１，−１，１，１，−１，１，−１，−１，−１，−１，１，−１，１，１，−１，−１，１，−１，１，−１，−１，１｝である。別の態様では、初期パイロットシーケンスは、少なくとも１つのリソースユニットと関連付けられる名目トーンインデックスの集合に基づいて決定される。別の態様では、パイロットシーケンスは、データシンボルインデックスに基づいて、決定された初期パイロットシーケンスをシフトすることによって決定される。
【０１８０】
[00202]受信機１３０５、処理システム１３１０、パイロット決定構成要素１３２４、および／または送信機１３１５は、図１２のブロック１２０５、１２１０、および１２１５に関して上記で論じられた１つまたは複数の機能を実行するように構成され得る。受信機１３０５は受信機１１１２に対応し得る。処理システム１３１０はプロセッサ１１０４に対応し得る。送信機１３１５は送信機１１１０に対応し得る。パイロット決定構成要素１３２４は、パイロット決定構成要素１２６および／またはパイロット決定構成要素１１２４に対応し得る。
【０１８１】
[00203]一構成では、ワイヤレス通信デバイス１３００は、通信のためにワイヤレス通信デバイス１３００に割り振られる１つまたは複数のリソースユニットを示すメッセージを受信するための手段を含み得る。ワイヤレス通信デバイス１３００は、１つまたは複数のリソースユニットのためのパイロット信号の集合を生成するための手段を含み得る。ワイヤレス通信デバイス１３００は、１つまたは複数のリソースユニットにおいてデータとパイロット信号の生成された集合とを送信するための手段を含み得る。ある態様では、メッセージは、トーンインデックスの集合、識別子、リソースユニットごとの使用可能なトーンの数を示すリソースユニットサイズ、通信帯域幅、またはデータシンボル情報のうちの少なくとも１つを含む、割振り情報を含む。一構成では、パイロット信号の集合を生成するための手段は、１つまたは複数のリソースユニットと関連付けられるパイロットトーン位置を決定し、決定されたパイロットトーン位置と関連付けられるパイロットシーケンスを決定し、決定されたパイロットシーケンスおよびパイロット極性シーケンスに基づいて、決定されたパイロットトーン位置に対するパイロット値を決定するように構成され得る。ある態様では、パイロットシーケンスは、データシンボルインデックスに基づいて初期パイロットシーケンスをシフトすることによって決定される。別の態様では、１つまたは複数のリソースユニットの各リソースユニットは、２６個の使用可能なトーンと２つのパイロットトーン位置とを有し、パイロットシーケンスは、初期パイロットシーケンス｛１，−１｝に基づいて決定される。別の態様では、１つまたは複数のリソースユニットの各リソースユニットは、５２個の使用可能なトーンまたは１０６個の使用可能なトーンを有し、４つのパイロットトーン位置を有し、パイロットシーケンスは、初期パイロットシーケンス｛１，１，１，−１｝に基づいて決定される。別の態様では、１つまたは複数のリソースユニットの各リソースユニットは、２４２個の使用可能なトーンを有し、８つのパイロットトーン位置を有し、パイロットシーケンスは、初期パイロットシーケンス｛１，１，１，−１，−１，１，１，１｝に基づいて決定される。別の態様では、１つまたは複数のリソースユニットの各リソースユニットは、４８４個の使用可能なトーンまたは９９６個の使用可能なトーンを有し、１６個のパイロットトーン位置を有し、パイロットシーケンスは、初期パイロットシーケンス｛１，１，１，−１，−１，１，１，１，１，１，１，−１，−１，１，１，１｝に基づいて決定される。別の態様では、１つまたは複数のリソースユニットの各リソースユニットは、１９９２個の使用可能なトーンと３２個のパイロットトーン位置とを有し、パイロットシーケンスは、初期パイロットシーケンス｛１，１，１，−１，−１，１，１，１，１，１，１，−１，−１，１，１，１，１，１，１，−１，−１，１，１，１，１，１，１，−１，−１，１，１，１｝に基づいて決定される。別の態様では、パイロット信号の集合は、プリアンブルのＳＩＧフィールドの中のシンボルの数に基づいて生成される。別の構成では、パイロットシーケンスを決定するための手段は、通��帯域幅を決定し、決定された通信帯域幅と関連付けられる基本パイロットシーケンスを決定し、少なくとも１つのリソースユニットにおいて使用可能なトーンの数を決定し、通信帯域幅、決定された基本パイロットシーケンス、および使用可能なトーンの決定された数に基づいて初期パイロットシーケンスを決定するように構成され得る。別の態様では、少なくとも１つのリソースユニットにおけるパイロット信号の生成された集合は、通信帯域幅、決定されたパイロットトーン位置、および決定されたパイロット値に基づく。別の態様では、通信帯域幅は２０ＭＨｚであり、決定された基本パイロットシーケンスは、第１の基本パイロットシーケンス｛１，１，１，−１，１，１，−１，−１，１，１，−１，１，−１，１，１，１，１，−１｝または第２の基本パイロットシーケンス｛１，−１，−１，−１，−１，１，−１，１，−１，−１，１，１，−１，−１，１，−１，−１，−１｝である。別の態様では、通信帯域幅は４０ＭＨｚであり、決定された基本パイロットシーケンスは、第１の基本パイロットシーケンス｛１，−１，１，−１，−１，１，−１，１，−１，１，−１，−１，−１，１，−１，１，１，１，１，−１，−１，−１，−１，−１，−１，１，−１，−１，−１，−１，１，１，−１，−１，１，１｝または第２の基本パイロットシーケンス｛１，１，−１，−１，１，１，−１，−１，−１，−１，１，−１，−１，−１，−１，−１，−１，１，１，１，１，−１，１，−１，−１，−１，１，−１，１，−１，１，−１，−１，１，−１，１｝である。別の態様では、通信帯域幅は８０ＭＨｚであり、決定された基本パイロットシーケンスは、第１の基本パイロットシーケンス｛−１，１，１，１，−１，−１，１，１，−１，−１，１，−１，１，−１，１，１，−１，１，−１，１，１，１，１，１，−１，−１，１，１，１，１，１，−１，１，−１，−１，−１，１，−１，１，−１，１，−１，−１，−１，−１，−１，１，−１，−１，１，１，−１，１，１，−１，−１，１，−１，１，１，−１，１，−１，１，−１，−１，−１，−１，１，１，−１，−１，−１，１｝または第２の基本パイロットシーケンス｛−１，１，１，１，１，−１，−１，１，１，１，−１，−１，−１，１，１，−１，１，−１，１，１，−１，−１，１，−１，−１，１，１，−１，１，１，１，１，１，−１，１，−１，１，−１，１，１，１，１，−１，−１，−１，−１，−１，−１，１，−１，−１，−１，−１，−１，１，１，−１，１，−１，−１，−１，−１，１，−１，１，１，−１，−１，１，−１，１，−１，−１，１｝である。別の態様では、通信帯域幅は１６０ＭＨｚであり、決定された基本パイロットシーケンスは、第１の基本パイロットシーケンス｛−１，１，１，１，−１，−１，１，１，−１，−１，１，−１，１，−１，１，１，−１，１，−１，１，１，１，１，１，−１，−１，１，１，１，１，１，−１，１，−１，−１，−１，１，−１，１，−１，１，−１，−１，−１，−１，−１，１，−１，−１，１，１，−１，１，１，−１，−１，１，−１，１，１，−１，１，−１，１，−１，−１，−１，−１，１，１，−１，−１，−１��１，−１，１，１，１，−１，−１，１，１，−１，−１，１，−１，１，−１，１，１，−１，１，−１，１，１，１，１，１，−１，−１，１，１，１，１，１，−１，１，−１，−１，−１，１，−１，１，−１，１，−１，−１，−１，−１，−１，１，−１，−１，１，１，−１，１，１，−１，−１，１，−１，１，１，−１，１，−１，１，−１，−１，−１，−１，１，１，−１，−１，−１，１｝または第２の基本パイロットシーケンス｛−１，１，１，１，１，−１，−１，１，１，１，−１，−１，−１，１，１，−１，１，−１，１，１，−１，−１，１，−１，−１，１，１，−１，１，１，１，１，１，−１，１，−１，１，−１，１，１，１，１，−１，−１，−１，−１，−１，−１，１，−１，−１，−１，−１，−１，１，１，−１，１，−１，−１，−１，−１，１，−１，１，１，−１，−１，１，−１，１，−１，−１，１，−１，１，１，１，１，−１，−１，１，１，１，−１，−１，−１，１，１，−１，１，−１，１，１，−１，−１，１，−１，−１，１，１，−１，１，１，１，１，１，−１，１，−１，１，−１，１，１，１，１，−１，−１，−１，−１，−１，−１，１，−１，−１，−１，−１，−１，１，１，−１，１，−１，−１，−１，−１，１，−１，１，１，−１，−１，１，−１，１，−１，−１，１｝である。別の態様では、初期パイロットシーケンスは、少なくとも１つのリソースユニットと関連付けられる名目トーンインデックスの集合に基づいて決定される。別の態様では、パイロットシーケンスは、データシンボルインデックスに基づいて、決定された初期パイロットシーケンスをシフトすることによって決定される。
【０１８２】
[00204]たとえば、メッセージを受信するための手段は、受信機１３０５、処理システム１３１０、および／またはパイロット決定構成要素１３２４を含み得る。パイロット信号の集合を生成するための手段は、処理システム１３１０および／またはパイロット決定構成要素１３２４を含み得る。データを送信するための手段は、送信機１３１５、処理システム１３１０、および／またはパイロット決定構成要素１３２４を含み得る。
【０１８３】
[00205]上記で説明された方法の様々な動作は、様々なハードウェアおよび／またはソフトウェア構成要素、回路、および／またはモジュールなどの、それらの動作を実行することが可能な任意の好適な手段によって実行され得る。一般に、図に示されるいずれの動作も、その動作を実行することが可能な対応する機能的手段によって実行され得る。
【０１８４】
[00206]本開示に関して説明された様々な例示的な論理ブロック、構成要素、および回路は、汎用プロセッサ、ＤＳＰ、ＡＳＩＣ、ＦＰＧＡ、または他のＰＬＤ、個別ゲートもしくはトランジスタ論理、個別ハードウェア構成要素、または本明細書で説明された機能を実行するように設計されたそれらの任意の組合せを用いて実装または実行され得る。汎用プロセッサはマイクロプロセッサであり得るが、代替として、プロセッサは、任意の市販のプロセッサ、コントローラ、マイクロコントローラまたは状態機械であり得る。プロセッサはまた、コンピューティングデバイスの組合せ、たとえば、ＤＳＰとマイクロプロセッサの組合せ、複数のマイクロプロセッサ、ＤＳＰコアと連携する１つまたは複数のマイクロプロセッサ、または任意の他のそのような構成として実装され得る。
【０１８５】
[00207]１つまたは複数の態様では、説明される機能は、ハードウェア、ソフトウェア、ファームウェア、またはその任意の組合せで実装され得る。ソフトウェアで実装される場合、それらの機能は、１つまたは複数の命令またはコードとして、コンピュータ可読媒体上に記憶され、またはコンピュータ可読媒体を介して送信され得る。コンピュータ可読媒体は、ある場所から別の場所へのコンピュータプログラムの転送を可能にする任意の媒体を含む通信媒体と、コンピュータ記憶媒体との両方を含む。記憶媒体は、コンピュータによってアクセスされ得る任意の利用可能な媒体であり得る。限定ではなく例として、そのようなコンピュータ可読媒体は、ＲＡＭ、ＲＯＭ、ＥＥＰＲＯＭ（登録商標）、コンパクトディスク（ＣＤ）ＲＯＭ（ＣＤ−ＲＯＭ）もしくは他の光ディスクストレージ、磁気ディスクストレージもしくは他の磁気ストレージデバイス、または、命令もしくはデータ構造の形態の所望のプログラムコードを搬送または記憶するために使用されコンピュータによってアクセスされ得る、任意の他の媒体を備えることができる。また、いかなる接続もコンピュータ可読媒体と適切に呼ばれる。たとえば、ソフトウェアが、同軸ケーブル、光ファイバーケーブル、ツイストペア、デジタル加入者回線（ＤＳＬ）、または赤外線、無線、およびマイクロ波などのワイヤレス技術を使用してウェブサイト、サーバ、または他のリモートソースから送信される場合、同軸ケーブル、光ファイバーケーブル、ツイストペア、ＤＳＬ、または赤外線、無線、およびマイクロ波などのワイヤレス技術は、媒体の定義に含まれる。本明細書で使用されるディスク（disk）およびディスク（disc）は、ＣＤ、レーザーディスク（登録商標）（disc）、光ディスク（disc）、デジタル多用途ディスク（disc）（ＤＶＤ）、フロッピー（登録商標）ディスク（disk）およびＢｌｕ−ｒａｙ（登録商標）ディスク（disc）を含み、ここで、ディスク（disk）は、通常、データを磁気的に再生し、ディスク（disc）は、データをレーザーで光学的に再生する。したがって、コンピュータ可読媒体は非一時的コンピュータ可読媒体（たとえば、有形媒体）を備える。
【０１８６】
[00208]本明細書で開示された方法は、説明された方法を達成するための１つまたは複数のステップまたはアクションを備える。方法のステップおよび／またはアクションは、特許請求の範囲から逸脱することなく、互いに交換され得る。言い換えれば、ステップまたはアクションの特定の順序が指定されていない限り、特定のステップおよび／またはアクションの順序および／または使用は、特許請求の範囲から逸脱することなく、変更され得る。
【０１８７】
[00209]したがって、いくつかの態様は、本明細書で提示される動作を実行するためのコンピュータプログラム製品を備え得る。たとえば、そのようなコンピュータプログラム製品は、本明細書で説明された動作を実行するために１つまたは複数のプロセッサによって実行可能である命令を記憶した（および／または符号化した）コンピュータ可読媒体を備え得る。いくつかの態様では、コンピュータプログラム製品はパッケージング材料を含み得る。
【０１８８】
[00210]さらに、本明細書で説明された方法および技法を実行するための構成要素および／または他の適切な手段は、適宜、ユーザ端末および／または基地局によってダウンロードされ、および／または他の方法で取得され得ることを諒解されたい。たとえば、そのようなデバイスは、本明細書で説明された方法を実行するための手段の転送を可能にするためにサーバに結合され得る。代替的に、本明細書で説明された様々な方法は、ユーザ端末および／または基地局が記憶手段（たとえば、ＲＡＭ、ＲＯＭ、ＣＤまたはフロッピーディスクなどの物理記憶媒体など）をデバイスに結合するかまたは与えると、様々な方法を得ることができるように、記憶手段を介して提供され得る。その上、本明細書で説明された方法および技法をデバイスに与えるための任意の他の好適な技法が利用され得る。
【０１８９】
[00211]特許請求の範囲は、上記で示された厳密な構成および構成要素に限定されないことを理解されたい。上記で説明された方法および装置の構成、動作および詳細において、特許請求の範囲から逸脱することなく、様々な修正、変更および変形が行われ得る。
【０１９０】
[00212]上記は本開示の態様を対象とするが、本開示の他の態様およびさらなる態様は、それらの基本的範囲から逸脱することなく考案されることが可能であり、それらの範囲は以下の特許請求の範囲によって決定される。
【０１９１】
[00213]以上の説明は、本明細書で説明された様々な態様を、いずれの当業者も実践できるようにするために与えられる。これらの態様に対する様々な修正は当業者には容易に明らかであり、本明細書で定義された一般原理は他の態様に適用されることがある。したがって、特許請求の範囲は、本明細書に示された態様に限定されるものではなく、クレーム文言に矛盾しない全範囲を与えられるべきであり、単数形の要素への言及は、そのように明記されていない限り、「唯一無二の」を意味するものではなく、「１つまたは複数の」を意味するものである。別段に明記されていない限り、「いくつかの」という用語は１つまたは複数を指す。当業者に知られているか、または後で知られることになる、本開示全体にわたって説明される様々な態様の要素に対するすべての構造的等価物および機能的等価物は、参照により本明細書に明確に組み込まれ、特許請求の範囲によって包含されることが意図される。その上、本明細書で開示されるいかなることも、そのような開示が特許請求の範囲に明示的に列挙されているかどうかにかかわらず、公に供するものではない。いかなるクレーム要素も、その要素が「ための手段」という句を使用して明確に列挙されていない限り、または方法クレームの場合には、その要素が「ためのステップ」という句を使用して列挙されていない限り、米国特許法第１１２条（ｆ）の規定の下で解釈されるべきではない。
以下に本願の出願当初の特許請求の範囲に記載された発明を付記する。
［Ｃ１］
アクセスポイントのためのワイヤレス通信の方法であって、
通信のための複数のリソースユニットを決定することと、
前記複数のリソースユニットのうちの少なくとも１つのリソースユニットにおいてパイロット信号の集合を生成することと、
前記複数のリソースユニットのうちの前記少なくとも１つのリソースユニットにおいてパイロット信号の前記生成された集合を送信することと
を備える、方法。
［Ｃ２］
通信のための前記複数のリソースユニットを前記決定することが、
通信帯域幅を決定することと、
前記決定された通信帯域幅に基づいてリソースユニットごとの使用可能なトーンの数を決定することとを備える、Ｃ１に記載の方法。
［Ｃ３］
前記少なくとも１つのリソースユニットにおいてパイロット信号の前記集合を前記生成することが、
前記少なくとも１つのリソースユニットと関連付けられるパイロットトーン位置を決定することと、
前記決定されたパイロットトーン位置と関連付けられるパイロットシーケンスを決定することと、
前記決定されたパイロットシーケンスおよびパイロット極性シーケンスに基づいて、前記決定されたパイロットトーン位置に対するパイロット値を決定することとを備える、Ｃ１に記載の方法。
［Ｃ４］
前記パイロットシーケンスが、データシンボルインデックスに基づいて初期パイロットシーケンスをシフトすることによって決定される、Ｃ３に記載の方法。
［Ｃ５］
前記複数のリソースユニットのうちの前記少なくとも１つのリソースユニットが、２６個の使用可能なトーンと２つのパイロットトーン位置とを有し、前記パイロットシーケンスが、初期パイロットシーケンス｛１，−１｝に基づいて決定される、Ｃ３に記載の方法。
［Ｃ６］
前記複数のリソースユニットのうちの前記少なくとも１つのリソースユニットが、５２個の使用可能なトーンまたは１０６個の使用可能なトーンを有し、４つのパイロットトーン位置を有し、前記パイロットシーケンスが、初期パイロットシーケンス｛１，１，１，−１｝に基づいて決定される、Ｃ３に記載の方法。
［Ｃ７］
前記複数のリソースユニットのうちの前記少なくとも１つのリソースユニットが、２４２個の使用可能なトーンを有し、８つのパイロットトーン位置を有し、前記パイロットシーケンスが、初期パイロットシーケンス｛１，１，１，−１，−１，１，１，１｝に基づいて決定される、Ｃ３に記載の方法。
［Ｃ８］
前記複数のリソースユニットのうちの前記少なくとも１つのリソースユニットが、４８４個の使用可能なトーンまたは９９６個の使用可能なトーンを有し、１６個のパイロットトーン位置を有し、前記パイロットシーケンスが、初期パイロットシーケンス｛１，１，１，−１，−１，１，１，１，１，１，１，−１，−１，１，１，１｝に基づいて決定される、Ｃ３に記載の方法。
［Ｃ９］
前記複数のリソースユニットのうちの前記少なくとも１つのリソースユニットが、１９９２個の使用可能なトーンと３２個のパイロットトーン位置とを有し、前記パイロットシーケンスが、初期パイロットシーケンス｛１，１，１，−１，−１，１，１，１，１，１，１，−１，−１，１，１，１，１，１，１，−１，−１，１，１，１，１，１，１，−１，−１，１，１，１｝に基づいて決定される、Ｃ３に記載の方法。
［Ｃ１０］
パイロット信号の前記生成された集合が、プリアンブルの信号（ＳＩＧ）フィールドの中のシンボルの数に基づく、Ｃ３に記載の方法。
［Ｃ１１］
ワイヤレス通信のための装置であって、
メモリと、
前記メモリに結合される少なくとも１つのプロセッサとを備え、前記少なくとも１つのプロセッサが、
通信のための複数のリソースユニットを決定し、
前記複数のリソースユニットのうちの少なくとも１つのリソースユニットにおいてパイロット信号の集合を生成し、
前記複数のリソースユニットのうちの前記少なくとも１つのリソースユニットにおいてパイロット信号の前記生成された集合を送信する
ように構成される、装置。
［Ｃ１２］
前記少なくとも１つのプロセッサが、
通信帯域幅を決定すること、および、
前記決定された通信帯域幅に基づいてリソースユニットごとの使用可能なトーンの数を決定すること
によって、通信のための前記複数のリソースユニットを決定するように構成される、Ｃ１１に記載の装置。
［Ｃ１３］
前記少なくとも１つのプロセッサが、
前記少なくとも１つのリソースユニットと関連付けられるパイロットトーン位置を決定すること、
前記決定されたパイロットトーン位置と関連付けられるパイロットシーケンスを決定すること、および、
前記決定されたパイロットシーケンスとパイロット極性シーケンスとに基づいて、前記決定されたパイロットトーン位置に対するパイロット値を決定すること
によって、前記少なくとも１つのリソースユニットにおいてパイロット信号の前記集合を生成するように構成される、Ｃ１１に記載の装置。
［Ｃ１４］
前記パイロットシーケンスが、データシンボルインデックスに基づいて初期パイロットシーケンスをシフトすることによって決定される、Ｃ１３に記載の装置。
［Ｃ１５］
前記複数のリソースユニットのうちの前記少なくとも１つのリソースユニットが、２６個の使用可能なトーンと２つのパイロットトーン位置とを有し、前記パイロットシーケンスが、初期パイロットシーケンス｛１，−１｝に基づいて決定される、Ｃ１３に記載の装置。
［Ｃ１６］
前記複数のリソースユニットのうちの前記少なくとも１つのリソースユニットが、５２個の使用可能なトーンまたは１０６個の使用可能なトーンを有し、４つのパイロットトーン位置を有し、前記パイロットシーケンスが、初期パイロットシーケンス｛１，１，１，−１｝に基づいて決定される、Ｃ１３に記載の装置。
［Ｃ１７］
前記複数のリソースユニットのうちの前記少なくとも１つのリソースユニットが、２４２個の使用可能なトーンを有し、８つのパイロットトーン位置を有し、前記パイロットシーケンスが、初期パイロットシーケンス｛１，１，１，−１，−１，１，１，１｝に基づいて決定される、Ｃ１３に記載の装置。
［Ｃ１８］
前記複数のリソースユニットのうちの前記少なくとも１つのリソースユニットが、４８４個の使用可能なトーンまたは９９６個の使用可能なトーンを有し、１６個のパイロットトーン位置を有し、前記パイロットシーケンスが、初期パイロットシーケンス｛１，１，１，−１，−１，１，１，１，１，１，１，−１，−１，１，１，１｝に基づいて決定される、Ｃ１３に記載の装置。
［Ｃ１９］
前記複数のリソースユニットのうちの前記少なくとも１つのリソースユニットが、１９９２個の使用可能なトーンと３２個のパイロットトーン位置とを有し、前記パイロットシーケンスが、初期パイロットシーケンス｛１，１，１，−１，−１，１，１，１，１，１，１，−１，−１，１，１，１，１，１，１，−１，−１，１，１，１，１，１，１，−１，−１，１，１，１｝に基づいて決定される、Ｃ１３に記載の装置。
［Ｃ２０］
パイロット信号の前記集合が、プリアンブルの信号（ＳＩＧ）フィールドの中のシンボルの数に基づいて生成される、Ｃ１３に記載の装置。
［Ｃ２１］
局のためのワイヤレス通信の方法であって、
通信のために前記局に割り振られる１つまたは複数のリソースユニットを示すメッセージを受信することと、
前記受信されたメッセージに基づいて、前記１つまたは複数のリソースユニットに対するパイロット信号の集合を生成することと、
前記１つまたは複数のリソースユニットにおいてデータとパイロット信号の前記生成された集合とを送信することと
を備える、方法。
［Ｃ２２］
前記メッセージが、トーンインデックスの集合、識別子、リソースユニットごとの使用可能なトーンの数を示すリソースユニットサイズ、通信帯域幅、またはデータシンボル情報のうちの少なくとも１つを備える割振り情報を含む、Ｃ２１に記載の方法。
［Ｃ２３］
パイロット信号の前記集合を前記生成することが、
前記１つまたは複数のリソースユニットと関連付けられるパイロットトーン位置を決定することと、
前記決定されたパイロットトーン位置と関連付けられるパイロットシーケンスを決定することと、
前記決定されたパイロットシーケンスおよびパイロット極性シーケンスに基づいて、前記決定されたパイロットトーン位置に対するパイロット値を決定することとを備える、Ｃ２１に記載の方法。
［Ｃ２４］
前記パイロットシーケンスが、データシンボルインデックスに基づいて初期パイロットシーケンスをシフトすることによって決定される、Ｃ２３に記載の方法。
［Ｃ２５］
前記１つまたは複数のリソースユニットの各リソースユニットが、２６個の使用可能なトーンと２つのパイロットトーン位置とを有し、前記パイロットシーケンスが、初期パイロットシーケンス｛１，−１｝に基づいて決定される、Ｃ２３に記載の方法。
［Ｃ２６］
前記１つまたは複数のリソースユニットの各リソースユニットが、５２個の使用可能なトーンまたは１０６個の使用可能なトーンを有し、４つのパイロットトーン位置を有し、前記パイロットシーケンスが、初期パイロットシーケンス｛１，１，１，−１｝に基づいて決定される、Ｃ２３に記載の方法。
［Ｃ２７］
前記１つまたは複数のリソースユニットの各リソースユニットが、２４２個の使用可能なトーンを有し、８つのパイロットトーン位置を有し、前記パイロットシーケンスが、初期パイロットシーケンス｛１，１，１，−１，−１，１，１，１｝に基づいて決定される、Ｃ２３に記載の方法。
［Ｃ２８］
前記１つまたは複数のリソースユニットの各リソースユニットが、４８４個の使用可能なトーンまたは９９６個の使用可能なトーンを有し、１６個のパイロットトーン位置を有し、前記パイロットシーケンスが、初期パイロットシーケンス｛１，１，１，−１，−１，１，１，１，１，１，１，−１，−１，１，１，１｝に基づいて決定される、Ｃ２３に記載の方法。
［Ｃ２９］
前記１つまたは複数のリソースユニットの各リソースユニットが、１９９２個の使用可能なトーンと３２個のパイロットトーン位置とを有し、前記パイロットシーケンスが、初期パイロットシーケンス｛１，１，１，−１，−１，１，１，１，１，１，１，−１，−１，１，１，１，１，１，１，−１，−１，１，１，１，１，１，１，−１，−１，１，１，１｝に基づいて決定される、Ｃ２３に記載の方法。
［Ｃ３０］
パイロット信号の前記生成された集合が、プリアンブルの信号（ＳＩＧ）フィールドの中のシンボルの数に基づく、Ｃ２３に記載の方法。
［Ｃ３１］
ワイヤレス通信のための装置であって、前記装置が局であり、
メモリと、
前記メモリに結合される少なくとも１つのプロセッサとを備え、前記少なくとも１つのプロセッサが、
通信のために前記局に割り振られる１つまたは複数のリソースユニットを示すメッセージを受信し、
前記受信されたメッセージに基づいて、前記１つまたは複数のリソースユニットに対するパイロット信号の集合を生成し、
前記１つまたは複数のリソースユニットにおいてデータとパイロット信号の前記生成された集合とを送信する
ように構成される、装置。
［Ｃ３２］
前記メッセージが、トーンインデックスの集合、識別子、リソースユニットごとの使用可能なトーンの数を示すリソースユニットサイズ、通信帯域幅、またはデータシンボル情報のうちの少なくとも１つを備える割振り情報を含む、Ｃ３１に記載の装置。
［Ｃ３３］
前記少なくとも１つのプロセッサが、
前記１つまたは複数のリソースユニットと関連付けられるパイロットトーン位置を決定すること、
前記決定されたパイロットトーン位置と関連付けられるパイロットシーケンスを決定すること、および、
前記決定されたパイロットシーケンスとパイロット極性シーケンスとに基づいて、前記決定されたパイロットトーン位置に対するパイロット値を決定すること
によって、パイロット信号の前記集合を生成するように構成される、Ｃ３１に記載の装置。
［Ｃ３４］
前記パイロットシーケンスが、データシンボルインデックスに基づいて初期パイロットシーケンスをシフトすることによって決定される、Ｃ３３に記載の装置。
［Ｃ３５］
前記１つまたは複数のリソースユニットの各リソースユニットが、２６個の使用可能なトーンと２つのパイロットトーン位置とを有し、前記パイロットシーケンスが、初期パイロットシーケンス｛１，−１｝に基づいて決定される、Ｃ３３に記載の装置。
［Ｃ３６］
前記１つまたは複数のリソースユニットの各リソースユニットが、５２個の使用可能なトーンまたは１０６個の使用可能なトーンを有し、４つのパイロットトーン位置を有し、前記パイロットシーケンスが、初期パイロットシーケンス｛１，１，１，−１｝に基づいて決定される、Ｃ３３に記載の装置。
［Ｃ３７］
前記１つまたは複数のリソースユニットの各リソースユニットが、２４２個の使用可能なトーンを有し、８つのパイロットトーン位置を有し、前記パイロットシーケンスが、初期パイロットシーケンス｛１，１，１，−１，−１，１，１，１｝に基づいて決定される、Ｃ３３に記載の装置。
［Ｃ３８］
前記１つまたは複数のリソースユニットの各リソースユニットが、４８４個の使用可能なトーンまたは９９６個の使用可能なトーンを有し、１６個のパイロットトーン位置を有し、前記パイロットシーケンスが、初期パイロットシーケンス｛１，１，１，−１，−１，１，１，１，１，１，１，−１，−１，１，１，１｝に基づいて決定される、Ｃ３３に記載の装置。
［Ｃ３９］
前記１つまたは複数のリソースユニットの各リソースユニットが、１９９２個の使用可能なトーンと３２個のパイロットトーン位置を有し、前記パイロットシーケンスが、初期パイロットシーケンス｛１，１，１，−１，−１，１，１，１，１，１，１，−１，−１，１，１，１，１，１，１，−１，−１，１，１，１，１，１，１，−１，−１，１，１，１｝に基づいて決定される、Ｃ３３に記載の装置。
［Ｃ４０］
パイロット信号の前記集合を前記生成することが、プリアンブルの信号（ＳＩＧ）フィールドの中のシンボルの数に基づく、Ｃ３３に記載の装置。
［Ｃ４１］
コンピュータ実行可能コードを記憶する局と関連付けられるコンピュータ可読媒体であって、
通信のために前記局に割り振られる１つまたは複数のリソースユニットを示すメッセージを受信し、
前記１つまたは複数のリソースユニットに対するパイロット信号の集合を生成し、
前記１つまたは複数のリソースユニットにおいてデータとパイロット信号の前記生成された集合とを送信する
ためのコードを備える、コンピュータ可読媒体。
【図１】
0006648254.tif 000055
【図２】
0006648254.tif 000056
【図３】
0006648254.tif 000057
【図４】
0006648254.tif 000058
【図５】
0006648254.tif 000059
【図６】
0006648254.tif 000060
【図７】
0006648254.tif 000061
【図８】
0006648254.tif 000062
【図９】
0006648254.tif 000063
【図１０】
0006648254.tif 000064
【図１１】
0006648254.tif 000065
【図１２】
0006648254.tif 000066
【図１３】
0006648254.tif 000067